(57)【特許請求の範囲】
【請求項１】
アンテナ切替えダイバーシチ機能を有する移動局と、該移動局との間で無線回線を介して通信を行なう基地局とを有する移動体通信システムにおいて、
該基地局では、該移動局でのアンテナ切替えダイバーシチのアンテナ選択を行なうために、通話チャネルとして割り当てられたスロット以外の空きチャネルである他のスロットのうちの１つのスロットについてだけ、所要の送信電力値で送信を行なうことを特徴とする、移動体通信システムにおける空きチャネル送信電力制御方法。
【請求項２】
該基地局では、該空きチャネルである他のスロットのうちの１つのスロットの全期間について、所要の送信電力値で送信を行なうことを特徴とする、請求項１記載の移動体通信システムにおける空きチャネル送信電力制御方法。
【請求項３】
該基地局では、該空きチャネルである他のスロットのうちの１つのスロットの一部の期間についてだけ、所要の送信電力値で送信を行なうことを特徴とする、請求項１記載の移動体通信システムにおける空きチャネル送信電力制御方法。
【請求項４】
該所要の送信電力値が該通話チャネルとして割り当てられたスロットの送信電力値より低い値に設定されていることを特徴とする、請求項１記載の移動体通信システムにおける空きチャネル送信電力制御方法。
【請求項５】
該所要の送信電力値が該通話チャネルとして割り当てられたスロットの送信電力値と同じ値に設定されていることを特徴とする、請求項１記載の移動体通信システムにおける空きチャネル送信電力制御方法。
【請求項６】
該基地局では、該通話チャネルとして割り当てられたスロットの直前の空きチャネルであるスロットの全期間について、該通話チャネルとして割り当てられたスロットの送信電力値より低い送信電力値で送信を行なうことを特徴とする、請求項１記載の移動体通信システムにおける空きチャネル送信電力制御方法。
【請求項７】
該基地局では、該通話チャネルとして割り当てられたスロットの直前の空きチャネルであるスロットの全期間について、該通話チャネルとして割り当てられたスロットの送信電力値と同じ送信電力値で送信を行なうことを特徴とする、請求項１記載の移動体通信システムにおける空きチャネル送信電力制御方法。
【請求項８】
該基地局では、該通話チャネルとして割り当てられたスロットの直前の空きチャネルであるスロットのうちのアンテナ切替えダイバーシチのアンテナ選択用レベル測定時間についてだけ、該通話チャネルとして割り当てられたスロットの送信電力値より低い送信電力値で送信を行なうことを特徴とする、請求項１記載の移動体通信システムにおける空きチャネル送信電力制御方法。
【請求項９】
該基地局では、該通話チャネルとして割り当てられたスロットの直前の空きチャネルであるスロットのうちのアンテナ切替えダイバーシチのアンテナ選択用レベル測定時間についてだけ、該通話チャネルとして割り当てられたスロットの送信電力値と同じ送信電力値で送信を行なうことを特徴とする、請求項１記載の移動体通信システムにおける空きチャネル送信電力制御方法。
【請求項１０】
アンテナ切替えダイバーシチ機能を有する移動局と、該アンテナ切替えダイバーシチ機能を持たない移動局と、これらの移動局との間で無線回線を介して通信を行なう基地局とを有する移動体通信システムにおいて、
該移動局から該アンテナ切替えダイバーシチ機能付きの移動局であるのかそうでないのかという通知を制御チャネル又は通話チャネルを使用して該基地局が受けたのち、
該移動局から該アンテナ切替えダイバーシチ機能付きの移動局であるという通知を受けた場合は、該基地局では、該移動局でのアンテナ切替えダイバーシチのアンテナ選択を行なうために、該通話チャネルとして割り当てられたスロット以外の空きチャネルである他のスロットのうちの１つのスロットについてだけ、所要の送信電力値で送信を行なう一方、
該移動局から該アンテナ切替えダイバーシチ機能付きの移動局でないという通知を受けた場合は、該基地局では、該通話チャネルとして割り当てられたスロット以外の空きチャネルである他のスロットについては、送信を行なわないことを特徴とする、移動体通信システムにおける空きチャネル送信電力制御方法。
【請求項１１】
該移動局から該アンテナ切替えダイバーシチ機能付きの移動局であるという通知を受けた場合は、該基地局では、該空きチャネルである他のスロットのうちの１つのスロットの全期間について、所要の送信電力値で送信を行なうことを特徴とする、請求項１０記載の移動体通信システムにおける空きチャネル送信電力制御方法。
【請求項１２】
該移動局から該アンテナ切替えダイバーシチ機能付きの移動局であるという通知を受けた場合は、該基地局では、該空きチャネルである他のスロットのうちの１つのスロットの一部の期間についてだけ、所要の送信電力値で送信を行なうことを特徴とする、請求項１０記載の移動体通信システムにおける空きチャネル送信電力制御方法。
【請求項１３】
該所要の送信電力値が該通話チャネルとして割り当てられたスロットの送信電力値より低い値に設定されていることを特徴とする、請求項１０記載の移動体通信システムにおける空きチャネル送信電力制御方法。
【請求項１４】
該所要の送信電力値が該通話チャネルとして割り当てられたスロットの送信電力値と同じ値に設定されていることを特徴とする、請求項１０記載の移動体通信システムにおける空きチャネル送信電力制御方法。
【請求項１５】
該移動局から該アンテナ切替えダイバーシチ機能付きの移動局であるという通知を受けた場合は、該基地局では、該通話チャネルとして割り当てられたスロットの直前のスロットの全期間について、該通話チャネルとして割り当てられたスロットの送信電力値より低い送信電力値で送信を行なうことを特徴とする、請求項１０記載の移動体通信システムにおける空きチャネル送信電力制御方法。
【請求項１６】
該移動局から該アンテナ切替えダイバーシチ機能付きの移動局であるという通知を受けた場合は、該基地局では、該通話チャネルとして割り当てられたスロットの直前のスロットの全期間について、該通話チャネルとして割り当てられたスロットの送信電力値と同じ送信電力値で送信を行なうことを特徴とする、請求項１０記載の移動体通信システムにおける空きチャネル送信電力制御方法。
【請求項１７】
該移動局から該アンテナ切替えダイバーシチ機能付きの移動局であるという通知を受けた場合は、該基地局では、該通話チャネルとして割り当てられたスロットの直前のスロットのうちのアンテナ切替えダイバーシチのアンテナ選択用レベル測定時間についてだけ、該通話チャネルとして割り当てられたスロットの送信電力値より低い送信電力値で送信を行なうことを特徴とする、請求項１０記載の移動体通信システムにおける空きチャネル送信電力制御方法。
【請求項１８】
該移動局から該アンテナ切替えダイバーシチ機能付きの移動局であるという通知を受けた場合は、該基地局では、該通話チャネルとして割り当てられたスロットの直前のスロットのうちのアンテナ切替えダイバーシチのアンテナ選択用レベル測定時間についてだけ、該通話チャネルとして割り当てられたスロットの送信電力値と同じ送信電力値で送信を行なうことを特徴とする、請求項１０記載の移動体通信システムにおける空きチャネル送信電力制御方法。
【請求項１９】
アンテナ切替えダイバーシチ機能を有する移動局との間で無線回線を介して通信を行なうべく、移動体通信システム中に設けられる基地局において、
通話チャネルとして割り当てられたスロットについての送信電力値を制御する通話チャネル送信電力制御部と、
該移動局でのアンテナ切替えダイバーシチのアンテナ選択を行なうために、該通話チャネルとして割り当てられたスロット以外の空きチャネルである他のスロットのうちの１つのスロットについてだけ、その送信電力値を所要の送信電力値に制御する空きチャネル送信電力制御部とをそなえて構成されたことを特徴とする、移動体通信システムにおける基地局用送信電力制御装置。
【請求項２０】
該空きチャネル送信電力制御部が、該空きチャネルである他のスロットのうちの１つのスロットの全期間について、所要の送信電力値で送信を行なうように構成されていることを特徴とする、請求項１９記載の移動体通信システムにおける基地局用送信電力制御装置。
【請求項２１】
該空きチャネル送信電力制御部が、該空きチャネルである他のスロットのうちの１つのスロットの一部の期間についてだけ、所要の送信電力値で送信を行なうように構成されていることを特徴とする、請求項１９記載の移動体通信システムにおける基地局用送信電力制御装置。
【請求項２２】
該所要の送信電力値が該通話チャネルとして割り当てられたスロットの送信電力値より低い値に設定されていることを特徴とする、請求項１９記載の移動体通信システムにおける基地局用送信電力制御装置。
【請求項２３】
該所要の送信電力値が該通話チャネルとして割り当てられたスロットの送信電力値と同じ値に設定されていることを特徴とする、請求項１９記載の移動体通信システムにおける基地局用送信電力制御装置。
【請求項２４】
該空きチャネル送信電力制御部が、該通話チャネルとして割り当てられたスロットの直前の空きチャネルであるスロットの全期間について、該通話チャネルとして割り当てられたスロットの送信電力値より低い送信電力値で送信を行なうように構成されていることを特徴とする、請求項１９記載の移動体通信システムにおける基地局用送信電力制御装置。
【請求項２５】
該空きチャネル送信電力制御部が、該通話チャネルとして割り当てられたスロットの直前の空きチャネルであるスロットの全期間について、該通話チャネルとして割り当てられたスロットの送信電力値と同じ送信電力値で送信を行なうように構成されていることを特徴とする、請求項１９記載の移動体通信システムにおける基地局用送信電力制御装置。
【請求項２６】
該空きチャネル送信電力制御部が、該通話チャネルとして割り当てられたスロットの直前の空きチャネルであるスロットのうちのアンテナ切替えダイバーシチのアンテナ選択用レベル測定時間についてだけ、該通話チャネルとして割り当てられたスロットの送信電力値より低い送信電力値で送信を行なうように構成されていることを特徴とする、請求項１９記載の移動体通信システムにおける基地局用送信電力制御装置。
【請求項２７】
該空きチャネル送信電力制御部が、該通話チャネルとして割り当てられたスロットの直前の空きチャネルであるスロットのうちのアンテナ切替えダイバーシチのアンテナ選択用レベル測定時間についてだけ、該通話チャネルとして割り当てられたスロットの送信電力値と同じ送信電力値で送信を行なうように構成されていることを特徴とする、請求項１９記載の移動体通信システムにおける基地局用送信電力制御装置。
【請求項２８】
アンテナ切替えダイバーシチ機能を有する移動局および該アンテナ切替えダイバーシチ機能を持たない移動局との間で無線回線を介して通信を行なうべく、移動体通信システム中に設けられる基地局において、
通話チャネルとして割り当てられたスロットについての送信電力値を制御する通話チャネル送信電力制御部と、
該移動局から該アンテナ切替えダイバーシチ機能付きの移動局であるのかそうでないのかという通知を受信するアンテナ切替えダイバーシチ情報受信部と、
該アンテナ切替えダイバーシチ情報受信部が、該移動局から該アンテナ切替えダイバーシチ機能付きの移動局であるという通知を受けた場合は、該移動局でのアンテナ切替えダイバーシチのアンテナ選択を行なうために、該通話チャネルとして割り当てられたスロット以外の空きチャネルである他のスロットのうちの１つのスロットについてだけ、所要の送信電力値で送信を行なう一方、該アンテナ切替えダイバーシチ情報受信部が、該移動局から該アンテナ切替えダイバーシチ機能付きの移動局でないという通知を受けた場合は、該通話チャネルとして割り当てられたスロット以外の空きチャネルである他のスロットについては、送信を行なわないよう空きチャネルの送信電力値を制御する空きチャネル送信電力制御部とをそなえて構成されたことを特徴とする、移動体通信システムにおける基地局用送信電力制御装置。
【請求項２９】
該アンテナ切替えダイバーシチ情報受信部が該移動局から該アンテナ切替えダイバーシチ機能付きの移動局であるという通知を受けた場合には、該空きチャネル送信電力制御部が、該空きチャネルである他のスロットのうちの１つのスロットの全期間について、所要の送信電力値で送信を行なうように構成されていることを特徴とする、請求項２８記載の移動体通信システムにおける基地局用送信電力制御装置。
【請求項３０】
該アンテナ切替えダイバーシチ情報受信部が該移動局から該アンテナ切替えダイバーシチ機能付きの移動局であるという通知を受けた場合には、該空きチャネル送信電力制御部が、該空きチャネルである他のスロットのうちの１つのスロットの一部の期間についてだけ、所要の送信電力値で送信を行なうように構成されていることを特徴とする、請求項２８記載の移動体通信システムにおける基地局用送信電力制御装置。
【請求項３１】
該所要の送信電力値が該通話チャネルとして割り当てられたスロットの送信電力値より低い値に設定されていることを特徴とする、請求項２８記載の移動体通信システムにおける基地局用送信電力制御装置。
【請求項３２】
該所要の送信電力値が該通話チャネルとして割り当てられたスロットの送信電力値と同じ値に設定されていることを特徴とする、請求項２８記載の移動体通信システムにおける基地局用送信電力制御装置。
【請求項３３】
該アンテナ切替えダイバーシチ情報受信部が該移動局から該アンテナ切替えダイバーシチ機能付きの移動局であるという通知を受けた場合には、該空きチャネル送信電力制御部が、該通話チャネルとして割り当てられたスロットの直前のスロットの全期間について、該通話チャネルとして割り当てられたスロットの送信電力値より低い送信電力値で送信を行なうように構成されていることを特徴とする、請求項２８記載の移動体通信システムにおける基地局用送信電力制御装置。
【請求項３４】
該アンテナ切替えダイバーシチ情報受信部が該移動局から該アンテナ切替えダイバーシチ機能付きの移動局であるという通知を受けた場合には、該空きチャネル送信電力制御部が、該通話チャネルとして割り当てられたスロットの直前のスロットの全期間について、該通話チャネルとして割り当てられたスロットの送信電力値と同じ送信電力値で送信を行なうように構成されていることを特徴とする、請求項２８記載の移動体通信システムにおける基地局用送信電力制御装置。
【請求項３５】
該アンテナ切替えダイバーシチ情報受信部が該移動局から該アンテナ切替えダイバーシチ機能付きの移動局であるという通知を受けた場合には、該空きチャネル送信電力制御部が、該通話チャネルとして割り当てられたスロットの直前のスロットのうちのアンテナ切替えダイバーシチのアンテナ選択用レベル測定時間についてだけ、該通話チャネルとして割り当てられたスロットの送信電力値より低い送信電力値で送信を行なうように構成されていることを特徴とする、請求項２８記載の移動体通信システムにおける基地局用送信電力制御装置。
【請求項３６】
該アンテナ切替えダイバーシチ情報受信部が該移動局から該アンテナ切替えダイバーシチ機能付きの移動局であるという通知を受けた場合には、該空きチャネル送信電力制御部が、該通話チャネルとして割り当てられたスロットの直前のスロットのうちのアンテナ切替えダイバーシチのアンテナ選択用レベル測定時間についてだけ、該通話チャネルとして割り当てられたスロットの送信電力値と同じ送信電力値で送信を行なうように構成されていることを特徴とする、請求項２８記載の移動体通信システムにおける基地局用送信電力制御装置。
【発明の詳細な説明】
【０００１】
（目次）
産業上の利用分野
従来の技術（図７３〜図７８）
発明が解決しようとする課題（図７３〜図７８）
課題を解決するための手段及びその作用（図１〜図３）
実施例
（ａ）第１実施例の説明（図４〜図１１）
（ａ−１）第１実施例の第１変形例の説明（図１２〜図１５）
（ａ−２）第１実施例の第２変形例の説明（図１６〜図１９）
（ａ−３）第１実施例の第３変形例の説明（図２０〜図２３）
（ｂ）第２実施例の説明（図２４〜図３１）
（ｂ−１）第２実施例の第１変形例の説明（図３２〜図３６）
（ｂ−２）第２実施例の第２変形例の説明（図３７〜図４１）
（ｂ−３）第２実施例の第３変形例の説明（図４２〜図４６）
（ｂ−４）第２実施例の第４変形例の説明（図４７〜図５２）
（ｂ−５）第２実施例の第５変形例の説明（図５３〜図５７）
（ｂ−６）第２実施例の第６変形例の説明（図５８〜図６２）
（ｂ−７）第２実施例の第７変形例の説明（図６３〜図６７）
（ｃ）第３実施例の説明（図６８〜図７２）
発明の効果
【０００２】
【産業上の利用分野】
本発明は、移動体通信システムにおける空きチャネル送信電力制御方法および移動体通信システムにおける基地局用送信電力制御装置に関し、特に、ディジタル自動車電話システムなどの移動体通信システムにおいて、移動局同士及び移動局と固定網との間での通話の際、通話チャネルとして割り当てられたスロットと同じＴＲＸ（送受信器）の他のスロットが空きチャネルである場合に、その空きチャネルスロットの下り（基地局側から移動局側へ向けての）送信電力の制御に関する。
【０００３】
【従来の技術】
図７３は従来の一般的な移動体通信システムの一例を示す図で、この図７３において、１０１Ａ，１０１Ｂはそれぞれアンテナ切替えダイバーシチ機能を有する自動車電話や携帯電話などの移動局、１０２−１〜１０２−Ｎ（Ｎは自然数）はそれぞれ移動局１０１Ａ，１０１Ｂとの間で無線回線を介して通信を行なう無線基地局、１１０−１〜１１０−Ｎはそれぞれ固定網を形成する電話器、１０７は各無線基地局１０２−１〜１０２−Ｎ及び各電話器１１０−１〜１１０−Ｎを収容する交換局である。
【０００４】
そして、各無線基地局１０２−１〜１０２−Ｎは、それぞれ移動局１０１Ａ又は１０１Ｂとの間で遣り取りされる無線信号を所要のレベルに増幅する共通増幅装置１０３と、移動局１０１Ａ又は１０１Ｂとの間で遣り取りされる無線信号に対して所要の変復調を施す変復調装置１０４とを有しており、さらに各変復調装置１０４には、無線信号の送受信を行なう複数の送受信部（ＴＲＸ）１０５，１０６が使用するチャネル数に応じて設けられている。
【０００５】
また、交換局１０７は、交換機１０８と基地局制御装置１０９とをそなえており、この基地局制御装置１０９が交換機１０８を制御することにより、移動局１０１Ａと移動局１０１Ｂとの通話、あるいは移動局１０１Ａ又は１０１Ｂと固定の電話器１１０−１〜１１０−Ｎとの通話を行なうことができるようになっている。
【０００６】
そして、この図７３に示す移動局１０１Ａ（１０１Ｂ）は、アンテナ切替えダイバーシチ機能を有しており、図７４に示すごとく受信レベル測定部１１４及びアンテナ選択部１１５からなる受信部（ＲＸ）１１３と、送信部１１５とを有して構成されている。
ここで、受信レベル測定部１１３はアンテナ１１７（ＡＮＴ１）又は１１８（ＡＮＴ２）で受信される受信信号の信号レベルを測定するものであり、アンテナ選択部１１５は、この受信レベル測定部１１３による受信レベルの測定結果に基づいて、受信信号の状態が良い方（受信レベルの高い方）のアンテナで基地局１０２−１〜１０２−Ｎから送信されてくる信号を受信するようアンテナ１１７，１１８を選択するものであり、送信部１１６は、送信信号をアンテナ１１７を通じて基地局１０２−１〜１０２−Ｎへ向けて送信するものである。
【０００７】
図７５は上述の移動局１０１Ａ（１０１Ｂ）及び無線基地局１０２−１（〜１０２−Ｎ）の構成を示すブロック図で、この図７５に示すように、移動局１０１Ａ（１０１Ｂ）は、図７４にて上述した受信レベル測定部１１４及びアンテナ選択部１１５の他に測定データ格納部１２０を有しており、また、無線基地局１０２−１は、通話中／空チャネル送信電力制御部１２２を有しており、さらに、この無線基地局１０２−１内のＴＲＸ１０５（又は１０６）には、チャネル数に対応したスロット０〜２毎に送信電力を設定する送信電力設定部１２３〜１２５が設けられている。
【０００８】
さらに、各送信電力設定部１２３〜１２５は、下り送信電力設定部１２６，最大送信電力値設定部１２７，初期送信電力値設定部１２８及び送信電力制御部１２９を有して構成される。
ここで、最大送信電力値設定部１２７は、空チャネルの送信電力を基地局１０２−１の送信できる最大の電力値に設定するものであり、初期送信電力値設定部１２８は、通話が開始された初期の段階での通話チャネルの送信電力を所定の電力値に設定するものであり、送信電力制御部１２９は、通話が開始された初期の段階での送信電力が、以降の通話に最適な電力値になるよう制御するものである。
【０００９】
なお、この図７５において、１０９は図７３にて前述した基地局制御装置であり、この基地局制御装置１０９には、通話チャネル／空チャネルを割り当てるチャネル割当部１２１が設けられている。
以下、上述のごとく構成された移動体通信システムにおける動作について、図７５を参照しながら詳述する。
【００１０】
まず、基地局１０２−１のゾーン（通話可能ゾーン）１１１内に存在する移動局１０１Ａが、移動局１０１Ｂ又は固定電話器１１０−１〜１１０−Ｎと通話しようとしたとき、移動局１０１Ａは、基地局１０２−１に対して、発信無線状態報告を送出するとともに、測定データ格納部１２０に格納されている移動局１０１Ａが待ち受け時に予め測定した自ゾーン１１１と周辺ゾーン１１２の受信レベルも基地局１０２−１に報告する（ステップＡ１）。
【００１１】
基地局１０１Ａは、この発信無線状態報告を受信すると交換局１０７内の基地局制御装置１０９に発信無線状態報告を受信したことを通知する（ステップＡ２）。基地局制御装置１０９は、チャネル割当部１２１より、発信無線状態報告で報告された自ゾーン１１１の受信レベルが十分品質を満足していれば、自ゾーン１１１の空きチャネルを割り当てる。
【００１２】
そして、チャネル割当部１２１により割り当てられた通話チャネルは、移動局１０１Ａに無線チャネル指定で通知され、移動局１０１Ａは、この通知を受けると通知された通話チャネルへ移行し、通話開始となる（ステップＡ３）。
このとき、移動局１０１Ａでは、自ゾーン１１１と周辺ゾーン１１２の受信レベルが測定され、自ゾーン１１１と周辺ゾーン１１２の差がある値になったときにそれが基地局１０２−１に通知され、基地局１０２−１は、チャネル切替えを行なう強電界チャネル切替えで移動局１０１Ａが強電界を判定するための条件を、無線状態報告情報により移動局１０１Ａに通知する（ステップＡ４）。
【００１３】
移動局１０１Ａは、この無線状態報告情報を受信すると、正常に受信できたことを無線状態報告情報確認を基地局１０２−１に通知する（ステップＡ５）。
また、基地局１０１Ａでは、通話チャネルへ移行すると、通話中／空チャネル送信電力制御部１２２により、チャネル割当部１２１が割り当てた通話チャネルが、基地局のどのＴＲＸのどのスロットかと、通話チャネルとして割り当てられたスロットと同じＴＲＸの他のスロットが通話中か通話中でないかが判定される。
【００１４】
そして、割り当てられた通話チャネルのスロットであれば、通話チャネルスロットの下り送信電力を、通話中に送信電力制御部１２９で電力制御されるまでの送信電力を初期送信電力値設定部１２８によって設定する。また、割り当てられた通話チャネルのスロットと同じＴＲＸの他のスロットが空きチャネルである場合には、割り当てられた通話チャネルと同じＴＲＸの他のスロット全ての空きチャネルスロットの下り送信電力を、最大送信電力値１２７によって基地局１０２−１の送信できる最大送信電力に設定する。
【００１５】
今、例えば、割り当てられた通話チャネルスロットがＴＲＸ１０５のスロット０で、通話チャネルとして割り当てられたスロットと同じＴＲＸ１０５のスロット１とスロット２とが空きチャネルである場合、基地局１０２−１からの各スロット０〜２毎の送信電力は、図７６（ｂ）に示すようになる。
すなわち、通話チャネルとして割り当てられたスロット０の下り送信電力は、、スロット０の下り送信電力設定部１２６で、図７６（ｂ）中の斜線部で示すごとく、初期送信電力値設定部１２８によって設定される初期送信電力値１Ｗ−４ｄＢに設定される。
【００１６】
一方、通話チャネルとして割り当てられたスロットと同じＴＲＸ１０５の他のスロットであるスロット１の下り送信電力は、スロット１の下り送信電力設定部１２６で、最大送信電力値設定部１２７によって設定される基地局１０２−１の送信できる最大送信電力値１Ｗ−０ｄＢに設定される。
同様に、スロット２の下り送信電力は、スロット２の下り送信電力設定部１２６で、最大送信電力値設定部１２７によって設定される基地局１０２−１の送信できる最大送信電力値１Ｗ−０ｄＢに設定される。
【００１７】
なお、もし、１つのＴＲＸ１０５のスロット０〜２全てが通話チャネルとして割り当てられていない場合は、図７６（ａ）に示すごとくスロット０〜２は全て送信ＯＦＦとなる。
そして、通話中の移動局１０１Ａは、受信レベル測定部１１４により、通話チャネルであるスロット０の下り受信レベルを測定し、基地局１０２−１に報告する。基地局１０２−１は、スロット０の送信電力設定部１２３における送信電力制御部１２９によって、移動局１０１Ａから報告された下り通話チャネルの受信レベルと下りの送信電力制御を行なうための基準受信レベルとを比較して、移動局１０１Ａから報告された下り通話チャネルの受信レベルが基準受信レベルに収束するように下りの送信電力値を決定し、その送信電力値がスロット０の下り送信電力設定部１２６で設定される下り送信電力となる。
【００１８】
また、移動局１０１Ａは、受信レベル測定部１１４により、通話チャネルであるスロット０の受信レベルを測定するとともに、アンテナ切替えダイバーシチのアンテナ選択を行なうために、図７７に示すごとく、通話チャネルとして割り当てられた通話チャネルスロット０の直前のスロット２の、アンテナ切替えダイバーシチ用レベル測定時間（ＬＭ）内で、アンテナ１１７とアンテナ１１８の受信レベルをそれぞれ測定し、アンテナ選択部１１５により、受信レベルの高い方のアンテナを選択し、選択したアンテナで移動局１０１Ａは通信（通話）を行なう。
【００１９】
今、割り当てられた通話チャネルは、スロット０なので、スロット０の直前のスロットであるスロット２のアンテナ切替えダイバーシチ用レベル測定時間内でアンテナ１１７とアンテナ１１８の受信レベルを測定し、受信レベルの高い方のアンテナを選択する。
例えば、アンテナ１１７の受信レベルが１０ｄＢμＶ、アンテナ１１８の受信レベルが２０ｄＢμＶであれば、アンテナ１１８の方を選択し、このアンテナ１１８で移動局１０１Ａは通話する。
【００２０】
基地局１０２−１は、通話チャネルとして割り当てたスロット０に対して、通話が終了するまで通話中での送信電力制御を行なう。
また、通話チャネルとして割り当てられた通話チャネルスロットと同じＴＲＸ１０５の他のスロットであるスロット１とスロット２は、スロット０の通話が終了するまで基地局が送信できる最大送信電力値（１Ｗ−０ｄＢ）で送信する。
【００２１】
なお、通話チャネルとして割り当てられたスロットと同じＴＲＸ１０５の他のスロットであるスロット１又はスロット２も通話チャネルとして割り当てられた場合には、スロット０と同様に、各スロット１，２に対して通話中での送信電力制御を行なう。
次に、移動局１０１Ａへの動作について、図７８を参照しながら詳述する。
【００２２】
基地局１０２−１は、固定電話器１１０−１〜１１０−Ｎなどの固定網から呼出要求があった場合には、呼出を移動局１０１Ａに送出し（ステップＡ５）、移動局１０１Ａは、この呼出を受信するとメッセージ種別，着信識別番号，移動局種別，受信レベルなどの情報をもった着信無線状態報告を基地局１０２−１に送出するとともに、測定データ格納部１２０に格納されている、移動局１０１Ａが待ち受け時に測定した自ゾーン１１１と周辺ゾーン１１２の受信レベルを基地局１０２−１に報告する（ステップＡ６）。
【００２３】
基地局１０２−１は、移動局１０１Ａから着信無線状態報告を受信すると、基地局制御装置１０９に着信無線状態報告を受信したことを通知し（ステップＡ７）、基地局１０２−１からの通知を受けた基地局制御装置１０９は、チャネル割当部１２１により着信無線状態報告で報告された自ゾーン１１１の受信レベルが十分品質を満足していれば、自ゾーン１１１の空きチャネルを割り当てる。以降は、図７５を用いて前述した移動局１０１Ａの発呼動作と同様にして空きチャネルスロットの送信電力が制御される。
【００２４】
このように、上述の移動体通信システムにおける基地局１０２−１（〜１０２−Ｎ）からの送信電力の制御では、ＴＲＸ１０５（又は１０６）のスロット０〜２の内、１つのスロットが通話チャネルとして割り当てられた場合には、通話中であるスロットの直前のスロットの下りの送信は、移動局１０１Ａがアンテナ切替えダイバーシチのアンテナ１１７，１１８の選択を行なうために送信ＯＮとする必要があるので、通話チャネルとして割り当てられたスロット０と同じＴＲＸ１０５の他のスロット１，２が全て空きチャネルである場合には、その空きチャネルスロット全てが送信ＯＮとなるようにしている。
【００２５】
また、通話チャネルとして割り当てられたスロット０と同じＴＲＸ１０５の他のスロット１，２全てが空きチャネルである場合には、ゾーン１１１，１１２の境界上に存在する移動局が受信レベルが低いためにアンテナ切替えダイバーシチのアンテナ選択を誤らないように、空きチャネルであるスロット全ての下り送信電力を基地局１０２−１の送信できる最大送信電力値に設定するようになっている。
【００２６】
【発明が解決しようとする課題】
しかしながら、上述の移動体通信システムにおける基地局１０２−１（〜１０２−Ｎ）は、移動局１０１Ａ（又は１０１Ｂ）が基地局１０２−１に近いエリアに存在して低い下り送信電力であってもアンテナ切替えダイバーシチのアンテナ１１７，１１８の選択が十分可能なときにも、通話チャネルとして割り当てられたスロット０と同じＴＲＸ１０５（又は、ＴＲＸ１０６）の他のスロット１，２の全てが空きチャネルである場合に、その空きチャネルのスロットは全て、通話中の通話チャネルスロットの通話が終了するまで高い送信電力（１Ｗ−０ｄＢ）で送信されるので、他の移動局（例えば、図７３中の移動局１０１Ｂ）や基地局（例えば、基地局１０２−２〜１０２−Ｎ）に無線波の干渉などによる影響を与えて正常な動作の妨げになってしまうという課題がある。
【００２７】
また、通話チャネルとして割り当てられたスロット０と同じＴＲＸ１０５（又は１０６）の他のスロット１，２全てが空きチャネルの場合、基地局１０２−１は、その空きチャネル全てを基地局１０２−１の送信できる最大送信電力（１Ｗ−０ｄＢ）で送信するため、基地局１０２−１の消費電力が大幅に増加してしまうという課題もある。
【００２８】
さらに、通話チャネルとして割り当てられたスロット０と同じＴＲＸ１０５の他のスロット１又はスロット２が空きチャネルである場合に、その空きチャネルスロット１又は２を送信ＯＮとする必要があるのは、アンテナ切替えダイバーシチ機能を持った移動局１０１Ａとの通信を行なう場合だけであるのだが、アンテナ切替えダイバーシチ機能を持たない移動局との通信においても、通話チャネルとして割り当てられたスロット０と同じＴＲＸ１０５の他のスロット１，２が空きチャネルである場合には、その空きチャネル全てを送信ＯＮとしてしまい、さらに基地局１０２−１の消費電力が大幅に増加してしまうという課題がある。
【００２９】
本発明は、このような課題に鑑み創案されたもので、通話チャネルとして割り当てられたスロット以外の空きチャネルのうちの１つのスロットについてだけ、所要の送信電力値で送信を行なうことにより、他の移動局や基地局に無線波の干渉などによる影響を与えないとともに、基地局の省電力化を図ることができるようにした、移動体通信システムにおける空きチャネル送信電力制御方法および移動体通信システムにおける基地局用送信電力制御装置を提供することを目的とする。
【００３０】
【課題を解決するための手段及びその作用】
図１は第１の発明の原理ブロック図で、この図１において、１Ａはアンテナ１Ａ−１，１Ａ−２を切替えて送信されてくる信号を選択的に受信することができるアンテナ切替えダイバーシチ機能を有する移動局、２Ａはアンテナ２Ａ−１を通じ移動局１Ａとの間で無線回線を介して通信を行なうべく移動体通信システム中に設けられる基地局である。
【００３１】
そして、この図１に示すように、基地局２Ａは、通話チャネル送信電力制御部２１Ａと空きチャネル送信電力制御部２２Ａとをそなえて構成されている。
ここで、通話チャネル送信電力制御部２１Ａは、通話チャネルとして割り当てられたスロットについての送信電力値を制御するものであり、空きチャネル送信電力制御部２２Ａは移動局１Ａでのアンテナ切替えダイバーシチのアンテナ１Ａ−１，１Ａ−２の選択を行なうために、通話チャネルとして割り当てられたスロット以外の空きチャネルである他のスロットのうちの１つのスロットについてだけ、その送信電力値を所要の送信電力値に制御するものである。
【００３２】
これにより、この図１に示す移動体通信システムでは、移動局１Ａでの切替えダイバーシチのアンテナ１Ａ−１，１Ａ−２の選択を行なうために、通話チャネルとして割り当てられたスロット以外の空きチャネルである他のスロットのうちの１つのスロットについてだけ、所要の送信電力値で送信を行なうことができる（以上、請求項１，１９）。
【００３３】
具体的に、上述の空きチャネル送信電力制御部２２Ａは、空きチャネルである他のスロットのうちの１つのスロットの全期間について、所要の送信電力値で送信を行なうように構成される。
これにより、基地局２Ａでは、空きチャネルである他のスロットのうちの１つのスロットの全期間についてのみ、所要の送信電力値で送信を行なうことができる（以上、請求項２，２０）。
【００３４】
また、この空きチャネル送信電力制御部２２Ａは、空きチャネルである他のスロットのうちの１つのスロットの一部の期間についてだけ、所要の送信電力値で送信を行なうように構成してもよく、これにより、基地局２Ａでは、空きチャネルである他のスロットのうちの１つのスロットの一部の期間についてだけ、所要の送信電力値で送信を行なうことができる（請求項３，２１）。
【００３５】
さらに、このとき、上述の所要の送信電力値は、具体的には、通話チャネルとして割り当てられたスロットの送信電力値より低い値、又は同じ値に設定され、これにより、基地局２Ａでは、通話チャネルとして割り当てられたスロット以外の１つのスロットについてだけ、通話チャネルとして割り当てられたスロットの送信電力値より低い値、又は同じ値で送信を行なうことができる（請求項４，５，２２，２３）。
【００３６】
さらに、具体的には、上述の空きチャネル送信電力制御部２２Ａは、通話チャネルとして割り当てられたスロットの直前の空きチャネルであるスロットの全期間について、通話チャネルとして割り当てられたスロットの送信電力値より低い送信電力値、又は同じ送信電力値で送信を行なうように構成される。
これにより、基地局２Ａでは、通話チャネルとして割り当てられたスロットの直前の空きチャネルであるスロットの全期間について、通話チャネルとして割り当てられたスロットの送信電力値より低い送信電力値、又は同じ送信電力値で送信を行なうことができる（以上、請求項６，７，２４，２５）。
【００３７】
また、上述の空きチャネル送信電力制御部２２Ａは、通話チャネルとして割り当てられたスロットの直前の空きチャネルであるスロットのうちのアンテナ切替えダイバーシチのアンテナ選択用レベル測定時間についてだけ、通話チャネルとして割り当てられたスロットの送信電力値より低い送信電力値、又は同じ送信電力値で送信を行なうように構成されてもよい。
【００３８】
そして、この場合、基地局２Ａでは、通話チャネルとして割り当てられたスロットの直前の空きチャネルであるスロットのうちのアンテナ切替えダイバーシチのアンテナ選択用レベル測定時間についてだけ、通話チャネルとして割り当てられたスロットの送信電力値より低い送信電力値、又は同じ送信電力値で送信を行なうことができる（請求項８，９，２６，２７）。
【００３９】
次に、図２は第２の発明の原理ブロック図で、この図２において、１Ａはアンテナ１Ａ−１，１Ａ−２を切替えることにより送信されてくる信号を選択的に受信することができるアンテナ切替えダイバーシチ機能を有する移動局、１Ｂはアンテナ１Ｂ−１による単一受信を行なうアンテナ切替えダイバーシチ機能を持たない移動局、２Ｂはアンテナ２Ｂ−１を通じこれらの各移動局１Ａ，１Ｂとの間で無線回線を介して通信を行なうべく移動体通信システム中に設けられる基地局である。
【００４０】
そして、この図２に示すように、基地局２Ｂは、通話チャネル送信電力制御部２１Ｂ，アンテナ切替えダイバーシチ情報受信部２２Ｂ及び空きチャネル送信電力制御部２３Ｂをそなえて構成されている。
ここで、通話チャネル送信電力制御部２１Ｂは、通話チャネルとして割り当てられたスロットについての送信電力値を制御するものであり、アンテナ切替えダイバーシチ情報受信部２２Ｂは、移動局１Ａ，１Ｂからアンテナ切替えダイバーシチ機能付きの移動局であるのかそうでないのかという通知を制御チャネル又は通話チャネルを通じて受信するものである。
【００４１】
さらに、空きチャネル送信電力制御部２３Ｂは、このアンテナ切替えダイバーシチ情報受信部２２Ｂが、移動局１Ａからアンテナ切替えダイバーシチ機能付きの移動局であるという通知を受けた場合は、この移動局１Ａでのアンテナ切替えダイバーシチのアンテナ１Ａ−１，１Ａ−２の選択を行なうために、通話チャネルとして割り当てられたスロット以外の空きチャネルである他のスロットのうちの１つのスロットについてだけ、所要の送信電力値で送信を行なう一方、アンテナ切替えダイバーシチ情報受信部２２Ｂが、移動局１Ｂからアンテナ切替えダイバーシチ機能付きの移動局でないという通知を受けた場合は、通話チャネルとして割り当てられたスロット以外の空きチャネルである他のスロットについては、送信を行なわないよう空きチャネルの送信電力値を制御するものである。
【００４２】
これにより、移動局１Ａ，１Ｂからアンテナ切替えダイバーシチ機能付きの移動局であるのかそうでないのかという通知を制御チャネル又は通話チャネルを使用して基地局２Ｂが受けたのち、移動局１Ａからアンテナ切替えダイバーシチ機能付きの移動局であるという通知を受けた場合は、基地局２Ｂでは、移動局１Ａでのアンテナ切替えダイバーシチのアンテナ１Ａ−１，１Ａ−２の選択を行なうために、通話チャネルとして割り当てられたスロット以外の空きチャネルである他のスロットのうちの１つのスロットについてだけ、所要の送信電力値で送信を行なうことができる。
【００４３】
一方、移動局１Ｂからアンテナ切替えダイバーシチ機能付きの移動局でないという通知を受けた場合は、基地局２Ｂでは、通話チャネルとして割り当てられたスロット以外の空きチャネルである他のスロットについては、送信を行なわない（以上、請求項１０，２８）。
ここで、具体的に、上述の空きチャネル送信電力制御部２３Ｂは、アンテナ切替えダイバーシチ情報受信部２２Ｂが移動局１Ａからアンテナ切替えダイバーシチ機能付きの移動局であるという通知を受けた場合には、空きチャネルである他のスロットのうちの１つのスロットの全期間について、所要の送信電力値で送信を行なうように構成される。
【００４４】
これにより、移動局１Ａからアンテナ切替えダイバーシチ機能付きの移動局であるという通知を受けた場合は、基地局２Ｂでは、空きチャネルである他のスロットのうちの１つのスロットの全期間について、所要の送信電力値で送信を行なうことができる（以上、請求項１１，２９）。
また、この空きチャネル送信電力制御部２３Ｂは、アンテナ切替えダイバーシチ情報受信部２２Ｂが移動局１Ａからアンテナ切替えダイバーシチ機能付きの移動局であるという通知を受けた場合には、空きチャネルである他のスロットのうちの１つのスロットの一部の期間についてだけ、所要の送信電力値で送信を行なうように構成されてもよい。
【００４５】
これにより、移動局１Ａからアンテナ切替えダイバーシチ機能付きの移動局であるという通知を受けた場合は、基地局２Ｂでは、空きチャネルである他のスロットのうちの１つのスロットの一部の期間についてだけ、所要の送信電力値で送信を行なうことができる（以上、請求項１２，３０）。
このとき、具体的に、上述の所要の送信電力値は、通話チャネルとして割り当てられたスロットの送信電力値よりも低い値に設定され、これにより、基地局２Ｂでは、通話チャネルとして割り当てられたスロット以外の空きチャネルである他のスロットのうちの１つのスロットについてだけ、通話チャネルとして割り当てられたスロットの送信電力値よりも低い送信電力値で送信することができる（請求項１３，３１）。
【００４６】
このとき、具体的に、上述の所要の送信電力値は、通話チャネルとして割り当てられたスロットの送信電力値と同じ値に設定され、これにより、基地局２Ｂでは、通話チャネルとして割り当てられたスロット以外の空きチャネルである他のスロットのうちの１つのスロットについてだけ、通話チャネルとして割り当てられたスロットの送信電力値と同じ値で送信することができる（請求項１４，３２）。
【００４７】
また、さらに具体的に、上述の空きチャネル送信電力制御部２３Ｂは、アンテナ切替えダイバーシチ情報受信部２２Ｂが移動局１Ａからアンテナ切替えダイバーシチ機能付きの移動局であるという通知を受けた場合には、通話チャネルとして割り当てられたスロットの直前のスロットの全期間について、通話チャネルとして割り当てられたスロットの送信電力値より低い送信電力値、又は同じ送信電力値で送信を行なうように構成される。
【００４８】
これにより、移動局１Ａからアンテナ切替えダイバーシチ機能付きの移動局であるという通知を受けた場合、基地局２Ｂでは、通話チャネルとして割り当てられたスロットの直前のスロットの全期間について、通話チャネルとして割り当てられたスロットの送信電力値より低い送信電力値、又は同じ送信電力値で送信を行なうことができる（以上、請求項１５，１６，３３，３４）。
【００４９】
さらに、具体的に、上述の空きチャネル送信電力制御部２３Ｂは、アンテナ切替えダイバーシチ情報受信部２２Ｂが移動局１Ａからアンテナ切替えダイバーシチ機能付きの移動局であるという通知を受けた場合には、通話チャネルとして割り当てられたスロットの直前のスロットのうちのアンテナ切替えダイバーシチのアンテナ選択用レベル測定時間についてだけ、通話チャネルとして割り当てられたスロットの送信電力値より低い送信電力値、又は同じ送信電力値で送信を行なうように構成される。
【００５０】
これにより、移動局１Ａからアンテナ切替えダイバーシチ機能付きの移動局であるという通知を受けた場合、基地局２Ｂでは、通話チャネルとして割り当てられたスロットの直前のスロットのうちのアンテナ切替えダイバーシチのアンテナ選択用レベル測定時間についてだけ、通話チャネルとして割り当てられたスロットの送信電力値より低い送信電力値、又は同じ送信電力値で送信を行なうことができる（以上、請求項１７，１８，３５，３６）。
【００５１】
次に、図３は本発明の関連技術を示すブロック図で、この図３において、１Ｂは図２にて前述したものと同様のアンテナ切替えダイバーシチ機能を持たない移動局、２Ｃはアンテナ２Ｃ−１を通じこの移動局１Ｂとの間で無線回線を介して通信を行なうべく移動体通信システム中に設けられる基地局である。
そして、この図３に示すように、基地局２Ｃは、通話チャネル送信電力制御部２１Ｃ及び空きチャネル送信電力制御部２２Ｃをそなえて構成される。
【００５２】
ここで、通話チャネル送信電力制御部２１Ｃは、通話チャネルとして割り当てられたスロットについての送信電力値を制御するものであり、空きチャネル送信電力制御部２２Ｃは、通話チャネルとして割り当てられたスロット以外の空きチャネルである他のスロットについては、送信を行なわないよう制御するものである。
【００５３】
このような構成により、基地局２Ｃでは、通話チャネルとして割り当てられたスロット以外の空きチャネルである他のスロットについては、空きチャネル送信電力制御部２２Ｃによって送信を行なわないようにすることができる。
【００５４】
【実施例】
以下、図面を参照して本発明の実施例を説明する。
（ａ）第１実施例の説明
図４は本発明の第１実施例にかかる移動体通信システムの一例を示す図で、この図４において、１１Ａ，１１Ｂはそれぞれアンテナ１１Ａ−１，１１Ａ−２，１１Ｂ−１，１１Ｂ−２を選択的に切り替えることができるアンテナ切替えダイバーシチ機能を有する自動車電話や携帯電話などの移動局，１２−１〜１２−Ｎ（Ｎは自然数）はそれぞれゾーン（通信可能ゾーン）２１，２２内に存在する移動局１１Ａとの間で無線回線を介して通信を行なう無線基地局、２０−１〜２０−Ｎはそれぞれ固定網を形成する電話器、１７は各無線基地局１２−１〜１２−Ｎ及び各固定電話器２０−１〜２０−Ｎを収容する交換局である。
【００５５】
そして、各無線基地局（以下、単に基地局という）１２−１〜１２−Ｎは、それぞれ移動局１１Ａ又は１１Ｂとの間で遣り取りされる無線信号を所要のレベルに増幅する共通増幅装置１３と、移動局１１Ａ又は１１Ｂとの間で遣り取りされる無線信号に対して所要の変復調を施す変復調装置１４を有しており、さらに各変復調装置１４には、無線信号の送受信を行なう送受信部（ＴＲＸ）１５，１６が設けられている。
【００５６】
また、交換局１７は、交換機１８と基地局制御装置１９とをそなえており、基地局制御装置１９が交換機１８を制御することにより、移動局１１Ａ，１１Ｂ同士の通話、あるいは、移動局１１Ａ又は１１Ｂと固定の電話器２０−１〜２０−Ｎとの間の通話を行なうことができるようになっている。
そして、移動局１１Ａ（１１Ｂ）は、図５に示すごとく測定データ格納部２３，受信レベル測定部２４及びアンテナ選択部２５を有して構成される。
【００５７】
ここで、受信レベル測定部２４は、アンテナ１１Ａ−１，１１Ａ−２（１１Ｂ−１，１１Ｂ−２）で受信される受信信号の信号レベルを測定するものであり、測定データ格納部２３は、移動局１１Ａの待ち受け時にこの受信レベル測定部２４によって測定された自ゾーン２１と周辺ゾーン２２の受信レベルの測定データを格納しておくものであり、アンテナ選択部２５は、受信レベル測定部２４による受信レベルの測定結果に基づいて、受信信号の状態が良い方（受信レベルの高い方）のアンテナで基地局１２−１〜１２−Ｎから送信されてくる信号を受信するようアンテナ１１Ａ−１又は１１Ａ−２を選択するものである。
【００５８】
また、各基地局１２−１〜１２−Ｎは、通話中／空チャネル送信電力制御部２６Ａを有しており、さらに、これらの各無線基地局１２−１〜１２−Ｎ内の各ＴＲＸ１５（又は１６）には、無線チャネル数に対応したスロット０〜２毎の送信電力を設定する送信電力設定部２７〜２９が設けられ、これらにより、本発明の要部である基地局用送信電力制御装置が構成されている。
【００５９】
さらに、各送信電力設定部２７〜２９は、下り送信電力設定部３０，空チャネル送信電力決定部３１及び通話チャネル送信電力制御部３５を有して構成される。
ここで、図５中、斜線で示す通話中／空チャネル送信電力制御部２６Ａ及び空きチャネル送信電力決定部３１が、本発明の移動体通信システムにおける空きチャネル送信電力制御方法を実現する主要な部分で、通話中／空チャネル送信電力制御部２６Ａは、割り当てられた通話チャネルが基地局１２−１〜１２−ＮのどのＴＲＸ（ＴＲＸ１５又は１６）のどのスロットかと、通話チャネルとして割り当てられた通話チャネルスロットと同じＴＲＸの他のスロットが通話中か通話中でないかを判定し、この判定結果に応じて、通話チャネルあるいは空きチャネルの送信電力制御を行なうものである。
【００６０】
さらに、空きチャネル送信電力決定部３１は、移動局１１Ａでのアンテナ切替えダイバーシチのアンテナ選択を行なうために、後述するごとく通話チャネルとして割り当てられたスロット以外の空きチャネルであるスロットのうちの１つのスロットについてだけ、その送信電力値を所要の送信電力に決定し、通話中／空チャネル送信電力制御部２６Ａと協動して空チャネルの送信電力を制御するものである。
【００６１】
また、通話チャネル送信電力制御部３５は、通話チャネルとして割り当てられたスロットについての送信電力値を制御するもので、このため、この図５に示すように、初期送信電力値設定部３２及び送信電力制御部３３を有して構成される。
そして、初期送信電力値設定部３２は、通話が開始された初期の段階での通話チャネルの送信電力を所定の電力値に設定するものであり、送信電力制御部３３は、通話が開始された初期の段階での送信電力を、以降の通話に最適な電力値になるよう設定するものであり、下り送信電力設定部３０は、基地局１２−１の下り送信電力を、これらの空チャネル送信電力決定部３１，初期送信電力値設定部３２，送信電力制御部３３で設定される送信電力値に応じて設定するものである。
【００６２】
なお、この図５において、１９は図４にて前述した基地局制御装置であり、この基地局制御装置１９には、通話チャネル／空チャネルを割り当てるチャネル割当部３４が設けられている。
以下、上述のごとく構成された本実施例の移動体通信システムにおける空きチャネル送信電力制御方法について、図６に示すフローチャート（ステップＳ１〜Ｓ１０）を併用して詳述する。
【００６３】
まず、例えば、基地局１２−１のゾーン２１に存在する移動局１１Ａに発呼要求あると、移動局１１Ａは、図７（ａ）に示すごとく、（１）メッセージ種別，（２）移動局種別，（３）受信レベル，（４）ゾーン選択数（Ｎ），・・・などの情報からなるフォーマットの発信無線状態報告を基地局１２−１に向けて送出するとともに、測定データ格納部２３に格納されている移動局１１Ａの待ち受け時に測定した自ゾーン２１と周辺ゾーン２２の受信レベルを基地局１２−１に報告する。
【００６４】
そして、基地局１２−１は、この発信無線状態報告を移動局１１Ａから受信すると基地局制御装置１９に発信無線状態報告を受信したことを通知する。基地局制御装置１９は、チャネル割当部３４より、発信無線状態報告で報告されたゾーン２１の受信レベルが十分品質を満足していれば、初期送信電力設定部３２によって、ゾーン２１の空きチャネル（例えば、Ｎ番目のＴＲＸのスロットＭ）の送信電力として初期送信電力値を設定して送信ＯＮすることにより、この空きチャネルを通話チャネルとして割り当てる（ステップＳ１）。
【００６５】
このチャネル割当部３４により割り当てられた通話チャネルは、図７（ｂ）に示すごとく、（１）メッセージ種別，（２）周波数コード，（３）スロット番号，・・・などの情報からなるフォーマットの無線チャネル指定で移動局１１Ａに通知され、通話開始となる。移動局１１Ａは、この無線チャネル指定で通話チャネルを通知されると、通知された通話チャネルへ移行し、その通話チャネルでの通話が開始される。
【００６６】
また、このように通話チャネルへ移行すると、移動局１１Ａは、自ゾーン２１と周辺ゾーン２２の受信レベルを測定し、自ゾーン２１と周辺ゾーン２２の受信レベルの差がある所定の値になったときに、その旨を基地局１２−１に通知し、基地局１２−１は、チャネル切替えを行なう強電界チャネル切替えで、移動局１１Ａが強電界を判定するための条件を、図８（ａ）に示すごとくフォーマットの無線状態報告情報により移動局１１Ａに通知する。
【００６７】
さらに、基地局１２−１は、上述のごとく通話チャネルへ移行すると、通話中／空チャネル送信電力制御部２６Ａによって、チャネル割当部３４の割り当てた通話チャネルが、基地局１２−１のどのＴＲＸ（ＴＲＸ１５かＴＲＸ１６）のどのスロット（スロット０〜２）かと、通話チャネルとして割り当てられたスロットと同じＴＲＸの他のスロット（図６中では、Ｎ番目のＴＲＸのスロットＭの直前のスロットＬ）が通話中か通話中でないかの判定が行なわれる（ステップＳ２）。
【００６８】
そして、通話チャネルとして割り当てられたスロットと同じＴＲＸの他のスロットが通話チャネル（通話中）のスロットであれば、このスロットには空チャネル送信電力決定部３１による送信電力値の設定は行なわずに、通話チャネルスロットの下り送信電力を、初期送信電力値設定部３２によって、通話中に送信電力制御部３３で電力制御されるまでの送信電力である初期送信電力値に設定する（ステップＳ２のＮＯルートからステップＳ３）。
【００６９】
一方、割り当てられた通話チャネルのスロットと同じＴＲＸの他のスロットが通話中でなく空きチャネルである場合、又は、通話チャネルとして割り当てられた通話チャネルスロットと同じＴＲＸの他のスロットの内、通話チャネルとして割り当てられたスロットの直前のスロットが通話中でなく空きチャネルである場合には、通話中／空チャネル送信電力制御部２６Ａによって、移動局１１Ａがアンテナ切替えダイバーシチのアンテナ選択を行なうために、通話チャネルとして割り当てられたスロットと同じＴＲＸの他のスロットの内、通話チャネルとして割り当てられたスロットの直前のスロットだけ送信ＯＮとされる。
【００７０】
そして、空チャネル送信電力決定部３１により、通話中／空チャネル送信電力制御部２６Ａによって送信ＯＮされた空きチャネルスロットの下り送信電力値を、最適なアンテナ切替えダイバーシチのアンテナ選択を行なうために予め決められた固定値の送信電力値にその空きチャネルスロットの全期間について設定する（ステップＳ２のＹＥＳルートからステップＳ４）。
【００７１】
例えば、今、図９に示すように、割り当てられた通話チャネルスロットがスロット０で、通話チャネルとして割り当てられたスロットと同じＴＲＸ（例えば、ＴＲＸ１５）のスロット１とスロット２とが空きチャネルである場合には、通話チャネルとして割り当てられたスロット０は、通話中／空チャネル送信電力制御部２６Ａ及び通話チャネル送信電力制御部３５によって、その下り送信電力が、図９中の斜線部分に示すごとく、送信電力設定部２７の初期送信電力値設定部３２で設定されている初期送信電力値１Ｗ−４ｄＢに設定される。
【００７２】
また、このとき、通話チャネルとして割り当てられたスロット０と同じＴＲＸ１５の他のスロットであるスロット１は、同じく通話中／空チャネル送信電力制御部２６Ａによって、送信ＯＦＦに設定され、スロット２はその全期間について送信ＯＮにされる。
具体的に、この送信ＯＮされた空きチャネルであるスロット２の下り送信電力は、図９中の網かけ部分に示すごとく、最適なアンテナ切替えダイバーシチのアンテナ選択を行なうために予め送信電力設定部２９の空チャネル送信電力決定部３１に設定されている、通話チャネルとして割り当てられたスロット０の送信電力値１Ｗ−４ｄＢよりも低い固定の送信電力値１Ｗ−８ｄＢに設定される。
【００７３】
一方、通話中の移動局１１Ａは、受信レベル測定部２４により、通話チャネルであるスロット０の下り受信レベルを測定し、その測定結果を基地局１２−１に報告する。
そして、基地局１２−１は、通話チャネルとして割り当てたスロット０を、その通話が終了するまで通話中での送信電力制御を行なうとともに、通話チャネルとして割り当てられたスロット０の直前の空きチャネルであるスロット２（図６中では、Ｎ番目のＴＲＸのスロットＬ）が、その後、基地局制御装置１９のチャネル割当部３４によって、新たに通話チャネルとして割り当てられたかを判定する（ステップＳ５）。
【００７４】
この結果、スロット２が新たに通話チャネルとして割り当てられていない場合は、基地局１２−１は、通話チャネルとして割り当てられたスロット０（図６中では、Ｎ番目のＴＲＸのスロットＭ）が、送信電力設定部２７の送信電力制御部３３によって、通話中での送信電力の制御を施されたかどうかの判定を通話中／空チャネル送信電力制御部２６Ａによって行なう（ステップＳ５のＮＯルートからステップＳ６）。
【００７５】
そして、スロット０に対して送信電力制御部３３によって通話中での送信電力の制御が行なわれていれば、通話中／空チャネル送信電力制御部２６Ａは、移動局１１Ａから報告された下り通話チャネルの受信レベルと、下りの送信電力制御を行なうための基準受信レベルとを比較して、移動局１１Ａから報告された下り通話チャネルの受信レベルが基準受信レベルに収束するように下りの送信電力値を決定し、その送信電力値をスロット０の下り送信電力として送信電力設定部２７の下り送信電力設定部３０を通じて設定する（ステップＳ６のＹＥＳルートからステップＳ１０）。
【００７６】
一方、移動局１１Ａは、前述したようにアンテナ切替えダイバーシチ機能を有しているので、受信レベル測定部２４により、通話チャネルであるスロットの受信レベルを測定するとともに、アンテナ切替えダイバーシチ機能によるアンテナ１１Ａ−１，１１Ａ−２の選択を行なうために、通話チャネルとして割り当てられた通話チャネルスロットの直前のスロットにおけるアンテナ１１Ａ−１，１１Ａ−２の受信レベルをそれぞれアンテナ切替えダイバーシチ用レベル測定時間（各スロットの期間よりも短い期間）内で測定し、アンテナ選択部２５により、受信レベルの高い方のアンテナを選択して選択したアンテナで移動局１１Ａは通話を行なう。
【００７７】
今、割り当てられた通話チャネルは、スロット０としているので、スロット０の直前のスロットであるスロット２におけるアンテナ１１Ａ−１，１１Ａ−２の受信レベルをそれぞれアンテナ切替えダイバーシチ用レベル測定間内で測定し、受信レベルの高い方のアンテナを選択する。
例えば、アンテナ１１Ａ−１の受信レベルが１０ｄＢμＶ、アンテナ１１Ａ−２の受信レベルが２０ｄＢμＶであれば、アンテナ選択部２５は、アンテナ１１Ａ−２の方を選択し、移動局１１Ａはこのアンテナ１１Ａ−２を使用して通話を行なう。
【００７８】
ところで、上述のステップＳ５において、通話チャネルとして割り当てられたスロット０と同じＴＲＸ１５の他のスロットであるスロット１又はスロット２が新たに通話チャネルとして割り当てられた場合、スロット１又はスロット２には、通話チャネルスロットのスロット０と同様に、それぞれ初期送信電力設定部３２で設定されている初期設定電力１Ｗ−４ｄＢが設定され、その後、スロット１又はスロット２を使用した通話が開始されると、通話中での送信電力の制御が行なわれる（ステップＳ５のＹＥＳルートからステップＳ９）。
【００７９】
また、上述のステップＳ６において、通話チャネルとして割り当てられたスロット０に対して通話中での送信電力の制御が行なわれていなければ、基地局１２−１は、通話チャネルとして割り当てられた通話チャネルスロット０と同じＴＲＸ１５の他のスロットの内、スロット１を引き続き送信ＯＦＦ、スロット２を送信ＯＮとする。
【００８０】
そして、送信ＯＮした空きチャネルスロットのスロット２の下り送信電力を、スロット０での通話が終了するまで、最適なアンテナ切替えダイバーシチのアンテナ１１Ａ−１，１１Ａ−２の選択を行なうために予め決められた、通話チャネルとして割り当てられたスロット０の送信電力値１Ｗ−４ｄＢ（図９参照）よりも低い固定の送信電力値１Ｗ−８ｄＢに設定・保持する（ステップＳ６のＮＯルートからステップＳ７，ステップＳ７のＮＯルート）。
【００８１】
スロット０を使用した通話が終了した場合は、スロット２の下り送信電力を送信ＯＦＦにする（ステップＳ７のＹＥＳルートからステップＳ８）。
次に、移動局１１Ａに対する着呼動作について、図１０を参照しながら詳述する。
すなわち、基地局１２−１は、固定電話器２０−１〜２０−Ｎなどの固定網から呼出要求があった場合に、図１１（ａ）に示すごとく、（１）メッセージ種別，（２）ＢＣＣＨ受信区間長，（３）呼出し移動局数（Ｎ），・・・などの情報からなるフォーマットで呼出を移動局１１Ａに送出する。
【００８２】
移動局１１Ａは呼出を受信すると、図１１（ｂ）に示すごとく、（１）メッセージ種別，（２）着信識別番号，（３）移動局種別，・・・などの情報からなるフォーマットで着信無線状態報告を基地局１２−１に送出するとともに、測定データ格納部２３に格納されている、移動局１１Ａが待ち受け時に測定した自ゾーン２１と周辺ゾーン２２の受信レベルを基地局１２−１に報告する。
【００８３】
基地局１２−１は、この着信無線状態報告を移動局１１Ａから受信すると、基地局制御装置１９に着信無線状態報告を受信したことを通知し、この通知を受けた基地局制御装置１９は、チャネル割当部３４により、着信無線状態報告で報告された自ゾーン２１の受信レベルが十分品質を満足していれば、自ゾーン２１の空きチャネルを割り当てる。以降の動作は、図５〜図９により前述した移動局１１Ａの発呼動作と同様にして、通話チャネル／空きチャネルの送信電力制御が行なわれる。
【００８４】
以上のように、本発明の第１実施例としての移動体通信システムにおける空きチャネル送信電力制御方法によれば、基地局１２−１（〜１２−Ｎ）では、移動局１１Ａでのアンテナ切替えダイバーシチのアンテナ１１Ａ−１，１１Ａ−２の選択を行なうために、通話チャネルとして割り当てられたスロット０以外の空きチャネルである他のスロットのうちの１つのスロット２だけ送信ＯＮにして所要の送信電力値で送信を行なうので、従来のように移動局１１Ａでのアンテナ切替えダイバーシチのアンテナ１１Ａ−１，１１Ａ−２の選択を行なうために空きチャネル全てを送信ＯＮとする必要はなく、これにより、基地局１２−１（〜１２−Ｎ）の消費電力を大幅に削減することができるという利点がある。
【００８５】
また、このとき、基地局１２−１（〜１２−Ｎ）では、通話チャネルとして割り当てられたスロット０以外の空きチャネルである他のスロットのうちの１つのスロット２の全期間について、所要の送信電力値で送信を行なうので、基地局１２−１（〜１２−Ｎ）の消費電力を抑えつつ、移動局１１Ａでのアンテナ切替えダイバーシチのアンテナ１１Ａ−１，１１Ａ−２の選択を確実に行なうことができるという利点もある。
【００８６】
さらに、具体的に、基地局１２−１（〜１２−Ｎ）は、通話チャネルとして割り当てられたスロット０以外の空きチャネルであるスロット２については、図９を用いて前述したごとく通話チャネルとして割り当てられたスロット０の送信電力値１Ｗ−４ｄＢよりも低い送信電力値１Ｗ−８ｄＢで送信を行なうので、従来のように空きチャネルスロット１，２については無条件で基地局１２−１の送信できる最大送信電力１Ｗ−０ｄＢで送信されるということがなく、これにより、さらに基地局１２−１（〜１２−Ｎ）の消費電力を大幅に削減することができる。
【００８７】
また、このように、空きチャネルスロット１，２については無条件で基地局１２−１の送信できる最大送信電力１Ｗ−０ｄＢで送信されるということがないので、基地局１２−１の送信電力が必要以上に大きいために、他の移動局１１Ｂや基地局１２−２〜１２−Ｎに無線波の干渉などの影響を与えることも極めて少なくなる。
【００８８】
さらに、本実施例では、通話チャネルとして割り当てられたスロット０以外の空きチャネルであるスロットのうちの１つのスロットとしてスロット０の直前のスロット２の全期間について、スロット０の送信電力値１Ｗ−４ｄＢよりも低い送信電力値１Ｗ−８ｄＢで送信を行なうので、基地局１２−１（〜１２−Ｎ）の消費電力を抑えつつ、より確実に、移動局１１Ａでのアンテナ切替えダイバーシチのアンテナ１１Ａ−１，１１Ａ−２の選択を行なうことができる。
【００８９】
また、本実施例における基地局（基地局用送信電力制御装置）１２−１（〜１２−Ｎ）によれば、通話中／空きチャネル送信電力制御部２６Ａ及び空きチャネル送信電力決定部３１をそなえることによって、上述の移動体通信システムにおける空きチャネル送信電力制御方法の実現に大いに寄与する。
（ａ−１）第１実施例の第１変形例の説明
図１２は本発明の第１実施例の第１変形例にかかる移動体通信システムにおける移動局及び基地局の詳細構成を示すブロック図で、この図１２において、図５中に示す符号と同一符号が示すものはそれぞれ図５にて前述したものと同様のものである。そして、この図１２においては、図５にて前述した構成に比して、基地局１２−１（〜１２−Ｎ）が通話中／空チャネル送信電力制御部２６Ｂを有している点が異なる。
【００９０】
ここで、この通話中／空チャネル送信電力制御部２６Ｂは、割り当てられた通話チャネルが基地局１２−１のどのＴＲＸ（ＴＲＸ１５又は１６：図５参照）のどのスロットかと、通話チャネルとして割り当てられた通話チャネルスロットと同じＴＲＸの他のスロットが通話中か通話中でないかを判定し、その判定結果に応じて、各スロット０〜２に対応した送信電力設定部２７〜２９内に設けられた空チャネル送信電力決定部３１と協動して、通話チャネルとして割り当てられたスロットと同じＴＲＸの他の空きチャネルのスロットのうちの１つのスロットを、全期間ではなく一部の期間だけ、具体的には、アンテナ切替えダイバーシチ用受信レベルの測定時間だけ送信ＯＮにし、所要の送信電力値で送信を行なうものである。
【００９１】
以下、同様に、第１実施例の第１変形例にかかる移動体通信システムにおける空きチャネル送信電力制御方法について、図１３に示すフローチャート（ステップＳ１１〜Ｓ２０）を併用して詳述する。
まず、この場合も、例えば、基地局１２−１のゾーン２１に存在する移動局１１Ａに発呼要求あると、移動局１１Ａは、図７（ａ）に示すフォーマットで発信無線状態報告を基地局１２−１に向けて送出するとともに、測定データ格納部２３に格納されている移動局１１Ａの待ち受け時に測定した自ゾーン２１と周辺ゾーン２２の受信レベルを基地局１２−１に報告する。
【００９２】
そして、基地局１２−１は、この発信無線状態報告を移動局１１Ａから受信すると基地局制御装置１９に発信無線状態報告を受信したことを通知する。基地局制御装置１９は、チャネル割当部３４より、発信無線状態報告で報告されたゾーン２１の受信レベルが十分品質を満足していれば、初期送信電力設定部３２によって、ゾーン２１の空きチャネル（図１３中では、Ｎ番目のＴＲＸのスロットＭ）の送信電力として初期送信電力値を設定して送信ＯＮすることにより、この空きチャネルを通話チャネルとして割り当てる（ステップＳ１１）。
【００９３】
このチャネル割当部３４により割り当てられた通話チャネルは、図７（ｂ）に示すごとくフォーマットの無線チャネル指定で移動局１１Ａに通知され、通話開始となる。移動局１１Ａは、この無線チャネル指定で通話チャネルを通知されると、通知された通話チャネルへ移行し、その通話チャネルでの通話が開始される。
【００９４】
また、このように通話チャネルへ移行すると、移動局１１Ａは、自ゾーン２１と周辺ゾーン２２の受信レベルを測定し、自ゾーン２１と周辺ゾーン２２の受信レベルの差がある所定の値になったときに、その旨を基地局１２−１に通知し、基地局１２−１は、チャネル切替えを行なう強電界チャネル切替えで、移動局１１Ａが強電界を判定するための条件を、図８（ａ）に示すごとくフォーマットの無線状態報告情報により移動局１１Ａに通知する。
【００９５】
さらに、基地局１２−１は、上述のごとく通話チャネルへ移行すると、通話中／空チャネル送信電力制御部２６Ｂによって、チャネル割当部３４の割り当てた通話チャネルが、基地局１２−１のどのＴＲＸ（ＴＲＸ１５かＴＲＸ１６）のどのスロット（スロット０〜２）かと、通話チャネルとして割り当てられたスロットと同じＴＲＸの他のスロット（図１３中では、Ｎ番目のＴＲＸのスロットＭの直前のスロットＬ）が通話中か通話中でないかの判定が行なわれる（ステップＳ１２）。
【００９６】
そして、通話チャネルとして割り当てられたスロットと同じＴＲＸの他のスロットが通話チャネル（通話中）のスロットであれば、このスロットには空チャネル送信電力決定部３１による送信電力値の設定は行なわずに、初期送信電力値設定部３２によって、通話中に送信電力制御部３３で電力制御されるまでの送信電力である初期送信電力値の設定を行なう（ステップＳ１２のＮＯルートからステップＳ１３）。
【００９７】
一方、割り当てられた通話チャネルのスロットと同じＴＲＸの他のスロットが通話中でなく空きチャネルである場合、又は、通話チャネルとして割り当てられた通話チャネルスロットと同じＴＲＸの他のスロットの内、通話チャネルとして割り当てられたスロットの直前のスロットが通話中でなく空きチャネルである場合には、通話中／空チャネル送信電力制御部２６Ｂによって、移動局１１Ａがアンテナ切替えダイバーシチのアンテナ選択を行なうために、通話チャネルとして割り当てられたスロットと同じＴＲＸの他のスロットの内、通話チャネルとして割り当てられたスロットの直前のスロットだけ送信ＯＮとされる。
【００９８】
そして、この通話中／空チャネル送信電力制御部２６Ｂにより送信ＯＮされた空きチャネルスロットには、その一部の期間、具体的には、移動局１１Ａでの受信レベル測定部２４によるアンテナ切替えダイバーシチのアンテナ選択用受信レベル測定時間だけ、空チャネル送信電力決定部３１によって、最適なアンテナ切替えダイバーシチのアンテナ１１Ａ−１，１１Ａ−２の選択を行なうために予め決められた所定の送信電力値が設定される（ステップＳ１２のＹＥＳルートからステップＳ１４）。
【００９９】
例えば、今、図１４に示すように、割り当てられた通話チャネルスロットがスロット０で、通話チャネルとして割り当てられたスロットと同じＴＲＸ（例えば、ＴＲＸ１５）のスロット１とスロット２とが空きチャネルである場合には、通話チャネルとして割り当てられたスロット０は、通話中／空チャネル送信電力制御部２６Ｂ及び通話チャネル送信電力制御部３５によって、その下り送信電力が送信電力設定部２７の初期送信電力値設定部３２で設定されている初期送信電力値１Ｗ−４ｄＢに設定される。
【０１００】
また、このとき、通話チャネルとして割り当てられたスロット０と同じＴＲＸ１５の他のスロットであるスロット１は、通話中／空チャネル送信電力制御部２６Ｂ及び空チャネル送信電力決定部３１によって送信ＯＦＦに設定され、スロット２は移動局１１Ａでの受信レベル測定部２４によるアンテナ切替えダイバーシチのアンテナ選択用受信レベル測定時間だけ所定の送信電力値で送信ＯＮされる。
【０１０１】
具体的に、この所定の送信電力値としては、本変形例でも、最適なアンテナ切替えダイバーシチのアンテナ選択を行なうために予め送信電力設定部２９の空チャネル送信電力決定部３１に設定されている、通話チャネルとして割り当てられたスロット０の送信電力値１Ｗ−４ｄＢよりも低い固定の送信電力値１Ｗ−８ｄＢが設定される。
【０１０２】
一方、通話中の移動局１１Ａは、受信レベル測定部２４により、通話チャネルであるスロット０の下り受信レベルを測定し、その測定結果を基地局１２−１に報告する。
そして、基地局１２−１は、通話チャネルとして割り当てたスロット０を、その通話が終了するまで通話中での送信電力制御を行なうとともに、通話チャネルとして割り当てられたスロット０の直前の空きチャネルであるスロット２（図１３中では、Ｎ番目のＴＲＸのスロットＬ）が、その後、基地局制御装置１９のチャネル割当部３４によって、新たに通話チャネルとして割り当てられたかを判定する（ステップＳ１５）。
【０１０３】
この結果、スロット２が新たに通話チャネルとして割り当てられていない場合は、基地局１２−１は、通話チャネルとして割り当てられたスロット０（図６中では、Ｎ番目のＴＲＸのスロットＭ）が、送信電力設定部２７の送信電力制御部３３によって、通話中での送信電力の制御を施されたかどうかの判定を通話中／空チャネル送信電力制御部２６Ｂによって行なう（ステップＳ１５のＮＯルートからステップＳ１６）。
【０１０４】
そして、スロット０に対して送信電力制御部３３による通話中での送信電力の制御が行なわれていれば、通話中／空チャネル送信電力制御部２６Ｂは、移動局１１Ａから報告された下り通話チャネルの受信レベルと、下りの送信電力制御を行なうための基準受信レベルとを比較して、移動局１１Ａから報告された下り通話チャネルの受信レベルが基準受信レベルに収束するように下りの送信電力値を決定し、その送信電力値をスロット０の下り送信電力として送信電力設定部２７の下り送信電力設定部３０を通じて設定する（ステップＳ１６のＹＥＳルートからステップＳ２０）。
【０１０５】
一方、移動局１１Ａは、受信レベル測定部２４により、通話チャネルであるスロットの受信レベルを測定するとともに、アンテナ切替えダイバーシチ機能によるアンテナ１１Ａ−１，１１Ａ−２の選択を行なうために、通話チャネルとして割り当てられた通話チャネルスロットの直前のスロットにおけるアンテナ１１Ａ−１，１１Ａ−２の受信レベルをそれぞれアンテナ切替えダイバーシチ用レベル測定時間内で測定し、アンテナ選択部２５により、受信レベルの高い方のアンテナを選択して選択したアンテナで移動局１１Ａは通話を行なう。
【０１０６】
今、割り当てられた通話チャネルは、スロット０としているので、スロット０の直前のスロットであるスロット２におけるアンテナ１１Ａ−１，１１Ａ−２の受信レベルをそれぞれアンテナ切替えダイバーシチ用レベル測定間内で測定し、受信レベルの高い方のアンテナを選択する。
例えば、アンテナ１１Ａ−１の受信レベルが１０ｄＢμＶ、アンテナ１１Ａ−２の受信レベルが２０ｄＢμＶであれば、アンテナ選択部２５は、アンテナ１１Ａ−２の方を選択し、移動局１１Ａはこのアンテナ１１Ａ−２を使用して通話を行なう。
【０１０７】
ところで、上述のステップＳ１５において、通話チャネルとして割り当てられたスロット０と同じＴＲＸ１５の他のスロットであるスロット１又はスロット２が新たに通話チャネルとして割り当てられた場合、スロット１又はスロット２には、通話チャネルスロットのスロット０と同様に、それぞれ初期送信電力設定部３２で設定されている初期設定電力１Ｗ−４ｄＢが設定され、その後、スロット１又はスロット２を使用した通話が開始されると、通話中での送信電力の制御が行なわれる（ステップＳ１５のＹＥＳルートからステップＳ１９）。
【０１０８】
また、上述のステップＳ１６において、通話チャネルとして割り当てられたスロット０に対して通話中での送信電力の制御が行なわれていなければ、基地局１２−１は、通話チャネルとして割り当てられた通話チャネルスロット０と同じＴＲＸ１５の他のスロットの内、スロット１を引き続き送信ＯＦＦ、スロット２をアンテナ切替えダイバーシチ用レベル測定時間だけ送信ＯＮとする。
【０１０９】
そして、送信ＯＮした空きチャネルスロットのスロット２の下り送信電力は、スロット０での通話が終了するまで、最適なアンテナ切替えダイバーシチのアンテナ１１Ａ−１，１１Ａ−２の選択を行なうために予め決められた、通話チャネルとして割り当てられたスロット０の送信電力値１Ｗ−４ｄＢよりも低い固定の送信電力値１Ｗ−８ｄＢに設定・保持される（ステップＳ１６のＮＯルートからステップＳ１７，ステップＳ１７のＮＯルート）。
【０１１０】
スロット０での通話が終了した場合は、通話中／空チャネル送信電力制御部２６Ｂ及び送信電力設定部２７の通話チャネル送信電力制御部３５によって、スロット２の下り送信電力が送信ＯＦＦされる（ステップＳ１７のＹＥＳルートからステップＳ１８）。
次に、移動局１１Ａに対する着呼動作について、図１５を参照しながら詳述する。
【０１１１】
すなわち、基地局１２−１は、固定電話器２０−１〜２０−Ｎなどの固定網から呼出要求があった場合に、図１１（ａ）に示すごとくフォーマットで呼出を移動局１１Ａに送出する。
移動局１１Ａは呼出を受信すると、図１１（ｂ）に示すごとくフォーマットで着信無線状態報告を基地局１２−１に送出するとともに、測定データ格納部２３に格納されている、移動局１１Ａが待ち受け時に測定した自ゾーン２１と周辺ゾーン２２の受信レベルを基地局１２−１に報告する。
【０１１２】
基地局１２−１は、この着信無線状態報告を移動局１１Ａから受信すると、基地局制御装置１９に着信無線状態報告を受信したことを通知し、この通知を受けた基地局制御装置１９は、チャネル割当部３４により、着信無線状態報告で報告された自ゾーン２１の受信レベルが十分品質を満足していれば、自ゾーン２１の空きチャネルを割り当てる。以降の動作は、図１２〜図１４により前述した移動局１１Ａからの発呼動作と同様にして、通話チャネル／空きチャネルの送信電力制御が行なわれる。
【０１１３】
以上のように、本発明の第１実施例の第１変形例にかかる移動体通信システムにおける空きチャネル送信電力制御方法によれば、基地局１２−１（〜１２−Ｎ）では、図１４に示すごとく、空きチャネルであるスロット１，２のうちの１つのスロット２の一部の期間についてだけ、移動局１１Ａでのアンテナ切替えダイバーシチのアンテナ１１Ａ−１，１１Ａ−２に最適な電力値１Ｗ−８ｄＢで送信を行なうので、従来のように移動局１１Ａでのアンテナ切替えダイバーシチのアンテナ１１Ａ−１，１１Ａ−２の選択を行なうためにスロット０以外の空きチャネル全てを送信ＯＮとする必要がないだけでなく、スロット２の全期間について送信ＯＮとする必要がなく、これにより、基地局１２−１（〜１２−Ｎ）の消費電力をさらに大幅に削減することができるという利点がある。
【０１１４】
具体的に、上述の空きチャネルであるスロット２を送信ＯＮしておく期間は、移動局１１Ａでのアンテナ切替えダイバーシチのアンテナ選択用受信レベル測定時間だけでよいので、基地局１２−１（〜１２−Ｎ）では、通話チャネルとして割り当てられたスロット０の直前の空きチャネルであるスロット２のうちのアンテナ切替えダイバーシチのアンテナ選択用レベル測定時間についてだけ、通話チャネルとして割り当てられたスロット０の送信電力値１Ｗ−４ｄＢより低い送信電力値１Ｗ−８ｄＢで送信が行なわれる。
【０１１５】
従って、従来のように、アンテナ切替えダイバーシチのアンテナ１１Ａ−１，１１Ａ−２の選択のために空きチャネルスロットが無条件でその全期間、基地局１２−１の送信できる最大送信電力１Ｗ−０ｄＢに設定されることはなく、これにより、さらに基地局１２−１（〜１２−Ｎ）の消費電力を大幅に削減することができる。
【０１１６】
また、本実施例における基地局（基地局用送信電力制御装置）１２−１（〜１２−Ｎ）によれば、通話中／空きチャネル送信電力制御部２６Ｂ及び空きチャネル送信電力決定部３１をそなえることによって、上述の移動体通信システムにおける空きチャネル送信電力制御方法の実現にも大いに寄与する。
（ａ−２）第１実施例の第２変形例の説明
図１６は本発明の第１実施例の第２変形例にかかる移動局及び基地局の詳細構成を示すブロック図で、この図１６においても、図５中に示す符号と同一符号が示すものはそれぞれ図５にて前述したものと同様のものである。そして、この図１６においては、図５にて前述した構成に比して、基地局１２−１（〜１２−Ｎ）のＴＲＸ１５（又は、１６）内に、各スロット０〜２に対応して空チャネル送信電力決定部３１Ａと、通話チャネル送信電力値監視部３６が設けられている点が異なる。
【０１１７】
ここで、通話チャネル送信電力値監視部３６は、通話チャネルとして割り当てられた通話チャネルスロットの下り送信電力値がいくつになっているかを監視するものであり、空チャネル送信電力決定部３１Ａは、通話中／空チャネル送信電力制御部２６Ａ及び空チャネル送信電力決定部３１Ａにより送信ＯＮされる空きチャネルスロットの下り送信電力値を、通話チャネル送信電力値監視部３６で監視している通話チャネルスロットの下り送信電力値の中で、通話中／空チャネル送信電力制御部２６Ａにより送信ＯＮされた通話チャネルスロットの下り送信電力値と同じ値に設定するものである。
【０１１８】
以下、この第１実施例の第２変形例における移動体通信システムにおける空きチャネル送信電力制御方法について、図１７に示すフローチャート（ステップＳ２１〜Ｓ３１）を併用して詳述する。
まず、この場合も、例えば、基地局１２−１のゾーン２１に存在する移動局１１Ａに発呼要求あると、移動局１１Ａは、図７（ａ）に示すフォーマットで発信無線状態報告を基地局１２−１に向けて送出するとともに、測定データ格納部２３に格納されている移動局１１Ａの待ち受け時に測定した自ゾーン２１と周辺ゾーン２２の受信レベルを基地局１２−１に報告する。
【０１１９】
そして、基地局１２−１は、この発信無線状態報告を移動局１１Ａから受信すると基地局制御装置１９に発信無線状態報告を受信したことを通知する。基地局制御装置１９は、チャネル割当部３４より、発信無線状態報告で報告されたゾーン２１の受信レベルが十分品質を満足していれば、初期送信電力設定部３２によって、ゾーン２１の空きチャネル（例えば、Ｎ番目のＴＲＸのスロットＭ）の送信電力として初期送信電力値を設定して送信ＯＮすることにより、この空きチャネルを通話チャネルとして割り当てる（ステップＳ２１）。
【０１２０】
このチャネル割当部３４により割り当てられた通話チャネルは、図７（ｂ）に示すフォーマットの無線チャネル指定で移動局１１Ａに通知され、通話開始となる。移動局１１Ａは、この無線チャネル指定で通話チャネルを通知されると、通知された通話チャネルへ移行し、その通話チャネルでの通話が開始される。
また、このように通話チャネルへ移行すると、移動局１１Ａは、自ゾーン２１と周辺ゾーン２２の受信レベルを測定し、自ゾーン２１と周辺ゾーン２２の受信レベルの差がある所定の値になったときに、その旨を基地局１２−１に通知し、基地局１２−１は、チャネル切替えを行なう強電界チャネル切替えで、移動局１１Ａが強電界を判定するための条件を、図８（ａ）に示すごとくフォーマットの無線状態報告情報により移動局１１Ａに通知する。
【０１２１】
さらに、基地局１２−１は、上述のごとく通話チャネルへ移行すると、通話中／空チャネル送信電力制御部２６Ａによって、チャネル割当部３４の割り当てた通話チャネルが、基地局１２−１のどのＴＲＸ（ＴＲＸ１５かＴＲＸ１６）のどのスロット（スロット０〜２）かと、通話チャネルとして割り当てられたスロットと同じＴＲＸの他のスロット（図１７中では、Ｎ番目のＴＲＸのスロットＭの直前のスロットＬ）が通話中か通話中でないかの判定が行なわれる（ステップＳ２２）。
【０１２２】
そして、通話チャネルとして割り当てられたスロットと同じＴＲＸの他のスロットが通話チャネル（通話中）のスロットであれば、このスロットには空チャネル送信電力決定部３１Ａによる送信電力値の設定は行なわずに、初期送信電力値設定部３２によって、通話中に送信電力制御部３３で電力制御されるまでの送信電力である初期送信電力値の設定を行なう（ステップＳ２２のＮＯルートからステップＳ２３）。
【０１２３】
一方、割り当てられた通話チャネルのスロットと同じＴＲＸの他のスロットが通話中でなく空きチャネルである場合、又は、通話チャネルとして割り当てられた通話チャネルスロットと同じＴＲＸの他のスロットの内、通話チャネルとして割り当てられたスロットの直前のスロットが通話中でなく空きチャネルである場合には、通話中／空チャネル送信電力制御部２６Ａによって、移動局１１Ａがアンテナ切替えダイバーシチのアンテナ選択を行なうために、通話チャネルとして割り当てられたスロットと同じＴＲＸの他のスロットの内、通話チャネルとして割り当てられたスロットの直前のスロットだけ送信ＯＮとされる。
【０１２４】
そして、この通話中／空チャネル送信電力制御部２６Ａにより送信ＯＮされた空きチャネルスロットには、最初は、通話チャネルとして割り当てられたスロットと同じ初期送信電力値が設定される（ステップＳ２２のＹＥＳルートからステップＳ２４）。
さらに、基地局１２−１は、通話チャネルとして割り当てられたスロット０の直前の空きチャネルであるスロット２（図１７中では、Ｎ番目のＴＲＸのスロットＬ）が、その後、基地局制御装置１９のチャネル割当部３４によって、新たに通話チャネルとして割り当てられたかを判定する（ステップＳ２５）。
【０１２５】
この結果、スロット２が新たに通話チャネルとして割り当てられていない場合は、基地局１２−１は、通話チャネルとして割り当てられたスロット０（図６中では、Ｎ番目のＴＲＸのスロットＭ）が送信電力制御部３３により通話中での送信電力の制御を施されたかどうかが通話中／空チャネル送信電力制御部２６Ａによって判定される（ステップＳ２５のＮＯルートからステップＳ２６）。
【０１２６】
そして、スロット０に対して送信電力制御部３３による通話中での送信電力の制御が行なわれていれば、通話中／空チャネル送信電力制御部２６Ａは、移動局１１Ａから報告された下り通話チャネルの受信レベルと、下りの送信電力制御を行なうための基準受信レベルとを比較して、移動局１１Ａから報告された下り通話チャネルの受信レベルが基準受信レベルに収束するように下りの送信電力値を決定し、その送信電力値をスロット０の下り送信電力として送信電力設定部２７の下り送信電力設定部３０を通じて設定する（ステップＳ２６のＹＥＳルートからステップＳ３０）。
【０１２７】
例えば、今、図１８に示すように、割り当てられた通話チャネルスロットがスロット０で、通話チャネルとして割り当てられたスロットと同じＴＲＸ（例えば、ＴＲＸ１５）のスロット１とスロット２とが空きチャネルである場合には、通話チャネルとして割り当てられたスロット０は、通話中／空チャネル送信電力制御部２６Ａ及び通話チャネル送信電力制御部３５によって、その下り送信電力が送信電力設定部２７の初期送信電力値設定部３２で設定されている初期送信電力値１Ｗ−４ｄＢに設定される。
【０１２８】
また、このとき、基地局１２−１は、通話チャネル送信電力値監視部３６によって、通話チャネルスロット０の送信電力値を監視しており、通話中／空チャネル送信電力制御部２６Ａ及び空チャネル送信電力決定部３１Ａによって、空きチャネルスロット２の下り送信電力値を、その全期間について、通話チャネル送信電力制御部３５により送信電力制御された通話チャネルスロット０の送信電力値と同じ値に追従して設定する（ステップＳ３１）。
【０１２９】
一方、移動局１１Ａは、受信レベル測定部２４により、通話チャネルであるスロットの受信レベルを測定し、その測定結果を基地局１２−１に報告するとともに、アンテナ切替えダイバーシチ機能によるアンテナ１１Ａ−１，１１Ａ−２の選択を行なうために、通話チャネルとして割り当てられた通話チャネルスロットの直前のスロットにおけるアンテナ１１Ａ−１，１１Ａ−２の受信レベルをそれぞれアンテナ切替えダイバーシチ用レベル測定時間内で測定し、アンテナ選択部２５により、受信レベルの高い方のアンテナを選択して選択したアンテナで移動局１１Ａは通話を行なう。
【０１３０】
今、割り当てられた通話チャネルは、スロット０としているので、スロット０の直前のスロットであるスロット２におけるアンテナ１１Ａ−１，１１Ａ−２の受信レベルをそれぞれアンテナ切替えダイバーシチ用レベル測定間内で測定し、受信レベルの高い方のアンテナを選択する。
例えば、アンテナ１１Ａ−１の受信レベルが１０ｄＢμＶ、アンテナ１１Ａ−２の受信レベルが２０ｄＢμＶであれば、アンテナ選択部２５は、アンテナ１１Ａ−２の方を選択し、移動局１１Ａはこのアンテナ１１Ａ−２を使用して通話を行なう。
【０１３１】
ところで、上述のステップＳ２５において、通話チャネルとして割り当てられたスロット０と同じＴＲＸ１５の他のスロットであるスロット１又はスロット２が新たに通話チャネルとして割り当てられた場合、スロット１又はスロット２には、通話チャネルスロットのスロット０と同様に、それぞれ初期送信電力設定部３２で設定されている初期設定電力１Ｗ−４ｄＢが設定され、その後、スロット１又はスロット２を使用した通話が開始されると、通話中での送信電力の制御が行なわれる（ステップＳ２５のＹＥＳルートからステップＳ２９）。
【０１３２】
また、上述のステップＳ２６において、通話チャネルとして割り当てられたスロット０に対して通話中での送信電力の制御が行なわれていなければ、送信ＯＮした空きチャネルスロットのスロット２の下り送信電力が、スロット０での通話が終了するまでに、最適なアンテナ切替えダイバーシチのアンテナ１１Ａ−１，１１Ａ−２の選択を行なうために予め決められた、通話チャネルとして割り当てられたスロット０の送信電力値１Ｗ−４ｄＢと同じ値に設定されるまで、ステップＳ２５以降の処理が繰り返される（ステップＳ２６のＮＯルートからステップＳ２７，ステップＳ２７のＮＯルート）。
【０１３３】
スロット０での通話が終了した場合は、通話中／空チャネル送信電力制御部２６Ａ及び通話チャネル送信電力制御部３５によって、スロット２の下り送信電力が送信ＯＦＦされる（ステップＳ２７のＹＥＳルートからステップＳ２８）。
次に、移動局１１Ａに対する着呼動作について、図１９を参照しながら詳述する。
【０１３４】
すなわち、基地局１２−１は、固定電話器２０−１〜２０−Ｎなどの固定網から呼出要求があった場合に、図１１（ａ）に示すごとくフォーマットで呼出を移動局１１Ａに送出する。
移動局１１Ａは呼出を受信すると、図１１（ｂ）に示すごとくフォーマットで着信無線状態報告を基地局１２−１に送出するとともに、測定データ格納部２３に格納されている、移動局１１Ａが待ち受け時に測定した自ゾーン２１と周辺ゾーン２２の受信レベルを基地局１２−１に報告する。
【０１３５】
基地局１２−１は、この着信無線状態報告を移動局１１Ａから受信すると、基地局制御装置１９に着信無線状態報告を受信したことを通知し、この通知を受けた基地局制御装置１９は、チャネル割当部３４により、着信無線状態報告で報告された自ゾーン２１の受信レベルが十分品質を満足していれば、自ゾーン２１の空きチャネルを割り当てる。以降の動作は、図１６〜図１８により前述した移動局１１Ａからの発呼動作と同様にして、通話チャネル／空きチャネルの送信電力制御が行なわれる。
【０１３６】
以上のように、本発明の第１実施例の第２変形例にかかる移動体通信システムにおける空きチャネル送信電力制御方法によれば、基地局１２−１（〜１２−Ｎ）では、アンテナ切替えダイバーシチのアンテナ１１Ａ−１，１１Ａ−２の選択のために、図１８に示すごとく、空きチャネルであるスロット１，２のうちの１つのスロット２の全期間について、通話チャネルとして割り当てられたスロット０と同じ送信電力値（初期段階では１Ｗ−４ｄＢ）に追従して自動的に設定するので、この場合も、基地局１２−１（〜１２−Ｎ）の消費電力を大幅に削減できるとともに、極めて容易に、アンテナ切替えダイバーシチのアンテナ１１Ａ−１，１１Ａ−２の選択のための最適な送信電力値を、通話チャネルスロット０以外の空きチャネルスロット２に自動的に設定することができる。
【０１３７】
また、上述のごとく空きチャネルスロット２には、通話チャネルスロット０の送信電力値と同じ値に追従した送信電力値を設定するので、移動局１１Ａがゾーン２１のどの位置に存在しても、移動局１１Ａでは、確実に、アンテナ切替えダイバーシチのアンテナ１１Ａ−１，１１Ａ−２の選択を行なうことができるようになる。
【０１３８】
さらに、本実施例における基地局（基地局用送信電力制御装置）１２−１（〜１２−Ｎ）によれば、通話中／空きチャネル送信電力制御部２６Ａ及び空きチャネル送信電力決定部３１Ａをそなえることによって、上述の移動体通信システムにおける空きチャネル送信電力制御方法の実現に大いに寄与する。
（ａ−３）第１実施例の第３変形例の説明
図２０は本発明の第１実施例の第３変形例にかかる移動体通信システムにおける移動局及び基地局の詳細構成を示すブロック図で、この図２０においても、図５中に示す符号と同一符号が示すものはそれぞれ図５にて前述したものと同様のものである。そして、この図１６に示す基地局１２−１（〜１２−Ｎ）には、第１変形例において図１２により前述した通話中／空チャネル送信電力制御部２６Ｂと、第２変形例にて前述した，各スロット０〜２に対応した空チャネル送信電力決定部３１Ａと、通話チャネル送信電力値監視部３６とが設けられている。
【０１３９】
これにより、本変形例にかかる移動体通信システムにおける空きチャネル送信電力制御方法では、通話チャネルとして割り当てられたスロット以外の空きチャネルであるスロットを、第２変形例にて前述したごとく通話チャネルとして割り当てられたスロットの送信電力値と同じ送信電力値で送信することができるとともに、その期間を、第１変形例にて前述したごとく移動局１１Ａでのアンテナ切替えダイバーシチのアンテナ選択用受信レベル測定時間だけにすることができる。
【０１４０】
以下、この動作について、図２１に示すフローチャート（ステップＳ３２〜Ｓ４２）を併用して詳述する。
まず、この場合も、例えば、基地局１２−１のゾーン２１に存在する移動局１１Ａに発呼要求あると、移動局１１Ａは、図７（ａ）に示すフォーマットで発信無線状態報告を基地局１２−１に向けて送出するとともに、測定データ格納部２３に格納されている移動局１１Ａの待ち受け時に測定した自ゾーン２１と周辺ゾーン２２の受信レベルを基地局１２−１に報告する。
【０１４１】
そして、基地局１２−１は、この発信無線状態報告を移動局１１Ａから受信すると基地局制御装置１９に発信無線状態報告を受信したことを通知する。基地局制御装置１９は、チャネル割当部３４より、発信無線状態報告で報告されたゾーン２１の受信レベルが十分品質を満足していれば、初期送信電力設定部３２によって、ゾーン２１の空きチャネル（例えば、Ｎ番目のＴＲＸのスロットＭ）の送信電力として初期送信電力値を設定して送信ＯＮすることにより、この空きチャネルを通話チャネルとして割り当てる（ステップＳ３２）。
【０１４２】
このチャネル割当部３４により割り当てられた通話チャネルは、図７（ｂ）に示すフォーマットの無線チャネル指定で移動局１１Ａに通知され、通話開始となる。移動局１１Ａは、この無線チャネル指定で通話チャネルを通知されると、通知された通話チャネルへ移行し、その通話チャネルでの通話が開始される。
また、このように通話チャネルへ移行すると、移動局１１Ａは、自ゾーン２１と周辺ゾーン２２の受信レベルを測定し、自ゾーン２１と周辺ゾーン２２の受信レベルの差がある所定の値になったときに、その旨を基地局１２−１に通知し、基地局１２−１は、チャネル切替えを行なう強電界チャネル切替えで、移動局１１Ａが強電界を判定するための条件を、図８（ａ）に示すごとくフォーマットの無線状態報告情報により移動局１１Ａに通知する。
【０１４３】
さらに、基地局１２−１は、上述のごとく通話チャネルへ移行すると、通話中／空チャネル送信電力制御部２６Ｂによって、チャネル割当部３４の割り当てた通話チャネルが、基地局１２−１のどのＴＲＸ（ＴＲＸ１５かＴＲＸ１６）のどのスロット（スロット０〜２）かと、通話チャネルとして割り当てられたスロットと同じＴＲＸの他のスロット（図２１中では、Ｎ番目のＴＲＸのスロットＭの直前のスロットＬ）が通話中か通話中でないかの判定が行なわれる（ステップＳ３３）。
【０１４４】
そして、通話チャネルとして割り当てられたスロットと同じＴＲＸの他のスロットが通話チャネル（通話中）のスロットであれば、このスロットには空チャネル送信電力決定部３１Ａによる送信電力値の設定は行なわずに、初期送信電力値設定部３２によって、通話中に送信電力制御部３３で電力制御されるまでの送信電力である初期送信電力値の設定を行なう（ステップＳ３３のＮＯルートからステップＳ３４）。
【０１４５】
一方、割り当てられた通話チャネルのスロットと同じＴＲＸの他のスロットが通話中でなく空きチャネルである場合、又は、通話チャネルとして割り当てられた通話チャネルスロットと同じＴＲＸの他のスロットの内、通話チャネルとして割り当てられたスロットの直前のスロットが通話中でなく空きチャネルである場合には、移動局１１Ａがアンテナ切替えダイバーシチのアンテナ選択を行なうために、通話中／空チャネル送信電力制御部２６Ｂ及び空チャネル送信電力決定部３１によって、通話チャネルとして割り当てられたスロットと同じＴＲＸの他のスロットの内、通話チャネルとして割り当てられたスロットの直前の空チャネルであるスロットだけ送信ＯＮとされる。
【０１４６】
そして、この通話中／空チャネル送信電力制御部２６Ｂにより送信ＯＮされた空きチャネルスロットには、通話チャネルとして割り当てられたスロットと同じ初期送信電力値が設定され、且つ、アンテナ切替えダイバーシチ用受信レベル測定時間だけ送信ＯＮにされる（ステップＳ３３のＹＥＳルートからステップＳ３５）。
【０１４７】
さらに、基地局１２−１は、通話チャネルとして割り当てられたスロット０の直前の空きチャネルであるスロット２（図２１中では、Ｎ番目のＴＲＸのスロットＬ）が、その後、基地局制御装置１９のチャネル割当部３４によって、新たに通話チャネルとして割り当てられたかを判定する（ステップＳ３６）。
この結果、空きチャネルであったスロット２が新たに通話チャネルとして割り当てられていない場合は、基地局１２−１は、通話チャネルとして割り当てられたスロット０（図２１中では、Ｎ番目のＴＲＸのスロットＭ）が送信電力制御部３３により通話中での送信電力の制御を施されたかどうかが通話中／空チャネル送信電力制御部２６Ｂによって判定される（ステップＳ３６のＮＯルートからステップＳ３７）。
【０１４８】
そして、スロット０に対して送信電力制御部３３による通話中での送信電力の制御が行なわれていれば、通話中／空チャネル送信電力制御部２６Ａは、移動局１１Ａから報告された下り通話チャネルの受信レベルと、下りの送信電力制御を行なうための基準受信レベルとを比較して、移動局１１Ａから報告された下り通話チャネルの受信レベルが基準受信レベルに収束するように下りの送信電力値を決定し、その送信電力値をスロット０の下り送信電力として送信電力設定部２７の下り送信電力設定部３０を通じて設定する（ステップＳ３７のＹＥＳルートからステップＳ４１）。
【０１４９】
例えば、今、図２２に示すように、割り当てられた通話チャネルスロットがスロット０で、通話チャネルとして割り当てられたスロットと同じＴＲＸ（例えば、ＴＲＸ１５）のスロット１とスロット２とが空きチャネルである場合には、通話チャネルとして割り当てられたスロット０は、通話中／空チャネル送信電力制御部２６Ｂ及び通話チャネル送信電力制御部３５によって、その下り送信電力が送信電力設定部２７の初期送信電力値設定部３２で設定されている初期送信電力値１Ｗ−４ｄＢに設定される。
【０１５０】
また、このとき、基地局１２−１は、通話チャネル送信電力値監視部３６によって、通話チャネルとして割り当てられた通話チャネルスロットの送信電力値がいくつになっているかを監視しており、空チャネル送信電力決定部３１Ａにより、通話中／空チャネル送信電力制御部２６Ｂで送信ＯＮされた空きチャネルの下り送信電力値が、通話チャネル送信電力値監視部３６で監視している通話チャネルスロットの下り送信電力値の中で、送信ＯＮされた通話チャネルスロット０の下り送信電力値１Ｗ−４ｄＢと同じ値に追従して設定される（ステップＳ４２）。
【０１５１】
一方、移動局１１Ａは、受信レベル測定部２４により、通話チャネルであるスロットの受信レベルを測定し、その測定結果を基地局１２−１に報告するとともに、アンテナ切替えダイバーシチ機能によるアンテナ１１Ａ−１，１１Ａ−２の選択を行なうために、通話チャネルとして割り当てられた通話チャネルスロットの直前のスロットにおけるアンテナ１１Ａ−１，１１Ａ−２の受信レベルをそれぞれアンテナ切替えダイバーシチ用レベル測定時間（各スロットの期間よりも短い期間）内で測定し、アンテナ選択部２５により、受信レベルの高い方のアンテナを選択して選択したアンテナで移動局１１Ａは通話を行なう。
【０１５２】
今、割り当てられた通話チャネルは、スロット０としているので、スロット０の直前のスロットであるスロット２におけるアンテナ１１Ａ−１，１１Ａ−２の受信レベルをそれぞれアンテナ切替えダイバーシチ用レベル測定間内で測定し、受信レベルの高い方のアンテナを選択する。
例えば、アンテナ１１Ａ−１の受信レベルが１０ｄＢμＶ、アンテナ１１Ａ−２の受信レベルが２０ｄＢμＶであれば、アンテナ選択部２５は、アンテナ１１Ａ−２の方を選択し、移動局１１Ａはこのアンテナ１１Ａ−２を使用して通話を行なう。
【０１５３】
ところで、上述のステップＳ３６において、通話チャネルとして割り当てられたスロット０と同じＴＲＸ１５の他のスロットであるスロット１又はスロット２が新たに通話チャネルとして割り当てられた場合、スロット１又はスロット２には、通話チャネルスロットのスロット０と同様に、それぞれ初期送信電力設定部３２で設定されている初期設定電力１Ｗ−４ｄＢが設定され、その後、スロット１又はスロット２を使用した通話が開始されると、通話中での送信電力の制御が行なわれる（ステップＳ３６のＹＥＳルートからステップＳ４０）。
【０１５４】
また、上述のステップＳ３７において、通話チャネルとして割り当てられたスロット０に対して通話中での送信電力の制御が行なわれていなければ、この通話チャネルスロット０での通話が終了したかどうかの判定が行なわれ（ステップＳ３７のＮＯルートからステップＳ３８）、終了していなければ、再び、通話チャネルスロット０以外の空きチャネルであるスロット２が、新たに通話チャネルとして割り当てられたかどうかの判定が行なわれる（ステップＳ３８のＮＯルート）。
【０１５５】
一方、通話チャネルスロット０での通話が終了した場合は、通話中／空チャネル送信電力制御部２６Ａ及び通話チャネル送信電力制御部３５によって、スロット２の下り送信電力が送信ＯＦＦされる（ステップＳ３８のＹＥＳルートからステップＳ３９）。
次に、移動局１１Ａに対する着呼動作について、図２３を参照しながら詳述する。
【０１５６】
すなわち、この場合も、基地局１２−１は、固定電話器２０−１〜２０−Ｎなどの固定網から呼出要求があった場合に、図１１（ａ）に示すごとくフォーマットで呼出を移動局１１Ａに送出し、移動局１１Ａは、この呼出を受信すると、図１１（ｂ）に示すごとくフォーマットで着信無線状態報告を基地局１２−１に送出するとともに、測定データ格納部２３に格納されている、移動局１１Ａが待ち受け時に測定した自ゾーン２１と周辺ゾーン２２の受信レベルを基地局１２−１に報告する。
【０１５７】
基地局１２−１は、この着信無線状態報告を移動局１１Ａから受信すると、基地局制御装置１９に着信無線状態報告を受信したことを通知し、この通知を受けた基地局制御装置１９は、チャネル割当部３４により、着信無線状態報告で報告された自ゾーン２１の受信レベルが十分品質を満足していれば、自ゾーン２１の空きチャネルを割り当てる。以降の動作は、図２０〜図２２により前述した移動局１１Ａからの発呼動作と同様にして、通話チャネル／空きチャネルの送信電力制御が行なわれる。
【０１５８】
以上のように、本発明の第１実施例の第３変形例にかかる移動体通信システムにおける空きチャネル送信電力制御方法によれば、移動局１１Ａでのアンテナ切替えダイバーシチのアンテナ１１Ａ−１，１１Ａ−２の選択を行なうために、基地局１２−１（〜１２−Ｎ）では、図２２に示すごとく、空きチャネルであるスロット１，２のうちの１つのスロット２を、その一部の期間、すなわち移動局１１Ａの受信レベル測定部２４によるアンテナ切替えダイバーシチのアンテナ選択用レベル測定時間だけ、通話チャネルとして割り当てられたスロット０の送信電力値と同じ値に追従して設定するので、基地局１２−１（〜１２−Ｎ）の消費電力を、さらに大幅に削減できるとともに、極めて容易に、アンテナ切替えダイバーシチのアンテナ１１Ａ−１，１１Ａ−２の選択に必要な送信電力値を、通話チャネルスロット０以外の空きチャネルであるスロット２に自動的に設定することができる。
【０１５９】
また、本実施例における基地局（基地局用送信電力制御装置）１２−１（〜１２−Ｎ）によれば、通話中／空きチャネル送信電力制御部２６Ｂ及び空きチャネル送信電力決定部３１Ａをそなえることによって、上述の移動体通信システムにおける空きチャネル送信電力制御方法の実現に大いに寄与する。
（ｂ）第２実施例の説明
図２４は本発明の第２実施例にかかる移動体通信システムの一例を示す図で、この図２４において、第１実施例において図４に示す符号と同一符号が示すものはそれぞれ図４にて前述したものと同様のものである。そして、本実施例にかかる移動体通信システムでは、基地局１２−１のゾーン（通信可能ゾーン）２１内に、アンテナ切替えダイバーシチ機能を有する移動局１１Ａの他に、アンテナ切替えダイバーシチ機能を持たない移動局１１Ｃが混在することを想定している。
【０１６０】
そして、図２５に示すように、本実施例における移動局１１Ａには、第１実施例にて前述したものとそれぞれ同様の測定データ格納部２３，受信レベル測定部２４，アンテナ選択部２５に加えて、ダイバーシチ判定部３７を有して構成され、基地局１２−１（〜１２−Ｎ）は、第１実施例の図５にて前述したものとそれぞれ同様の下り送信電力設定部３０，空チャネル送信電力決定部３１，通話チャネル送信電力制御部３５の他に、通話中／空チャネル送信電力制御部２６Ｃを有して構成されている。
【０１６１】
なお、移動局１１Ｃは、アンテナ切替えダイバーシチ機能を持たないので、移動局１１Ａのアンテナ選択部２５を省略した構成となる。
ここで、ダイバーシチ判定部３７は、移動局１１Ａの発呼／着呼時に、制御チャネルを使ってアンテナ切替えダイバーシチ機能を有する移動局かアンテナ切替えダイバーシチ機能を持たない移動局かを基地局１２−１（〜１２−Ｎ）へ制御チャネルを使用して通知するものである。
【０１６２】
また、通話中／空チャネル送信電力制御部２６Ｃは、移動局１１Ａ，１１Ｃからアンテナ切替えダイバーシチ機能付きの移動局であるのかそうでないのかという通知を制御チャネルを通じて受信するアンテナ切替えダイバーシチ情報受信部（図示略）を有している。
そして、この通話中／空チャネル送信電力制御部２６Ｃは、例えば、移動局１１Ａから制御チャネルを通じてアンテナ切替えダイバーシチ機能付きの移動局であるという通知を受けた場合は、移動局１１Ａでのアンテナ切替えダイバーシチのアンテナ１１Ａ−１，１１Ａ−２の選択を行なうために、空きチャネル送信電力決定部３１と協動して、通話チャネルとして割り当てられたスロット以外の空きチャネルである他のスロットのうちの１つのスロットについてだけ、送信ＯＮとして所要の送信電力値で送信を行なう一方、移動局１１Ｃからアンテナ切替えダイバーシチ機能付きの移動局でないという通知を受けた場合は、通話チャネルとして割り当てられたスロット以外の空きチャネルである他のスロットについては、送信ＯＦＦとして送信を行なわないよう空きチャネルの送信電力値を制御するようになっている。
【０１６３】
以下、本発明の第２実施例にかかる移動体通信システムにおける空きチャネルの送信電力制御方法について、図２６及び図２７に示すフローチャート（ステップＳ５１〜Ｓ７０）を併用して詳述する。
まず、移動局１１Ａ又は１１Ｃは、発呼要求があると（ステップＳ５１でＹＥＳと判定されると）、基地局１２−１に対して、図２８（ａ）に示すごとくフォーマットで発信無線状態報告を送出するとともに、測定データ格納部２３に格納されている移動局１１Ａ又は１１Ｃが待ち受け時に測定した自ゾーン２１と周辺ゾーン２２の受信レベルを報告する。
【０１６４】
このとき、移動局１１Ａ又は１１Ｂは、自己がアンテナ切替えダイバーシチ機能を有する移動局かを判定し（ステップＳ５２）、アンテナ切替えダイバーシチを有する移動局（移動局１１Ａ）であれば、移動局１１Ａは、発信無線状態報告を送出するときに、図２８（ｂ）及び図２８（ｃ）に示すごとくフォーマットで、アンテナ切替えダイバーシチ機能を有する移動局であることを基地局１２−１に通知する（ステップＳ５２のＹＥＳルートからステップＳ５３）。
【０１６５】
一方、アンテナ切替えダイバーシチを持たない移動局（移動局１１Ｃ）であれば、移動局１１Ｃは、発信無線状態報告を送出するときに、図２８（ｂ）及び図２８（ｃ）に示すごとくフォーマットで、アンテナ切替えダイバーシチ機能を持たない移動局であることを基地局１２−１に通知する（ステップＳ５２のＮＯルートからステップＳ５４）。
【０１６６】
そして、基地局１２−１は、この発信無線状態報告を移動局１１Ａ又は１１Ｃから受信すると基地局制御装置１９に発信無線状態報告を受信したことを通知する。基地局制御装置１９は、チャネル割当部３４より、発信無線状態報告で報告された自ゾーン２１の受信レベルが十分品質を満足していれば、初期送信電力設定部３２によって、自ゾーン２１の空きチャネル（図２７中では、Ｎ番目のＴＲＸのスロットＭ）の送信電力として初期送信電力値を設定して送信ＯＮすることにより、この空きチャネルを通話チャネルとして割り当てる（ステップＳ５５）。
【０１６７】
このチャネル割当部３４により割り当てられた通話チャネルは、図７（ｂ）に示すごとくフォーマットの無線チャネル指定で移動局１１Ａ又は１１Ｃに通知され、通話開始となる。移動局１１Ａ又は１１Ｃは、この無線チャネル指定で通話チャネルを通知されると、通知された通話チャネルへ移行し、その通話チャネルでの通話が開始される。
【０１６８】
また、このように通話チャネルへ移行すると、移動局１１Ａ又は１１Ｃは、ゾーン２１とゾーン２２の受信レベルを測定し、自ゾーン２１と周辺ゾーン２２の受信レベルの差がある所定の値になったときに、その旨を基地局１２−１に通知し、基地局１２−１は、チャネル切替えを行なう強電界チャネル切替えで、移動局１１Ａ又は１１Ｃが強電界を判定するための条件を、図８（ａ）に示すごとくフォーマットの無線状態報告情報により移動局１１Ａ又は１１Ｃに通知する。
【０１６９】
さらに、基地局１２−１は、上述のごとく通話チャネルへ移行すると、通話中／空チャネル送信電力制御部２６Ｃによって、チャネル割当部３４の割り当てた通話チャネルが、基地局１２−１のどのＴＲＸ（ＴＲＸ１５かＴＲＸ１６）のどのスロット（スロット０〜２）かと、通話チャネルとして割り当てられたスロットと同じＴＲＸの他のスロット（図２７中では、Ｎ番目のＴＲＸのスロットＭの直前のスロットＬ）が通話中か通話中でないか（空きチャネルであるか否か）の判定が行なわれる（ステップＳ５６）。
【０１７０】
そして、通話チャネルとして割り当てられたスロットと同じＴＲＸの他のスロットが通話チャネル（通話中）のスロットであれば、このスロットには空チャネル送信電力決定部３１による送信電力値の設定は行なわずに、通話チャネルスロットの下り送信電力を、初期送信電力値設定部３２によって、通話中に送信電力制御部３３で電力制御されるまでの送信電力である初期送信電力値に設定する（ステップＳ５６のＮＯルートからステップＳ５７）。
【０１７１】
一方、割り当てられた通話チャネルのスロットと同じＴＲＸの他のスロットが通話中でなく空きチャネルである場合は、基地局１２−１は、通話中／空チャネル送信電力制御部２６Ｃによって、上述のステップＳ５３又はステップＳ５４で移動局１１Ａ又は１１Ｃから報告された発信無線状態報告から、発呼要求のあった移動局が、アンテナ切替えダイバーシチ機能付きの移動局１１Ａであるのか、アンテナ切替えダイバーシチ機能を持たない移動局１１Ｃであるのかを判定する（ステップＳ５８）。
【０１７２】
この結果、アンテナ切替えダイバーシチ機能付きの移動局１１Ａであった場合、基地局１２−１は、通話中／空チャネル送信電力制御部２６Ｃによって、移動局１１Ａがアンテナ切替えダイバーシチのアンテナ選択を行なうために、通話チャネルとして割り当てられたスロットと同じＴＲＸの他のスロットの内、通話チャネルとして割り当てられたスロットの直前のスロットだけ送信ＯＮとする。
【０１７３】
そして、空チャネル送信電力決定部３１により、通話中／空チャネル送信電力制御部２６Ｃによって送信ＯＮされた空きチャネルスロットの下り送信電力値を、最適なアンテナ切替えダイバーシチのアンテナ選択を行なうために予め決められた固定値の送信電力値にその空きチャネルスロットの全期間について設定する（ステップＳ５８のＹＥＳルートからステップＳ５９）。
【０１７４】
例えば、今、図２９（ａ）に示すように、割り当てられた通話チャネルスロットがスロット０で、通話チャネルとして割り当てられたスロットと同じＴＲＸ（例えば、ＴＲＸ１５）のスロット１とスロット２とが空きチャネルである場合には、通話チャネルとして割り当てられたスロット０は、通話中／空チャネル送信電力制御部２６Ｃ及び通話チャネル送信電力制御部３５によって、その下り送信電力が送信電力設定部２７の初期送信電力値設定部３１で設定されている初期送信電力値１Ｗ−４ｄＢに設定される。
【０１７５】
また、このとき、通話チャネルとして割り当てられたスロット０と同じＴＲＸ１５の他のスロット１，２の内、スロット１は、通話中／空チャネル送信電力制御部２６Ｃ及び空チャネル送信電力制御部３１によって、送信ＯＦＦに設定され、通話チャネルとして割り当てられたスロット０の直前のスロット２はその全期間について送信ＯＮにされる。
【０１７６】
具体的に、この送信ＯＮされた空きチャネルであるスロット２の下り送信電力は、最適なアンテナ切替えダイバーシチのアンテナ選択を行なうために、送信電力設定部２９の空チャネル送信電力決定部３１によって、通話チャネルとして割り当てられたスロット０の送信電力値１Ｗ−４ｄＢよりも低い固定の送信電力値１Ｗ−８ｄＢに設定される。
【０１７７】
そして、基地局１２−１は、通話チャネルとして割り当てたスロット０を、その通話が終了するまで通話中での送信電力制御を行なうとともに、通話チャネルとして割り当てられたスロット０の直前の空きチャネルであるスロット２（図２７中では、Ｎ番目のＴＲＸのスロットＬ）が、その後、基地局制御装置１９のチャネル割当部３４によって、新たに通話チャネルとして割り当てられたかを判定する（ステップＳ６０）。
【０１７８】
この結果、スロット２が新たに通話チャネルとして割り当てられていない場合は、基地局１２−１は、通話チャネルとして割り当てられたスロット０（図２７中では、Ｎ番目のＴＲＸのスロットＭ）が、送信電力設定部２７の送信電力制御部３３によって、通話中での送信電力の制御を施されたかどうかの判定を通話中／空チャネル送信電力制御部２６Ｃによって行なう（ステップＳ６０のＮＯルートからステップＳ６１）。
【０１７９】
そして、スロット０に対して送信電力制御部３３によって通話中での送信電力の制御が行なわれていれば、通話中／空チャネル送信電力制御部２６Ｃは、移動局１１Ａから報告された下り通話チャネルの受信レベルと、下りの送信電力制御を行なうための基準受信レベルとを比較して、移動局１１Ａから報告された下り通話チャネルの受信レベルが基準受信レベルに収束するように下りの送信電力値を決定し、その送信電力値をスロット０の下り送信電力として送信電力設定部２７の下り送信電力設定部３０を通じて設定する（ステップＳ６１のＹＥＳルートからステップＳ６５）。
【０１８０】
一方、移動局１１Ａは、受信レベル測定部２４により、通話チャネルであるスロットの受信レベルを測定するとともに、アンテナ切替えダイバーシチ機能によるアンテナ１１Ａ−１，１１Ａ−２の選択を行なうために、通話チャネルとして割り当てられた通話チャネルスロットの直前のスロットにおけるアンテナ１１Ａ−１，１１Ａ−２の受信レベルをそれぞれアンテナ切替えダイバーシチ用レベル測定時間（各スロットの期間よりも短い期間）内で測定し、アンテナ選択部２５により、受信レベルの高い方のアンテナを選択して選択したアンテナで移動局１１Ａは通話を行なう。
【０１８１】
今、割り当てられた通話チャネルは、スロット０としているので、スロット０の直前のスロットであるスロット２におけるアンテナ１１Ａ−１，１１Ａ−２の受信レベルをそれぞれアンテナ切替えダイバーシチ用レベル測定間内で測定し、受信レベルの高い方のアンテナを選択する。
例えば、アンテナ１１Ａ−１の受信レベルが１０ｄＢμＶ、アンテナ１１Ａ−２の受信レベルが２０ｄＢμＶであれば、アンテナ選択部２５は、アンテナ１１Ａ−２の方を選択し、移動局１１Ａはこのアンテナ１１Ａ−２を使用して通話を行なう。
【０１８２】
ところで、上述のステップＳ６０において、通話チャネルとして割り当てられたスロット０と同じＴＲＸ１５の他のスロットであるスロット１又はスロット２が新たに通話チャネルとして割り当てられた場合、スロット１又はスロット２には、通話チャネルスロットのスロット０と同様に、それぞれ初期送信電力設定部３２で設定されている初期設定電力１Ｗ−４ｄＢが設定され、その後、スロット１又はスロット２を使用した通話が開始されると、通話中での送信電力の制御が行なわれる（ステップＳ６０のＹＥＳルートからステップＳ６４）。
【０１８３】
また、上述のステップＳ６１において、通話チャネルとして割り当てられたスロット０に対して通話中での送信電力の制御が行なわれていなければ、通話チャネルスロット０での通話が終了したかどうかの判定が行なわれ（ステップＳ６１のＮＯルートからステップＳ６２）、スロット０での通話が終了していなければ、再び、通話チャネルスロット０の直前の空きチャネルであるスロット２が、新たに通話チャネルとして割り当てられたかどうかの判定が行なわれる（ステップＳ６２のＮＯルート）。
【０１８４】
通話チャネルスロット０での通話が終了した場合は、通話中／空チャネル送信電力制御部２６Ｃ及び空チャネル送信電力制御部３１によって、スロット２の下り送信電力が送信ＯＦＦされる（ステップＳ６２のＹＥＳルートからステップＳ６３）。
ところで、上述のステップＳ５８において、発呼要求のあった移動局がアンテナ切替えダイバーシチ機能を持たない移動局１１Ｃであった場合は、通話中／空チャネル送信電力制御部２６Ｃ及び空チャネル送信電力制御部３１によって、図２９（ｂ）に示すごとく通話チャネルとして割り当てられたスロット０の直前のスロット２も送信ＯＦＦに設定される（ステップＳ５８のＮＯルートからステップＳ６６）。
【０１８５】
次に、移動局１１Ａ又は１１Ｃに対する着呼動作、つまり図２６のステップＳ５１において、移動局１１Ａ又は１１Ｃに発呼要求がなかった場合以降の動作について、図３０を参照しながら詳述する。
すなわち、例えば、固定電話器２０−１〜２０−Ｎなどの固定網から呼出要求があった場合に、基地局１２−１は、図１１（ａ）に示すごとくフォーマットで呼出を移動局１１Ａ又は１１Ｃに送出する。移動局１１Ａ又は１１Ｃは、呼出を受信すると図３１に示すごとくフォーマットで着信無線状態報告を基地局１２−１に送出する。このとき、移動局１１Ａ又は１１Ｃは、測定データ格納部２３に格納されている、移動局１１Ａ又は１１Ｃが待ち受け時に測定した自ゾーン２１と周辺ゾーン２２の受信レベルを基地局１２−１に報告する（ステップＳ６７のＹＥＳルートからステップＳ６８）。
【０１８６】
また、移動局１１Ａ又は１１Ｃは、着信無線状態報告を送出するときに、図２８（ｂ）及び図２８（ｃ）に示すごとくフォーマットで、自己がアンテナ切替えダイバーシチ機能を有する移動局か、アンテナ切替えダイバーシチ機能を持たない移動局かを基地局１２−１に報告する（ステップＳ６８のＹＥＳルート及びＮＯルートからステップＳ６９，ステップＳ７０）。
【０１８７】
基地局１２−１は、この着信無線状態報告を受信すると基地局制御装置１９に着信無線状態報告を受信したことを通知し、通知を受けた基地局制御装置１９は、チャネル割当部３４により、着信無線状態報告で報告された自ゾーン２１の受信レベルが十分品質を満足していれば、自ゾーン２１の空チャネルを割り当てる。以降は、図２５〜図２９にて前述した移動局１１Ａ又は１１Ｃに発呼要求がある場合の動作と同様にして、通話チャネル／空きチャネルの送信電力制御が行なわれる。
【０１８８】
以上のように、本発明の第２実施例にかかる移動体通信システムにおける空きチャネル送信電力制御方法によれば、アンテナ切替えダイバーシチ機能を有する移動局１１Ａと、アンテナ切替えダイバーシチ機能を持たない移動局１１Ｃとが基地局１２−１の通信可能ゾーン２１内に混在する場合でも、基地局１２−１では、移動局１１Ａ又は１１Ｃからアンテナ切替えダイバーシチ機能付きの移動局であるのかそうでないのかという通知を制御チャネルを使用して受けるので、移動局１１Ａ又は１１Ｃとの通信に際して、アンテナ切替えダイバーシチのアンテナ選択を行なうために通話チャネルとして割り当てられたスロット０以外のスロット１，２を送信ＯＮとする必要があるのかどうかを認識することができるようになる。
【０１８９】
これにより、基地局１２−１では、移動局１１Ａからアンテナ切替えダイバーシチ機能付きの移動局であるという通知を受けた場合は、移動局１１Ａでのアンテナ切替えダイバーシチのアンテナ１１Ａ−１，１１Ａ−２の選択を行なうために、通話チャネルとして割り当てられたスロット０以外の空きチャネルである他のスロットのうちの１つのスロット２についてだけ送信ＯＮとして所要の送信電力値で送信を行なう一方、移動局１１Ｃからアンテナ切替えダイバーシチ機能を持たない移動局であるという通知を受けた場合は、基地局１２−１では、通話チャネルとして割り当てられたスロット０以外の空きチャネルである他のスロット１，２については、送信ＯＦＦとして送信を行なわないようにすることができる。
【０１９０】
従って、本実施例でもアンテナ切替えダイバーシチ機能を有する移動局１１Ａとの通信に際しては、従来のように、移動局１１Ａでのアンテナ切替えダイバーシチのアンテナ１１Ａ−１，１１Ａ−２の選択を行なうために空きチャネル全てを送信ＯＮとする必要はなく、また、アンテナ切替えダイバーシチ機能を持たない移動局１１Ｃとの通信に際しては、全ての空きチャネルを送信ＯＦＦとするので、基地局１２−１（〜１２−Ｎ）の消費電力を大幅に削減することができるという利点がある。
【０１９１】
また、移動局１１Ａからアンテナ切替えダイバーシチ機能付きの移動局であるという通知を受けた場合、基地局１２−１では、スロット２についてのみ全期間所要の送信電力値で送信を行なうので、基地局１２−１の消費電力を抑えつつ、移動局１１Ａでのアンテナ切替えダイバーシチのアンテナ１１Ａ−１，１１Ａ−２の選択も確実に行なうことができるという利点がある。
【０１９２】
さらに、具体的に、本実施例でも、基地局１２−１は、移動局１１Ａからアンテナ切替えダイバーシチ機能付きの移動局であるという通知を受けた場合、通話チャネルとして割り当てられたスロット０以外の空きチャネルであるスロット２については、図２９（ａ）を用いて前述したごとく通話チャネルとして割り当てられたスロット０の送信電力値１Ｗ−４ｄＢよりも低い送信電力値１Ｗ−８ｄＢで送信を行なうので、従来のように空きチャネルスロット１，２については無条件で基地局１２−１の送信できる最大送信電力１Ｗ−０ｄＢで送信されるということがなく、これにより、さらに基地局１２−１（〜１２−Ｎ）の消費電力を大幅に削減することができる。
【０１９３】
また、このように、空きチャネルスロット１，２については無条件で基地局１２−１の送信できる最大送信電力１Ｗ−０ｄＢで送信されるということがないので、基地局１２−１の送信電力が必要以上に大きいために、他の移動局１１Ｂや基地局１２−２〜１２−Ｎに無線波の干渉などの影響を与えることも極めて少なくなる。
【０１９４】
さらに、このとき、基地局１２−１は、通話チャネルとして割り当てられたスロット０以外の空きチャネルであるスロット０の直前のスロット２の全期間についてのみ、スロット０の送信電力値１Ｗ−４ｄＢよりも低い送信電力値１Ｗ−８ｄＢで送信を行なうので、基地局１２−１（〜１２−Ｎ）の消費電力を抑えつつ、より確実に、移動局１１Ａでのアンテナ切替えダイバーシチのアンテナ１１Ａ−１，１１Ａ−２の選択を行なうことができる。
【０１９５】
また、本実施例における基地局（基地局用送信電力制御装置）１２−１（〜１２−Ｎ）によれば、通話中／空きチャネル送信電力制御部２６Ｃ及び空きチャネル送信電力決定部３１をそなえることによって、上述の移動体通信システムにおける空きチャネル送信電力制御方法の実現に大いに寄与する。
（ｂ−１）第２実施例の第１変形例の説明
図３２は本発明の第２実施例の第１変形例にかかる移動局及び基地局の詳細構成を示すブロック図で、この図３２において、図２５中に示す符号と同一符号が示す部分はそれぞれ図２５に示すものと同様のものである。そして、この図３２に示す基地局１２−１（〜１２−Ｎ）は、図２５に示す通話中／空チャネル送信電力制御部２６Ｃに代えて、通話中／空チャネル送信電力制御部２６Ｄを有して構成されている。
【０１９６】
ここで、この通話中／空チャネル送信電力制御部２６Ｄも、移動局１１Ａ，１１Ｃからアンテナ切替えダイバーシチ機能付きの移動局であるのかそうでないのかという通知を受信するアンテナ切替えダイバーシチ情報受信部（図示略）を有している。
そして、本変形例における通話中／空チャネル送信電力制御部２６Ｄが図２５に示す通話中／空チャネル送信電力制御部２６Ｃと異なるのは、例えば、移動局１１Ａからアンテナ切替えダイバーシチ機能付きの移動局であるという通知を受けた場合に、移動局１１Ａでのアンテナ切替えダイバーシチのアンテナ１１Ａ−１，１１Ａ−２の選択を行なうために、空チャネル送信電力決定部３１と協動して、通話チャネルとして割り当てられたスロット以外の空きチャネルである他のスロットのうちの１つのスロットの一部の期間についてだけ、所要の送信電力値で送信を行なうようになっていることである。
【０１９７】
以下、本発明の第２実施例の第１変形例にかかる移動体通信システムにおける空きチャネル送信電力制御方法について、図３３及び図３４に示すフローチャート（ステップＳ７１〜Ｓ９０）を併用して詳述する。
まず、この場合も、移動局１１Ａ又は１１Ｃは、発呼要求があると（ステップＳ７１でＹＥＳと判定されると）、基地局１２−１に対して、図２８（ａ）に示すごとくフォーマットで発信無線状態報告を送出するとともに、測定データ格納部２３に格納されている移動局１１Ａ又は１１Ｃが待ち受け時に測定した自ゾーン２１と周辺ゾーン２２の受信レベルを報告する。
【０１９８】
このとき、移動局１１Ａ又は１１Ｃは、自己がアンテナ切替えダイバーシチ機能を有する移動局かを判定し（ステップＳ７２）、アンテナ切替えダイバーシチを有する移動局（移動局１１Ａ）であれば、移動局１１Ａは、発信無線状態報告を送出するときに、図２８（ｂ）及び図２８（ｃ）に示すごとくフォーマットで、アンテナ切替えダイバーシチ機能を有する移動局であることを基地局１２−１に通知する（ステップＳ７２のＹＥＳルートからステップＳ７３）。
【０１９９】
一方、アンテナ切替えダイバーシチを持たない移動局（移動局１１Ｃ）であれば、移動局１１Ｃは、発信無線状態報告を送出するときに、同じく図２８（ｂ）及び図２８（ｃ）に示すごとくフォーマットで、アンテナ切替えダイバーシチ機能を持たない移動局であることを基地局１２−１に通知する（ステップＳ７２のＮＯルートからステップＳ７４）。
【０２００】
そして、基地局１２−１は、この発信無線状態報告を移動局１１Ａ又は１１Ｃから受信すると基地局制御装置１９に発信無線状態報告を受信したことを通知する。基地局制御装置１９は、チャネル割当部３４より、発信無線状態報告で報告されたゾーン２１の受信レベルが十分品質を満足していれば、初期送信電力設定部３２によって、ゾーン２１の空きチャネル（図３４中では、Ｎ番目のＴＲＸのスロットＭ）の送信電力として初期送信電力値を設定して送信ＯＮすることにより、この空きチャネルを通話チャネルとして割り当てる（ステップＳ７５）。
【０２０１】
このチャネル割当部３４により割り当てられた通話チャネルは、図７（ｂ）に示すごとくフォーマットの無線チャネル指定で移動局１１Ａ又は１１Ｃに通知され、通話開始となる。移動局１１Ａ又は１１Ｃは、この無線チャネル指定で通話チャネルを通知されると、制御チャネルから通知された通話チャネルへ移行し、その通話チャネルでの通話が開始される。
【０２０２】
また、このように通話チャネルへ移行すると、移動局１１Ａ又は１１Ｃは、ゾーン２１とゾーン２２の受信レベルを測定し、ゾーン２１とゾーン２２の受信レベルの差がある所定の値になったときに、その旨を基地局１２−１に通知し、基地局１２−１は、チャネル切替えを行なう強電界チャネル切替えで、移動局１１Ａ又は１１Ｃが強電界を判定するための条件を、図８（ａ）に示すごとくフォーマットの無線状態報告情報により移動局１１Ａ又は１１Ｃに通知する。
【０２０３】
さらに、基地局１２−１は、上述のごとく通話チャネルへ移行すると、通話中／空チャネル送信電力制御部２６Ｄによって、チャネル割当部３４の割り当てた通話チャネルが、基地局１２−１のどのＴＲＸ（ＴＲＸ１５かＴＲＸ１６）のどのスロット（スロット０〜２）かと、通話チャネルとして割り当てられたスロットと同じＴＲＸの他のスロット（図３４中では、Ｎ番目のＴＲＸのスロットＭの直前のスロットＬ）が通話中か通話中でないか（空きチャネルであるか否か）の判定が行なわれる（ステップＳ７６）。
【０２０４】
そして、通話チャネルとして割り当てられたスロットと同じＴＲＸの他のスロットが通話チャネル（通話中）のスロットであれば、このスロットには空チャネル送信電力決定部３１による送信電力値の設定は行なわずに、通話チャネルスロットの下り送信電力を、初期送信電力値設定部３２によって、通話中に送信電力制御部３３で電力制御されるまでの送信電力である初期送信電力値に設定する（ステップＳ７６のＮＯルートからステップＳ７７）。
【０２０５】
一方、割り当てられた通話チャネルのスロットと同じＴＲＸの他のスロットが通話中でなく空きチャネルである場合は、基地局１２−１は、通話中／空チャネル送信電力制御部２６Ｄによって、上述のステップＳ７３又はステップＳ７４（図３３参照）で移動局１１Ａ又は１１Ｃから報告された発信無線状態報告から、発呼要求のあった移動局が、アンテナ切替えダイバーシチ機能付きの移動局１１Ａであるのか、アンテナ切替えダイバーシチ機能を持たない移動局１１Ｃであるのかを判定する（ステップＳ７８）。
【０２０６】
この結果、アンテナ切替えダイバーシチ機能付きの移動局１１Ａであった場合、基地局１２−１は、通話中／空チャネル送信電力制御部２６Ｄによって、移動局１１Ａがアンテナ切替えダイバーシチのアンテナ１１Ａ−１，１１Ａ−２の選択を行なうために、通話チャネルとして割り当てられたスロットと同じＴＲＸ（例えば、ＴＲＸ１５）の他のスロットの内、通話チャネルとして割り当てられたスロットの直前のスロットだけ送信ＯＮとする。
【０２０７】
そして、この送信ＯＮされた空きチャネルスロットの下り送信電力値は、空チャネル送信電力決定部３１によって、その一部の期間についてだけ、アンテナ切替えダイバーシチのアンテナ選択を行なうために予め決められた最適な所要の送信電力値に設定されて送信ＯＮされる（ステップＳ７８のＹＥＳルートからステップＳ７９）。
【０２０８】
例えば、今、図３５（ａ）に示すように、割り当てられた通話チャネルスロットがスロット０で、通話チャネルとして割り当てられたスロットと同じＴＲＸ１５のスロット１とスロット２とが空きチャネルである場合には、通話チャネルとして割り当てられたスロット０は、通話中／空チャネル送信電力制御部２６Ｄ及び通話チャネル送信電力制御部３５によって、その下り送信電力が送信電力設定部２７の初期送信電力値設定部３１で設定されている初期送信電力値１Ｗ−４ｄＢに設定されて送信ＯＮされる。
【０２０９】
そして、通話チャネルとして割り当てられたスロット０と同じＴＲＸ１５の他のスロット１，２の内、スロット１は、通話中／空チャネル送信電力制御部２６Ｄ及び空チャネル送信電力制御部３１によって、送信ＯＦＦに設定され、通話チャネルとして割り当てられたスロット０の直前の空きチャネルスロット２は、アンテナ切替えダイバーシチのアンテナ選択用の受信レベルの測定時間だけ、送信ＯＮにされる。
【０２１０】
また、具体的に、この送信ＯＮされた空きチャネルであるスロット２の下り送信電力は、最適なアンテナ切替えダイバーシチのアンテナ選択を行なうために予め送信電力設定部２９の空チャネル送信電力決定部３１に設定されている、通話チャネルとして割り当てられたスロット０の送信電力値１Ｗ−４ｄＢよりも低い固定の送信電力値１Ｗ−８ｄＢに設定される。
【０２１１】
そして、基地局１２−１は、通話チャネルとして割り当てたスロット０を、その通話が終了するまで通話中での送信電力制御を行なうとともに、通話チャネルとして割り当てられたスロット０の直前の空きチャネルであるスロット２（図３４中では、Ｎ番目のＴＲＸのスロットＬ）が、その後、基地局制御装置１９のチャネル割当部３４によって、新たに通話チャネルとして割り当てられたかを判定する（ステップＳ８０）。
【０２１２】
この結果、スロット２が新たに通話チャネルとして割り当てられていない場合は、基地局１２−１は、通話チャネルとして割り当てられたスロット０（図３４中では、Ｎ番目のＴＲＸのスロットＭ）が、送信電力設定部２７の送信電力制御部３３によって、通話中での送信電力の制御を施されたかどうかの判定を通話中／空チャネル送信電力制御部２６Ｄによって行なう（ステップＳ８０のＮＯルートからステップＳ８１）。
【０２１３】
そして、スロット０に対して送信電力制御部３３によって通話中での送信電力の制御が行なわれていれば、通話中／空チャネル送信電力制御部２６Ｄは、移動局１１Ａから報告された下り通話チャネルの受信レベルと、下りの送信電力制御を行なうための基準受信レベルとを比較して、移動局１１Ａから報告された下り通話チャネルの受信レベルが基準受信レベルに収束するように下りの送信電力値を決定し、その送信電力値をスロット０の下り送信電力として送信電力設定部２７の下り送信電力設定部３０を通じて設定する（ステップＳ８１のＹＥＳルートからステップＳ８５）。
【０２１４】
一方、移動局１１Ａは、受信レベル測定部２４により、通話チャネルであるスロットの受信レベルを測定するとともに、アンテナ切替えダイバーシチ機能によるアンテナ１１Ａ−１，１１Ａ−２の選択を行なうために、通話チャネルとして割り当てられた通話チャネルスロットの直前のスロットにおけるアンテナ１１Ａ−１，１１Ａ−２の受信レベルをそれぞれアンテナ切替えダイバーシチ用レベル測定時間（各スロットの期間よりも短い期間）内で測定し、アンテナ選択部２５により、受信レベルの高い方のアンテナを選択して選択したアンテナで移動局１１Ａは通話を行なう。
【０２１５】
今、割り当てられた通話チャネルは、スロット０としているので、スロット０の直前のスロットであるスロット２におけるアンテナ１１Ａ−１，１１Ａ−２の受信レベルをそれぞれアンテナ切替えダイバーシチ用レベル測定間内で測定し、受信レベルの高い方のアンテナを選択する。
例えば、アンテナ１１Ａ−１の受信レベルが１０ｄＢμＶ、アンテナ１１Ａ−２の受信レベルが２０ｄＢμＶであれば、アンテナ選択部２５は、アンテナ１１Ａ−２の方を選択し、移動局１１Ａはこのアンテナ１１Ａ−２を使用して通話を行なう。
【０２１６】
ところで、上述のステップＳ８０において、通話チャネルとして割り当てられたスロット０と同じＴＲＸ１５の他の空きチャネルスロットであるスロット２が新たに通話チャネルとして割り当てられた場合、このスロット２には、通話チャネルスロットのスロット０と同様に、それぞれ初期送信電力設定部３２で設定されている初期設定電力１Ｗ−４ｄＢが設定され、その後、スロット１又はスロット２を使用した通話が開始されると、通話中での送信電力の制御が行なわれる（ステップＳ８０のＹＥＳルートからステップＳ８４）。
【０２１７】
また、上述のステップＳ８１において、通話チャネルとして割り当てられたスロット０に対して通話中での送信電力の制御が行なわれていなければ、通話チャネルスロット０での通話が終了したかどうかの判定が行なわれ（ステップＳ８１のＮＯルートからステップＳ８２）、通話が終了していれば、再び、通話チャネルとして割り当てられたスロット０の直前の空きチャネルであるスロット２が、新たに通話チャネルとして割り当てられたかどうかの判定が行なわれる（ステップＳ８２のＮＯルート）。
【０２１８】
一方、通話チャネルスロット０での通話が終了した場合は、通話中／空チャネル送信電力制御部２６Ｄ及び空チャネル送信電力制御部３１によって、スロット２の下り送信電力が送信ＯＦＦされる（ステップＳ８２のＹＥＳルートからステップＳ８３）。
ところで、上述のステップＳ８８において、発呼要求のあった移動局がアンテナ切替えダイバーシチ機能を持たない移動局１１Ｃであった場合は、アンテナ切替えダイバーシチのアンテナ選択用の送信を行なう必要はないので、通話中／空チャネル送信電力制御部２６Ｄ及び空チャネル送信電力制御部３１によって、図３５（ｂ）に示すごとく通話チャネルとして割り当てられたスロット０の直前のスロット２も送信ＯＦＦに設定される（ステップＳ７８のＮＯルートからステップＳ８６）。
【０２１９】
次に、移動局１１Ａ又は１１Ｃに対する着呼動作、つまり図３３のステップＳ７１において、移動局１１Ａ又は１１Ｃに発呼要求がなかった場合以降の動作について、図３３及び図３６を参照しながら詳述する。
すなわち、例えば、固定電話器２０−１〜２０−Ｎなどの固定網から呼出要求があった場合に、基地局１２−１は、図１１（ａ）に示すごとくフォーマットで呼出を移動局１１Ａ又は１１Ｃに送出する。移動局１１Ａ又は１１Ｃは、呼出を受信すると図３１に示すごとくフォーマットで着信無線状態報告を基地局１２−１に送出する。このとき、移動局１１Ａ又は１１Ｃは、測定データ格納部２３に格納されている、移動局１１Ａ又は１１Ｃが待ち受け時に測定した自ゾーン２１と周辺ゾーン２２の受信レベルを基地局１２−１に報告する（ステップＳ８７のＹＥＳルートからステップＳ８８）。
【０２２０】
また、移動局１１Ａ又は１１Ｃは、着信無線状態報告を送出するときに、図２８（ｂ）及び図２８（ｃ）に示すごとくフォーマットで、自己がアンテナ切替えダイバーシチ機能を有する移動局か、アンテナ切替えダイバーシチ機能を持たない移動局かを基地局１２−１に報告する（ステップＳ８８のＹＥＳルートからステップＳ８９，ステップＳ８８のＮＯルートからステップＳ９０）。
【０２２１】
基地局１２−１は、この着信無線状態報告を受信すると基地局制御装置１９に着信無線状態報告を受信したことを通知し、通知を受けた基地局制御装置１９は、チャネル割当部３４により、着信無線状態報告で報告された自ゾーン２１の受信レベルが十分品質を満足していれば、自ゾーン２１の空チャネルを割り当てる。以降は、図３２〜図３５にて前述した移動局１１Ａ又は１１Ｃに発呼要求がある場合の動作と同様にして、空きチャネルの送信電力制御が行なわれる。
【０２２２】
以上のように、本発明の第２実施例の第１変形例にかかる移動体通信システムにおける空きチャネル送信電力制御方法によれば、移動局１１Ａからアンテナ切替えダイバーシチ機能付きの移動局であるという通知を受けた場合は、基地局１２−１（〜１２−Ｎ）では、移動局１１Ａでのアンテナ切替えダイバーシチのアンテナ１１Ａ−１，１１Ａ−２の選択を行なうために、図３５（ａ）に示すごとく通話チャネルとして割り当てられたスロット０以外の空きチャネルである他のスロットのうちの１つのスロット２の一部の期間についてだけ、移動局１１Ａでのアンテナ切替えダイバーシチのアンテナ１１Ａ−１，１１Ａ−２の選択に最適な電力値１Ｗ−８ｄＢで送信を行なうことができる。
【０２２３】
従って、従来のように、移動局１１Ａでのアンテナ切替えダイバーシチのアンテナ１１Ａ−１，１１Ａ−２の選択を行なうためにスロット０以外の空きチャネル全てを送信ＯＮとする必要がないだけでなく、送信ＯＮするスロット２もその一部の期間だけ送信ＯＮとするので、これにより、基地局１２−１（〜１２−Ｎ）の消費電力をさらに大幅に削減することができるという利点がある。
【０２２４】
具体的に、上述の空きチャネルであるスロット２を送信ＯＮしておく期間は、移動局１１Ａでのアンテナ切替えダイバーシチのアンテナ選択用受信レベル測定時間だけでよいので、基地局１２−１（〜１２−Ｎ）では、通話チャネルとして割り当てられたスロット０の直前の空きチャネルであるスロット２のうちのアンテナ切替えダイバーシチのアンテナ選択用レベル測定時間についてだけ、通話チャネルとして割り当てられたスロット０の送信電力値１Ｗ−４ｄＢより低い送信電力値１Ｗ−８ｄＢで送信が行なわれる。
【０２２５】
従って、従来のように、アンテナ切替えダイバーシチのアンテナ１１Ａ−１，１１Ａ−２の選択のために空きチャネルスロットが無条件でその全期間、基地局１２−１の送信できる最大送信電力１Ｗ−０ｄＢに設定されることはなく、これにより、アンテナ切替えダイバーシチのアンテナ選択を確実に行なわせつつ、より効果的に、基地局１２−１（〜１２−Ｎ）の消費電力を大幅に削減することができる。
【０２２６】
また、本実施例における基地局（基地局用送信電力制御装置）１２−１（〜１２−Ｎ）によれば、通話中／空きチャネル送信電力制御部２６Ｄ及び空きチャネル送信電力決定部３１をそなえることによって、上述の移動体通信システムにおける空きチャネル送信電力制御方法の実現に大いに寄与する。
（ｂ−２）第２実施例の第２変形例の説明
図３７は本発明の第２実施例の第２変形例にかかる移動局及び基地局の詳細構成を示すブロック図で、この図３７において、図２５中に示す符号と同一符号が示す部分はそれぞれ図２５に示すものと同様のものである。そして、この図３７に示す基地局１２−１（〜１２−Ｎ）は、図２５に示す通話中／空チャネル送信電力制御部２６Ｃに代えて、通話中／空チャネル送信電力制御部２６Ｅを有して構成され、さらに、第１実施例の第２変形例において図１６により前述したものと同様の空チャネル送信電力決定部３１Ａ及び通話チャネル送信電力値監視部３６を有して構成されている。
【０２２７】
ここで、この通話中／空チャネル送信電力制御部２６Ｅも、移動局１１Ａ，１１Ｃからアンテナ切替えダイバーシチ機能付きの移動局であるのかそうでないのかという通知を受信するアンテナ切替えダイバーシチ情報受信部（図示略）を有している。
そして、本変形例における通話中／空チャネル送信電力制御部２６Ｅが図２５に示す通話中／空チャネル送信電力制御部２６Ｃと異なるのは、例えば、移動局１１Ａからアンテナ切替えダイバーシチ機能付きの移動局であるという通知を受けた場合に、移動局１１Ａでのアンテナ切替えダイバーシチのアンテナ１１Ａ−１，１１Ａ−２の選択を行なうために、空チャネル送信電力決定部３１と協動して、通話チャネルとして割り当てられたスロット以外の空きチャネルである他のスロットのうちの１つのスロットを、通話チャネル送信電力値監視部３６で監視している通話チャネルスロットの下り送信電力値と同じ値に設定するようになっていることである。
【０２２８】
以下、本発明の第２実施例の第２変形例にかかる移動体通信システムにおける空きチャネル送信電力制御方法について、図３８及び図３９に示すフローチャート（ステップＳ９１〜Ｓ１１１）を参照しながら詳述する。
まず、この場合も、移動局１１Ａ又は１１Ｃは、発呼要求があると（ステップＳ９１でＹＥＳと判定されると）、基地局１２−１に対して、図２８（ａ）に示すごとくフォーマットで発信無線状態報告を送出するとともに、測定データ格納部２３に格納されている移動局１１Ａ又は１１Ｃが待ち受け時に測定した自ゾーン２１と周辺ゾーン２２の受信レベルを報告する。
【０２２９】
このとき、移動局１１Ａ又は１１Ｂは、自己がアンテナ切替えダイバーシチ機能を有する移動局かを判定し（ステップＳ９２）、アンテナ切替えダイバーシチを有する移動局（移動局１１Ａ）であれば、移動局１１Ａは、発信無線状態報告を送出するときに、図２８（ｂ）及び図２８（ｃ）に示すごとくフォーマットで、アンテナ切替えダイバーシチ機能を有する移動局であることを基地局１２−１に通知する（ステップＳ９２のＹＥＳルートからステップＳ９３）。
【０２３０】
一方、アンテナ切替えダイバーシチを持たない移動局（移動局１１Ｃ）であれば、移動局１１Ｃは、発信無線状態報告を送出するときに、同じく図２８（ｂ）及び図２８（ｃ）に示すごとくフォーマットで、アンテナ切替えダイバーシチ機能を持たない移動局であることを基地局１２−１に通知する（ステップＳ９２のＮＯルートからステップＳ９４）。
【０２３１】
そして、基地局１２−１は、この発信無線状態報告を移動局１１Ａ又は１１Ｃから受信すると基地局制御装置１９に発信無線状態報告を受信したことを通知する。基地局制御装置１９は、チャネル割当部３４より、発信無線状態報告で報告されたゾーン２１の受信レベルが十分品質を満足していれば、初期送信電力設定部３２によって、ゾーン２１の空きチャネル（図３９では、Ｎ番目のＴＲＸのスロットＭ）の送信電力として初期送信電力値を設定して送信ＯＮすることにより、この空きチャネルを通話チャネルとして割り当てる（ステップＳ９５）。
【０２３２】
このチャネル割当部３４により割り当てられた通話チャネルは、図７（ｂ）に示すごとくフォーマットの無線チャネル指定で移動局１１Ａ又は１１Ｃに通知され、通話開始となる。移動局１１Ａ又は１１Ｃは、この無線チャネル指定で通話チャネルを通知されると、制御チャネルから通知された通話チャネルへ移行し、その通話チャネルでの通話が開始される。
【０２３３】
また、このように通話チャネルへ移行すると、移動局１１Ａ又は１１Ｃは、ゾーン２１とゾーン２２の受信レベルを測定し、ゾーン２１とゾーン２２の受信レベルの差がある所定の値になったときに、その旨を基地局１２−１に通知し、基地局１２−１は、チャネル切替えを行なう強電界チャネル切替えで、移動局１１Ａ又は１１Ｃが強電界を判定するための条件を、図８（ａ）に示すごとくフォーマットの無線状態報告情報により移動局１１Ａ又は１１Ｃに通知する。
【０２３４】
さらに、基地局１２−１は、上述のごとく通話チャネルへ移行すると、通話中／空チャネル送信電力制御部２６Ｅによって、チャネル割当部３４の割り当てた通話チャネルが、基地局１２−１のどのＴＲＸ（ＴＲＸ１５かＴＲＸ１６）のどのスロット（スロット０〜２）かと、通話チャネルとして割り当てられたスロットと同じＴＲＸの他のスロット（図２７中では、Ｎ番目のＴＲＸのスロットＭの直前のスロットＬ）が通話中か通話中でないか（空きチャネルであるか否か）の判定が行なわれる（ステップＳ９６）。
【０２３５】
そして、通話チャネルとして割り当てられたスロットと同じＴＲＸの他のスロットが通話チャネル（通話中）のスロットであれば、このスロットには空チャネル送信電力決定部３１Ａによる送信電力値の設定は行なわずに、通話チャネルスロットの下り送信電力を、初期送信電力値設定部３２によって、通話中に送信電力制御部３３で電力制御されるまでの送信電力である初期送信電力値に設定する（ステップＳ９６のＮＯルートからステップＳ９７）。
【０２３６】
一方、割り当てられた通話チャネルのスロットと同じＴＲＸの他のスロットが通話中でなく空きチャネルである場合は、基地局１２−１は、通話中／空チャネル送信電力制御部２６Ｅによって、上述のステップＳ９３又はステップＳ９４（図３８参照）で移動局１１Ａ又は１１Ｃから報告された発信無線状態報告から、発呼要求のあった移動局が、アンテナ切替えダイバーシチ機能付きの移動局１１Ａであるのか、アンテナ切替えダイバーシチ機能を持たない移動局１１Ｃであるのかを判定する（ステップＳ９６のＹＥＳルートからステップＳ９８）。
【０２３７】
この結果、アンテナ切替えダイバーシチ機能付きの移動局１１Ａであった場合、基地局１２−１は、通話中／空チャネル送信電力制御部２６Ｅによって、移動局１１Ａがアンテナ切替えダイバーシチのアンテナ１１Ａ−１，１１Ａ−２の選択を行なうために、通話チャネルとして割り当てられたスロットと同じＴＲＸ（例えば、ＴＲＸ１５）の他のスロットの内、通話チャネルとして割り当てられたスロットの直前のスロット２だけが送信ＯＮとされる。
【０２３８】
そして、この送信ＯＮされた空きチャネルスロット２の下り送信電力値は、最初は、通話中／空チャネル送信電力制御部２６Ｅ及び空チャネル送信電力決定部３１Ａによって、アンテナ切替えダイバーシチのアンテナ選択を行なうために、その全期間について、通話チャネルとして割り当てられたスロットと同じ初期送信電力値が設定される（ステップＳ９８のＹＥＳルートからステップＳ９９）。
【０２３９】
例えば、今、図４０（ａ）に示すように、割り当てられた通話チャネルスロットがスロット０で、通話チャネルとして割り当てられたスロットと同じＴＲＸ１５のスロット１とスロット２とが空きチャネルである場合には、通話チャネルとして割り当てられたスロット０は、通話中／空チャネル送信電力制御部２６Ｅ及び通話チャネル送信電力制御部３５によって、その下り送信電力が送信電力設定部２７の初期送信電力値設定部３２で設定されている初期送信電力値１Ｗ−４ｄＢに設定されて送信ＯＮされる。
【０２４０】
そして、通話チャネルとして割り当てられたスロット０と同じＴＲＸ１５の他のスロット１，２の内、スロット１は、通話中／空チャネル送信電力制御部２６Ｅ及び空チャネル送信電力制御部３１Ａによって、送信ＯＦＦに設定され、通話チャネルとして割り当てられたスロット０の直前の空きチャネルスロット２は、その全期間について、最適なアンテナ切替えダイバーシチのアンテナ選択を行なうために、通話チャネルとして割り当てられたスロット０に設定された初期送信電力値１Ｗ−４ｄＢと同じ送信電力値に設定される。
【０２４１】
そして、基地局１２−１は、通話チャネルとして割り当てたスロット０を、その通話が終了するまで通話中での送信電力制御を行なうとともに、通話チャネルとして割り当てられたスロット０の直前の空きチャネルであるスロット２（図３９中では、Ｎ番目のＴＲＸのスロットＬ）が、その後、基地局制御装置１９のチャネル割当部３４によって、新たに通話チャネルとして割り当てられたかを判定する（ステップＳ１００）。
【０２４２】
この結果、スロット２が新たに通話チャネルとして割り当てられた場合、このスロット２には、通話チャネルとして割り当てられたスロット０と同様に、それぞれ初期送信電力値１Ｗ−４ｄＢが設定される（ステップＳ１００のＹＥＳルートからステップＳ１０４）。
一方、スロット２が新たに通話チャネルとして割り当てられていない場合は、基地局１２−１は、初期送信電力値１Ｗ−４ｄＢを設定された通話チャネルスロット０（図３９中では、Ｎ番目のＴＲＸのスロットＭ）が、送信電力設定部２７の送信電力制御部３３によって、通話中での送信電力の制御を施されたかどうかの判定を通話中／空チャネル送信電力制御部２６Ｅによって行なう（ステップＳ１００のＮＯルートからステップＳ１０１）。
【０２４３】
そして、スロット０に対して送信電力制御部３３による通話中での送信電力の制御が行なわれていれば、通話中／空チャネル送信電力制御部２６Ｅは、移動局１１Ａから報告された下り通話チャネルの受信レベルと、下りの送信電力制御を行なうための基準受信レベルとを比較して、移動局１１Ａから報告された下り通話チャネルの受信レベルが基準受信レベルに収束するように下りの送信電力値を決定し、その送信電力値をスロット０の下り送信電力として送信電力設定部２７の下り送信電力設定部３０を通じて設定する（ステップＳ１０１のＹＥＳルートからステップＳ１０５）。
【０２４４】
さらに、このとき、基地局１２−１は、通話チャネル送信電力値監視部３６によって、通話チャネルスロット０の送信電力値を監視しており、通話チャネルとして割り当てられたスロット０の直前の空きチャネルであるスロット２の送信電力値（この段階では、１Ｗ−４ｄＢが設定されている）を、通話チャネル送信電力値監視部３６で監視している送信電力制御された通話チャネルスロット０の送信電力値と同じ送信電力値に追従して設定する（ステップＳ１０６）。
【０２４５】
一方、移動局１１Ａは、受信レベル測定部２４により、通話チャネルであるスロットの受信レベルを測定するとともに、アンテナ切替えダイバーシチ機能によるアンテナ１１Ａ−１，１１Ａ−２の選択を行なうために、通話チャネルとして割り当てられた通話チャネルスロットの直前のスロットにおけるアンテナ１１Ａ−１，１１Ａ−２の受信レベルをそれぞれアンテナ切替えダイバーシチ用レベル測定時間（各スロットの期間よりも短い期間）内で測定し、アンテナ選択部２５により、受信レベルの高い方のアンテナを選択して選択したアンテナで移動局１１Ａは通話を行なう。
【０２４６】
今、割り当てられた通話チャネルは、スロット０としているので、スロット０の直前のスロットであるスロット２におけるアンテナ１１Ａ−１，１１Ａ−２の受信レベルをそれぞれアンテナ切替えダイバーシチ用レベル測定間内で測定し、受信レベルの高い方のアンテナを選択する。
例えば、アンテナ１１Ａ−１の受信レベルが１０ｄＢμＶ、アンテナ１１Ａ−２の受信レベルが２０ｄＢμＶであれば、アンテナ選択部２５は、アンテナ１１Ａ−２の方を選択し、移動局１１Ａはこのアンテナ１１Ａ−２を使用して通話を行なう。
【０２４７】
ところで、上述のステップＳ１０１において、通話チャネルとして割り当てられたスロット０に対して通話中での送信電力の制御が行なわれていなければ、基地局１２−１では、通話チャネルとして割り当てられたスロット０での通話が終了したかどうかが判定され（ステップＳ１０１のＮＯルートからステップＳ１０２）、終了していなければ、再びこの通話チャネルとして割り当てられたスロット０の直前の空きチャネルであるスロット２が、新たに通話チャネルとして割り当てられたかどうかの判定が行なわれる（ステップＳ１０２のＮＯルート）。
【０２４８】
一方、スロット０での通話が終了した場合は、通話中／空きチャネル送信電力制御部２６Ｅ及び空チャネル送信電力制御部３１Ａによって、通話チャネルとして割り当てられたスロット０の直前の空きチャネルであるスロット２の下り送信電力は送信ＯＦＦにされる（ステップＳ１０２のＹＥＳルートからステップＳ１０３）。
【０２４９】
また、上述のステップＳ９８において、発呼要求のあった移動局がアンテナ切替えダイバーシチ機能を持たない移動局１１Ｃであった場合は、アンテナ切替えダイバーシチのアンテナ選択用の送信を行なう必要はないので、通話中／空チャネル送信電力制御部２６Ｅ及び空チャネル送信電力制御部３１Ａによって、図４０（ｂ）に示すごとく通話チャネルとして割り当てられたスロット０の直前のスロット２も送信ＯＦＦに設定される（ステップＳ９８のＮＯルートからステップＳ１０７）。
【０２５０】
次に、移動局１１Ａ又は１１Ｃに対する着呼動作、つまり図３８のステップＳ９１において、移動局１１Ａ又は１１Ｃに発呼要求がなかった場合以降の動作について、図３８及び図４１を参照しながら詳述する。
すなわち、例えば、固定電話器２０−１〜２０−Ｎなどの固定網から呼出要求があった場合に、基地局１２−１は、図１１（ａ）に示すごとくフォーマットで呼出を移動局１１Ａ又は１１Ｃに送出する。移動局１１Ａ又は１１Ｃは、呼出を受信すると図３１に示すごとくフォーマットで着信無線状態報告を基地局１２−１に送出する。このとき、移動局１１Ａ又は１１Ｃは、測定データ格納部２３に格納されている、移動局１１Ａ又は１１Ｃが待ち受け時に測定した自ゾーン２１と周辺ゾーン２２の受信レベルを基地局１２−１に報告する（ステップＳ１０８のＹＥＳルートからステップＳ１０９）。
【０２５１】
また、移動局１１Ａ又は１１Ｃは、着信無線状態報告を送出するときに、図２８（ｂ）及び図２８（ｃ）に示すごとくフォーマットで、自己がアンテナ切替えダイバーシチ機能を有する移動局か、アンテナ切替えダイバーシチ機能を持たない移動局かを基地局１２−１に報告する（ステップＳ１０９のＹＥＳルートからステップＳ１１０，ステップＳ１０９のＮＯルートからステップＳ１１１）。
【０２５２】
基地局１２−１は、この着信無線状態報告を受信すると基地局制御装置１９に着信無線状態報告を受信したことを通知し、通知を受けた基地局制御装置１９は、チャネル割当部３４により、着信無線状態報告で報告された自ゾーン２１の受信レベルが十分品質を満足していれば、自ゾーン２１の空チャネルを割り当てる。以降は、図３７〜図４０にて前述した移動局１１Ａ又は１１Ｃに発呼要求がある場合の動作と同様にして、空きチャネルの送信電力制御が行なわれる。
【０２５３】
以上のように、本発明の第２実施例の第２変形例にかかる移動体通信システムにおける空きチャネル送信電力制御方法によれば、移動局１１Ａからアンテナ切替えダイバーシチ機能付きの移動局であるという通知を受けた場合は、基地局１２−１（〜１２−Ｎ）では、図４０（ａ）に示すごとく通話チャネルとして割り当てられたスロット０以外の空きチャネルである他のスロットのうちの１つのスロット２のみその全期間について、通話チャネル送信電力監視部３６で監視している通話チャネルスロット０の送信電力値と同じ値に追従した送信電力値を設定するので、基地局１２−１の送信電力を抑えつつ、極めて容易に、アンテナ切替えダイバーシチのアンテナ１１Ａ−１，１１Ａ−２の選択のための最適な送信電力値を、通話チャネルスロット０以外の空きチャネルスロット２に自動的に設定することができる。
【０２５４】
また、上述のごとく空きチャネルスロット２には、通話チャネルスロット０の送信電力値と同じ値に追従した送信電力値を設定するので、移動局１１Ａがゾーン２１のどの位置に存在しても、移動局１１Ａでは、確実に、アンテナ切替えダイバーシチのアンテナ１１Ａ−１，１１Ａ−２の選択を行なうことができるようになる。
【０２５５】
さらに、本実施例における基地局（基地局用送信電力制御装置）１２−１（〜１２−Ｎ）によれば、通話中／空きチャネル送信電力制御部２６Ｅ及び空きチャネル送信電力決定部３１Ａをそなえることによって、上述の移動体通信システムにおける空きチャネル送信電力制御方法の実現に大いに寄与する。
（ｂ−３）第２実施例の第３変形例の説明
図４２は本発明の第２実施例の第３変形例にかかる移動局及び基地局の詳細構成を示すブロック図で、この図４２において、図２５中に示す符号と同一符号が示す部分はそれぞれ図２５に示すものと同様のものである。そして、この図４２に示す基地局１２−１（〜１２−Ｎ）は、図２５に示す通話中／空チャネル送信電力制御部２６Ｃに代えて、通話中／空チャネル送信電力制御部２６Ｆを有して構成され、さらに、第１実施例の第２変形例において図１６により前述したものと同様の空チャネル送信電力決定部３１Ａ及び通話チャネル送信電力値監視部３６を有して構成されている。
【０２５６】
ここで、この通話中／空チャネル送信電力制御部２６Ｆも、移動局１１Ａ，１１Ｃからアンテナ切替えダイバーシチ機能付きの移動局であるのかそうでないのかという通知を受信するアンテナ切替えダイバーシチ情報受信部（図示略）を有している。
そして、本変形例における通話中／空チャネル送信電力制御部２６Ｆが図２５に示す通話中／空チャネル送信電力制御部２６Ｃと異なるのは、移動局１１Ａからアンテナ切替えダイバーシチ機能付きの移動局であるという通知を受けた場合に、移動局１１Ａでのアンテナ切替えダイバーシチのアンテナ１１Ａ−１，１１Ａ−２の選択を行なうために、空チャネル送信電力決定部３１と協動して、通話チャネルとして割り当てられたスロット以外の空きチャネルである他のスロットのうちの１つのスロットを、その一部の期間についてのみ、通話チャネル送信電力値監視部３６で監視している通話チャネルスロットの下り送信電力値と同じ値に設定するようになっていることである。
【０２５７】
以下、本発明の第２実施例の第３変形例にかかる移動体通信システムにおける空きチャネル送信電力制御方法について、図４３及び図４４に示すフローチャート（ステップＳ１１２〜Ｓ１３２）を併用して詳述する。
まず、この場合も、移動局１１Ａ又は１１Ｃは、発呼要求があると（ステップＳ１１２でＹＥＳと判定されると）、基地局１２−１に対して、図２８（ａ）に示すごとくフォーマットで発信無線状態報告を送出するとともに、測定データ格納部２３に格納されている移動局１１Ａ又は１１Ｃが待ち受け時に測定した自ゾーン２１と周辺ゾーン２２の受信レベルを報告する。
【０２５８】
このとき、移動局１１Ａ又は１１Ｃは、自己がアンテナ切替えダイバーシチ機能を有する移動局かを判定し（ステップＳ１１３）、アンテナ切替えダイバーシチを有する移動局（移動局１１Ａ）であれば、移動局１１Ａは、発信無線状態報告を送出するときに、図２８（ｂ）及び図２８（ｃ）に示すごとくフォーマットで、アンテナ切替えダイバーシチ機能を有する移動局であることを基地局１２−１に通知する（ステップＳ１１３のＹＥＳルートからステップＳ１１４）。
【０２５９】
一方、アンテナ切替えダイバーシチを持たない移動局（移動局１１Ｃ）であれば、移動局１１Ｃは、発信無線状態報告を送出するときに、同じく図２８（ｂ）及び図２８（ｃ）に示すごとくフォーマットで、アンテナ切替えダイバーシチ機能を持たない移動局であることを基地局１２−１に通知する（ステップＳ１１３のＮＯルートからステップＳ１１５）。
【０２６０】
そして、基地局１２−１は、この発信無線状態報告を移動局１１Ａ又は１１Ｃから受信すると基地局制御装置１９に発信無線状態報告を受信したことを通知する。基地局制御装置１９は、チャネル割当部３４より、発信無線状態報告で報告されたゾーン２１の受信レベルが十分品質を満足していれば、初期送信電力設定部３２によって、ゾーン２１の空きチャネル（図４４では、Ｎ番目のＴＲＸのスロットＭ）の送信電力として初期送信電力値を設定して送信ＯＮすることにより、この空きチャネルを通話チャネルとして割り当てる（ステップＳ１１６）。
【０２６１】
このチャネル割当部３４により割り当てられた通話チャネルは、図７（ｂ）に示すごとくフォーマットの無線チャネル指定で移動局１１Ａ又は１１Ｃに通知され、通話開始となる。移動局１１Ａ又は１１Ｃは、この無線チャネル指定で通話チャネルを通知されると、制御チャネルから通話チャネルへ移行し、その通話チャネルでの通話が開始される。
【０２６２】
また、このように通話チャネルへ移行すると、移動局１１Ａ又は１１Ｃは、ゾーン２１とゾーン２２の受信レベルを測定し、ゾーン２１とゾーン２２の受信レベルの差がある所定の値になったときに、その旨を基地局１２−１に通知し、基地局１２−１は、チャネル切替えを行なう強電界チャネル切替えで、移動局１１Ａ又は１１Ｃが強電界を判定するための条件を、図８（ａ）に示すごとくフォーマットの無線状態報告情報により移動局１１Ａ又は１１Ｃに通知する。
【０２６３】
さらに、基地局１２−１は、上述のごとく通話チャネルへ移行すると、通話中／空チャネル送信電力制御部２６Ｆによって、チャネル割当部３４の割り当てた通話チャネルが、基地局１２−１のどのＴＲＸ（ＴＲＸ１５かＴＲＸ１６）のどのスロット（スロット０〜２）かと、通話チャネルとして割り当てられたスロットと同じＴＲＸの他のスロット（図４４中では、Ｎ番目のＴＲＸのスロットＭの直前のスロットＬ）が通話中か通話中でないか（空きチャネルであるか否か）の判定が行なわれる（ステップＳ１１７）。
【０２６４】
そして、通話チャネルとして割り当てられたスロットと同じＴＲＸの他のスロットが通話チャネル（通話中）のスロットであれば、このスロットには空チャネル送信電力決定部３１Ａによる送信電力値の設定は行なわれず、通話チャネルスロットの下り送信電力が、初期送信電力値設定部３２によって、通話中に送信電力制御部３３で電力制御されるまでの送信電力である初期送信電力値に設定される（ステップＳ１１７のＮＯルートからステップＳ１１８）。
【０２６５】
一方、割り当てられた通話チャネルのスロットと同じＴＲＸの他のスロットが通話中でなく空きチャネルである場合は、基地局１２−１は、通話中／空チャネル送信電力制御部２６Ｆによって、上述のステップＳ１１４又はステップＳ１１５（図４３参照）で移動局１１Ａ又は１１Ｃから報告された発信無線状態報告から、発呼要求のあった移動局が、アンテナ切替えダイバーシチ機能付きの移動局１１Ａであるのか、アンテナ切替えダイバーシチ機能を持たない移動局１１Ｃであるのかを判定する（ステップＳ１１７のＹＥＳルートからステップＳ１１９）。
【０２６６】
この結果、アンテナ切替えダイバーシチ機能付きの移動局１１Ａであった場合、基地局１２−１は、通話中／空チャネル送信電力制御部２６Ｆによって、移動局１１Ａでのアンテナ切替えダイバーシチのアンテナ１１Ａ−１，１１Ａ−２の選択を行なうために、通話チャネルとして割り当てられたスロットと同じＴＲＸ（例えば、ＴＲＸ１５）の他のスロットの内、通話チャネルとして割り当てられたスロットの直前のスロット２が送信ＯＮとされる。
【０２６７】
そして、この送信ＯＮされた空きチャネルスロット２の下り送信電力値は、最初は、空チャネル送信電力決定部３１Ａによって、アンテナ切替えダイバーシチのアンテナ選択を行なうために、その一部の期間についてのみ、通話チャネルとして割り当てられたスロット０と同じ初期送信電力値が設定される（ステップＳ１１９のＹＥＳルートからステップＳ１２０）。
【０２６８】
例えば、今、図４５（ａ）に示すように、割り当てられた通話チャネルスロットがスロット０で、通話チャネルとして割り当てられたスロットと同じＴＲＸ１５のスロット１とスロット２とが空きチャネルである場合には、通話チャネルとして割り当てられたスロット０は、通話中／空チャネル送信電力制御部２６Ｆ及び通話チャネル送信電力制御部３５によって、その下り送信電力が送信電力設定部２７の初期送信電力値設定部３２で設定されている初期送信電力値１Ｗ−４ｄＢに設定されて送信ＯＮされる。
【０２６９】
そして、通話チャネルとして割り当てられたスロット０と同じＴＲＸ１５の他のスロット１，２の内、スロット１は、通話中／空チャネル送信電力制御部２６Ｆ及び空チャネル送信電力制御部３１Ａによって、送信ＯＦＦに設定され、通話チャネルとして割り当てられたスロット０の直前のスロット２は、移動局１１Ａでの最適なアンテナ切替えダイバーシチのアンテナ選択を行なうために、移動局１１Ａの受信レベル測定部２４によるアンテナ切替えダイバーシチのアンテナ選択用レベル測定時間だけ、通話チャネルスロット０に設定された初期送信電力値１Ｗ−４ｄＢと同じ送信電力値１Ｗ−４ｄＢに設定される。
【０２７０】
また、基地局１２−１は、通話チャネルとして割り当てたスロット０を、その通話が終了するまで通話中での送信電力制御を行なうとともに、通話チャネルとして割り当てられたスロット０の直前の空きチャネルであるスロット２（図４４中では、Ｎ番目のＴＲＸのスロットＬ）が、その後、基地局制御装置１９のチャネル割当部３４によって、新たに通話チャネルとして割り当てられたかを判定する（ステップＳ１２１）。
【０２７１】
この結果、スロット２が新たに通話チャネルとして割り当てられた場合、このスロット２には、通話チャネルとして割り当てられたスロット０と同様に、それぞれ初期送信電力値１Ｗ−４ｄＢが設定される（ステップＳ１２１のＹＥＳルートからステップＳ１２２）。
一方、スロット２が新たに通話チャネルとして割り当てられていない場合は、基地局１２−１では、初期送信電力値１Ｗ−４ｄＢを設定された通話チャネルスロット０（図３９中では、Ｎ番目のＴＲＸのスロットＭ）が送信電力設定部２７の送信電力制御部３３によって通話中での送信電力の制御を施されたかどうかの判定が、通話中／空チャネル送信電力制御部２６Ｆによって行なわれる（ステップＳ１２１のＮＯルートからステップＳ１２３）。
【０２７２】
そして、通話チャネルスロット０に対して送信電力制御部３３による送信電力の制御が行なわれていれば、通話中／空チャネル送信電力制御部２６Ｆは、移動局１１Ａから報告された下り通話チャネルの受信レベルと、下りの送信電力制御を行なうための基準受信レベルとを比較して、移動局１１Ａから報告された下り通話チャネルの受信レベルが基準受信レベルに収束するように下りの送信電力値を決定し、その送信電力値をスロット０の下り送信電力として送信電力設定部２７の下り送信電力設定部３０を通じて設定する（ステップＳ１２３のＹＥＳルートからステップＳ１２４）。
【０２７３】
さらに、このとき、基地局１２−１は、通話チャネル送信電力値監視部３６によって、通話チャネルスロット０の送信電力値を監視しており、通話チャネルとして割り当てられたスロット０の直前の空きチャネルであるスロット２の送信電力値（この段階では、１Ｗ−４ｄＢが設定されている）を、通話チャネル送信電力値監視部３６で監視している送信電力制御された通話チャネルスロット０送信電力値と同じ送信電力値に追従して設定する（ステップＳ１２５）。
【０２７４】
一方、移動局１１Ａは、受信レベル測定部２４により、通話チャネルであるスロットの受信レベルを測定するとともに、アンテナ切替えダイバーシチ機能によるアンテナ１１Ａ−１，１１Ａ−２の選択を行なうために、通話チャネルとして割り当てられた通話チャネルスロットの直前のスロットにおけるアンテナ１１Ａ−１，１１Ａ−２の受信レベルをそれぞれアンテナ切替えダイバーシチ用レベル測定時間内で測定し、アンテナ選択部２５により、受信レベルの高い方のアンテナを選択して選択したアンテナで移動局１１Ａは通話を行なう。
【０２７５】
今、割り当てられた通話チャネルは、スロット０としているので、スロット０の直前のスロットであるスロット２におけるアンテナ１１Ａ−１，１１Ａ−２の受信レベルをそれぞれアンテナ切替えダイバーシチ用レベル測定間内で測定し、受信レベルの高い方のアンテナを選択する。
例えば、アンテナ１１Ａ−１の受信レベルが１０ｄＢμＶ、アンテナ１１Ａ−２の受信レベルが２０ｄＢμＶであれば、アンテナ選択部２５は、アンテナ１１Ａ−２の方を選択し、移動局１１Ａはこのアンテナ１１Ａ−２を使用して通話を行なう。
【０２７６】
ところで、上述のステップＳ１２３において、通話チャネルとして割り当てられたスロット０に対して通話中での送信電力の制御が行なわれていなければ、基地局１２−１では、通話チャネルとして割り当てられたスロット０での通話が終了したかどうかが判定され（ステップＳ１２３のＮＯルートからステップＳ１２６）、終了していなければ、再びこの通話チャネルとして割り当てられたスロット０の直前の空きチャネルであるスロット２が、新たに通話チャネルとして割り当てられたかどうかの判定が行なわれる（ステップＳ１２６のＮＯルート）。
【０２７７】
一方、スロット０での通話が終了した場合は、通話中／空きチャネル送信電力制御部２６Ｆ及び空チャネル送信電力制御部３１Ａによって、通話チャネルとして割り当てられたスロット０の直前の空きチャネルであるスロット２の下り送信電力は送信ＯＦＦにされる（ステップＳ１２６のＹＥＳルートからステップＳ１２７）。
【０２７８】
また、上述のステップＳ１１９において、発呼要求のあった移動局がアンテナ切替えダイバーシチ機能を持たない移動局１１Ｃであった場合は、アンテナ切替えダイバーシチのアンテナ選択用の送信を行なう必要はないので、通話中／空チャネル送信電力制御部２６Ｆ及び空チャネル送信電力制御部３１Ａによって、図４５（ｂ）に示すごとく通話チャネルとして割り当てられたスロット０の直前のスロット２も送信ＯＦＦに設定される（ステップＳ１１９のＮＯルートからステップＳ１２８）。
【０２７９】
次に、移動局１１Ａ又は１１Ｃに対する着呼動作、つまり図４３のステップＳ１１２において、移動局１１Ａ又は１１Ｃに発呼要求がなかった場合以降の動作について、図４３及び図４６を参照しながら詳述する。
すなわち、例えば、固定電話器２０−１〜２０−Ｎなどの固定網から呼出要求があった場合に、基地局１２−１は、図１１（ａ）に示すごとくフォーマットで呼出を移動局１１Ａ又は１１Ｃに送出する。移動局１１Ａ又は１１Ｃは、呼出を受信すると図３１に示すごとくフォーマットで着信無線状態報告を基地局１２−１に送出する。このとき、移動局１１Ａ又は１１Ｃは、測定データ格納部２３に格納されている、移動局１１Ａ又は１１Ｃが待ち受け時に測定した自ゾーン２１と周辺ゾーン２２の受信レベルを基地局１２−１に報告する（ステップＳ１２９のＹＥＳルートからステップＳ１３０）。
【０２８０】
そして、移動局１１Ａ又は１１Ｃは、着信無線状態報告を送出するときに、図２８（ｂ）及び図２８（ｃ）に示すごとくフォーマットで、自己がアンテナ切替えダイバーシチ機能を有する移動局か、アンテナ切替えダイバーシチ機能を持たない移動局かを基地局１２−１に報告する（ステップＳ１３０のＹＥＳルートからステップＳ１３１，ステップＳ１３０のＮＯルートからステップＳ１３２）。
【０２８１】
基地局１２−１は、この着信無線状態報告を受信すると基地局制御装置１９に着信無線状態報告を受信したことを通知し、通知を受けた基地局制御装置１９は、チャネル割当部３４により、着信無線状態報告で報告された自ゾーン２１の受信レベルが十分品質を満足していれば、自ゾーン２１の空チャネルを割り当てる。以降は、図４２〜図４５にて前述した移動局１１Ａ又は１１Ｃに発呼要求がある場合の動作と同様にして、空きチャネルの送信電力制御が行なわれる。
【０２８２】
以上のように、本発明の第２実施例の第３変形例にかかる移動体通信システムにおける空きチャネル送信電力制御方法によれば、移動局１１Ａからアンテナ切替えダイバーシチ機能付きの移動局であるという通知を受けた場合は、基地局１２−１（〜１２−Ｎ）では、移動局１１Ａでのアンテナ切替えダイバーシチのアンテナ１１Ａ−１，１１Ａ−２の選択を行なうために、図４５（ａ）に示すごとく通話チャネルスロット０以外の空きチャネルである他のスロットのうちの１つのスロット２を、その一部の期間、すなわち移動局１１Ａの受信レベル測定部２４によるアンテナ切替えダイバーシチのアンテナ選択用レベル測定時間だけ、通話チャネルとして割り当てられたスロット０の送信電力値と同じ値に追従して設定するので、基地局１２−１（〜１２−Ｎ）の消費電力を、さらに大幅に削減できるとともに、極めて容易に、アンテナ切替えダイバーシチのアンテナ１１Ａ−１，１１Ａ−２の選択に必要な送信電力値を、通話チャネルスロット０以外の空きチャネルであるスロット２に自動的に設定することができる。
【０２８３】
また、本実施例における基地局（基地局用送信電力制御装置）１２−１（〜１２−Ｎ）によれば、通話中／空きチャネル送信電力制御部２６Ｆ及び空きチャネル送信電力決定部３１Ａをそなえることによって、上述の移動体通信システムにおける空きチャネル送信電力制御方法の実現に大いに寄与する。
（ｂ−４）第２実施例の第４変形例の説明
図４７は本発明の第２実施例の第４変形例にかかる移動局及び基地局の詳細構成を示すブロック図で、この図４７においても、図２５中に示す符号と同一符号が示す部分はそれぞれ図２５に示すものと同様のものである。そして、この図４７に示す移動局１１Ａ（１１Ｃ）には、図２５にて前述したダイバーシチ判定部３７に代えて、ダイバーシチ判定部３８が設けられている。
【０２８４】
また、基地局１２−１（〜１２−Ｎ）は、図２５に示す通話中／空チャネル送信電力制御部２６Ｃに代えて、通話中／空チャネル送信電力制御部２６Ｇを有して構成されている。
ここで、本変形例におけるダイバーシチ判定部３８は、移動局１１Ａ（１１Ｃ）の発呼／着呼時に、通話チャネルを使用してアンテナ切替えダイバーシチ機能を有する移動局かアンテナ切替えダイバーシチ機能を持たない移動局かを基地局１２−１（〜１２−Ｎ）へ制御チャネルを使用して通知するものである。
【０２８５】
また、通話中／空チャネル送信電力制御部２６Ｇも、移動局１１Ａ，１１Ｃからアンテナ切替えダイバーシチ機能付きの移動局であるのかそうでないのかという通知を受信するアンテナ切替えダイバーシチ情報受信部（図示略）を有している。
そして、本変形例における通話中／空チャネル送信電力制御部２６Ｇが図２５に示す通話中／空チャネル送信電力制御部２６Ｃと異なるのは、移動局１１Ａからアンテナ切替えダイバーシチ機能付きの移動局であるという通知を通話チャネルを通じて受けた場合に、移動局１１Ａでのアンテナ切替えダイバーシチのアンテナ１１Ａ−１，１１Ａ−２の選択を行なうために、空チャネル送信電力決定部３１と協動して、通話チャネルとして割り当てられたスロット以外の空きチャネルである他のスロットのうちの１つのスロットを、その全期間について、所要の送信電力値に設定するようになっていることである。
【０２８６】
以下、本発明の第２実施例の第４変形例にかかる移動体通信システムにおける空きチャネル送信電力制御方法について、図４８及び図４９に示すフローチャート（ステップＳ１３３〜Ｓ１４８）を併用して詳述する。
まず、移動局１１Ａ又は１１Ｃは、発呼要求があると、基地局１２−１に対して、図７（ａ）に示すごとくフォーマットで発信無線状態報告を送出するとともに、測定データ格納部２３に格納されている移動局１１Ａ又は１１Ｃが待ち受け時に測定した自ゾーン２１と周辺ゾーン２２の受信レベルを報告する。
【０２８７】
そして、基地局１２−１は、この発信無線状態報告を移動局１１Ａ又は１１Ｃから受信すると基地局制御装置１９に発信無線状態報告を受信したことを通知する。基地局制御装置１９は、チャネル割当部３４より、発信無線状態報告で報告されたゾーン２１の受信レベルが十分品質を満足していれば、初期送信電力設定部３２によって、ゾーン２１の空きチャネル（図４９では、Ｎ番目のＴＲＸのスロットＭ）の送信電力として初期送信電力値を設定して送信ＯＮすることにより、この空きチャネルを通話チャネルとして割り当てる。
【０２８８】
このチャネル割当部３４により割り当てられた通話チャネルは、図７（ｂ）に示すごとくフォーマットの無線チャネル指定で移動局１１Ａ又は１１Ｃに通知され、通話開始となる。移動局１１Ａ又は１１Ｃは、この無線チャネル指定で通話チャネルを通知されると、制御チャネルから通話チャネルへ移行し、その通話チャネルでの通話が開始される。
【０２８９】
また、このように通話チャネルへ移行すると、移動局１１Ａ又は１１Ｃは、ゾーン２１とゾーン２２の受信レベルを測定し、ゾーン２１とゾーン２２の受信レベルの差がある所定の値になったときに、その旨を基地局１２−１に通知し、基地局１２−１は、チャネル切替えを行なう強電界チャネル切替えで、移動局１１Ａ又は１１Ｃが強電界を判定するための条件を、図８（ａ）に示すごとくフォーマットの無線状態報告情報により移動局１１Ａ又は１１Ｃに通知する。
【０２９０】
移動局１１Ａ又は１１Ｃは、この無線状態報告情報を受信すると、正常に受信できたことを、図５０（ａ）に示すごとくフォーマットの無線状態報告情報確認で、基地局１２−１に通知する。このとき、移動局１１Ａ又は１１Ｃは、自己がアンテナ切替えダイバーシチ機能を有する移動局かを判定し（ステップＳ１３３のＹＥＳルートからステップＳ１３４）、アンテナ切替えダイバーシチを有する移動局（移動局１１Ａ）であれば、移動局１１Ａは、無線状態報告情報確認を送出するときに、図５０（ｂ）に示すごとくフォーマットで、アンテナ切替えダイバーシチ機能を有する移動局であることを通話チャネルを使用して基地局１２−１に通知する（ステップＳ１３４のＹＥＳルートからステップＳ１３５）。
【０２９１】
一方、アンテナ切替えダイバーシチを持たない移動局（移動局１１Ｃ）であれば、移動局１１Ｃは、無線状態報告情報確認を送出するときに、同じく図５０（ｂ）に示すごとくフォーマットで、アンテナ切替えダイバーシチ機能を持たない移動局であることを基地局１２−１に通知する（ステップＳ１３４のＮＯルートからステップＳ１３６）。
【０２９２】
さらに、基地局１２−１は、通話チャネルとして割り当てられたスロットに初期送信電力値を設定して送信ＯＮとし（ステップＳ１３７）、通話中／空チャネル送信電力制御部２６Ｇによって、チャネル割当部３４の割り当てた通話チャネルが、基地局１２−１のどのＴＲＸ（ＴＲＸ１５かＴＲＸ１６）のどのスロット（スロット０〜２）かと、通話チャネルとして割り当てられたスロットと同じＴＲＸの他のスロット（図４９中では、Ｎ番目のＴＲＸのスロットＭの直前のスロットＬ）が通話中か通話中でないか（空きチャネルであるか否か）の判定が行なわれる（ステップＳ１３８）。
【０２９３】
そして、通話チャネルとして割り当てられたスロットと同じＴＲＸの他のスロットが通話チャネル（通話中）のスロットであれば、このスロットには空チャネル送信電力決定部３１による送信電力値の設定は行なわれない（ステップＳ１３８のＮＯルートからステップＳ１３９）。
一方、割り当てられた通話チャネルのスロットと同じＴＲＸの他のスロットが通話中でなく空きチャネルである場合は、基地局１２−１は、通話中／空チャネル送信電力制御部２６Ｇ及び空きチャネル送信電力決定部３１によって、上述のステップＳ１３５又はステップＳ１３６（図４８参照）で移動局１１Ａ又は１１Ｃから報告された無線状態報告情報確認から、発呼要求のあった移動局が、アンテナ切替えダイバーシチ機能付きの移動局１１Ａであるのか、アンテナ切替えダイバーシチ機能を持たない移動局１１Ｃであるのかを判定する（ステップＳ１３８のＹＥＳルートからステップＳ１４０）。
【０２９４】
この結果、アンテナ切替えダイバーシチ機能付きの移動局１１Ａであった場合、基地局１２−１は、通話中／空チャネル送信電力制御部２６Ｇによって、移動局１１Ａでのアンテナ切替えダイバーシチのアンテナ１１Ａ−１，１１Ａ−２の選択を行なうために、通話チャネルとして割り当てられたスロットと同じＴＲＸ（例えば、ＴＲＸ１５）の他のスロットの内、通話チャネルとして割り当てられたスロットの直前のスロットを送信ＯＮとする。
【０２９５】
そして、この送信ＯＮされた空きチャネルスロットの下り送信電力値は、最初は、空チャネル送信電力決定部３１によって、アンテナ切替えダイバーシチのアンテナ選択を行なうために、その全期間について、所定の送信電力値が設定される（ステップＳ１４０のＹＥＳルートからステップＳ１４１）。
例えば、今、図５１（ａ）に示すように、割り当てられた通話チャネルスロットがＴＲＸ１５のスロット０で、通話チャネルとして割り当てられたスロットと同じＴＲＸ１５のスロット１とスロット２とが空きチャネルである場合には、通話チャネルとして割り当てられたスロット０は、通話中／空チャネル送信電力制御部２６Ｇ及び通話チャネル送信電力制御部３５によって、その下り送信電力が送信電力設定部２７の初期送信電力値設定部３２で設定されている初期送信電力値１Ｗ−４ｄＢに設定されて送信ＯＮされる。
【０２９６】
そして、通話チャネルとして割り当てられたスロット０と同じＴＲＸ１５の他のスロット１，２の内、スロット１は、通話中／空チャネル送信電力制御部２６Ｇ及び空チャネル送信電力制御部３１によって、送信ＯＦＦに設定され、通話チャネルとして割り当てられたスロット０の直前のスロット２は、移動局１１Ａでのアンテナ切替えダイバーシチのアンテナ選択を行なうために、その全期間について、通話チャネルスロット０に設定された送信電力値１Ｗ−４ｄＢよりも低い送信電力値１Ｗ−８ｄＢに設定される。
【０２９７】
また、基地局１２−１は、通話チャネルとして割り当てたスロット０を、その通話が終了するまで通話中での送信電力制御を行なうとともに、通話チャネルとして割り当てられたスロット０の直前の空きチャネルであるスロット２（図４４中では、Ｎ番目のＴＲＸのスロットＬ）が、その後、基地局制御装置１９のチャネル割当部３４によって、新たに通話チャネルとして割り当てられたかを判定する（ステップＳ１４２）。
【０２９８】
この結果、空きチャネルであったスロット２が新たに通話チャネルとして割り当てられた場合、このスロット２には、通話チャネルとして割り当てられたスロット０と同様に、それぞれ初期送信電力値１Ｗ−４ｄＢが設定される（ステップＳ１４２のＹＥＳルートからステップＳ１４３）。
一方、スロット２が、新たに通話チャネルとして割り当てられていない場合は、基地局１２−１では、初期送信電力値１Ｗ−４ｄＢを設定された通話チャネルスロット０（図３９中では、Ｎ番目のＴＲＸのスロットＭ）が送信電力設定部２７の送信電力制御部３３によって通話中での送信電力の制御を施されたかどうかの判定が、通話中／空チャネル送信電力制御部２６Ｇによって行なわれる（ステップＳ１４２のＮＯルートからステップＳ１４４）。
【０２９９】
そして、通話チャネルスロット０に対して送信電力制御部３３による送信電力の制御が行なわれていれば、通話中／空チャネル送信電力制御部２６Ｇは、移動局１１Ａから報告された下り通話チャネルの受信レベルと、下りの送信電力制御を行なうための基準受信レベルとを比較して、移動局１１Ａから報告された下り通話チャネルの受信レベルが基準受信レベルに収束するように下りの送信電力値を決定し、その送信電力値をスロット０の下り送信電力として送信電力設定部２７の下り送信電力設定部３０を通じて設定する（ステップＳ１４４のＹＥＳルートからステップＳ１４５）。
【０３００】
一方、移動局１１Ａは、受信レベル測定部２４により、通話チャネルであるスロットの受信レベルを測定するとともに、アンテナ切替えダイバーシチ機能によるアンテナ１１Ａ−１，１１Ａ−２の選択を行なうために、通話チャネルとして割り当てられた通話チャネルスロットの直前のスロットにおけるアンテナ１１Ａ−１，１１Ａ−２の受信レベルをそれぞれアンテナ切替えダイバーシチ用レベル測定時間内で測定し、アンテナ選択部２５により、受信レベルの高い方のアンテナを選択して選択したアンテナで移動局１１Ａは通話を行なう。
【０３０１】
今、割り当てられた通話チャネルは、スロット０としているので、スロット０の直前のスロットであるスロット２におけるアンテナ１１Ａ−１，１１Ａ−２の受信レベルをそれぞれアンテナ切替えダイバーシチ用レベル測定間内で測定し、受信レベルの高い方のアンテナを選択する。
例えば、アンテナ１１Ａ−１の受信レベルが１０ｄＢμＶ、アンテナ１１Ａ−２の受信レベルが２０ｄＢμＶであれば、アンテナ選択部２５は、アンテナ１１Ａ−２の方を選択し、移動局１１Ａはこのアンテナ１１Ａ−２を使用して通話を行なう。
【０３０２】
ところで、上述のステップＳ１４４において、通話チャネルとして割り当てられたスロット０に対して通話中での送信電力の制御が行なわれていなければ、基地局１２−１では、通話チャネルとして割り当てられたスロット０での通話が終了したかどうかが判定され（ステップＳ１４４のＮＯルートからステップＳ１４６）、終了していなければ、再びこの通話チャネルとして割り当てられたスロット０の直前の空きチャネルであるスロット２が、新たに通話チャネルとして割り当てられたかどうかの判定が行なわれる（ステップＳ１４６のＮＯルート）。
【０３０３】
一方、スロット０での通話が終了した場合は、通話中／空きチャネル送信電力制御部２６Ｇ及び空チャネル送信電力制御部３１によって、通話チャネルとして割り当てられたスロット０の直前の空きチャネルであるスロット２の下り送信電力は送信ＯＦＦにされる（ステップＳ１４６のＹＥＳルートからステップＳ１４７）。
【０３０４】
また、上述のステップＳ１４０において、発呼要求のあった移動局がアンテナ切替えダイバーシチ機能を持たない移動局１１Ｃであった場合は、アンテナ切替えダイバーシチのアンテナ選択用の送信を行なう必要はないので、通話中／空チャネル送信電力制御部２６Ｇ及び空チャネル送信電力制御部３１によって、図５０（ｂ）に示すごとく通話チャネルとして割り当てられたスロット０の直前のスロット２も送信ＯＦＦに設定される（ステップＳ１４０のＮＯルートからステップＳ１４８）。
【０３０５】
次に、移動局１１Ａ又は１１Ｃに対する着呼動作について、図５２を参照しながら詳述する。
すなわち、例えば、固定電話器２０−１〜２０−Ｎなどの固定網から呼出要求があった場合に、基地局１２−１は、図１１（ａ）に示すごとくフォーマットで呼出を移動局１１Ａ又は１１Ｃに送出する。移動局１１Ａ又は１１Ｃは、呼出を受信すると図１１（ｂ）に示すごとくフォーマットで着信無線状態報告を基地局１２−１に送出する。このとき、移動局１１Ａ又は１１Ｃは、測定データ格納部２３に格納されている、移動局１１Ａ又は１１Ｃが待ち受け時に測定した自ゾーン２１と周辺ゾーン２２の受信レベルを基地局１２−１に報告する。
【０３０６】
基地局１２−１は、この着信無線状態報告を受信すると基地局制御装置１９に着信無線状態報告を受信したことを通知し、通知を受けた基地局制御装置１９は、チャネル割当部３４により、着信無線状態報告で報告された自ゾーン２１の受信レベルが十分品質を満足していれば、自ゾーン２１の空チャネルを割り当てる。以降は、図４７〜図５１にて前述した移動局１１Ａ又は１１Ｃに発呼要求がある場合の動作と同様にして、空きチャネルの送信電力制御が行なわれる。
【０３０７】
以上のように、本発明の第２実施例の第４変形例にかかる移動体通信システムにおける空きチャネル送信電力制御方法によれば、アンテナ切替えダイバーシチ機能を有する移動局１１Ａであるのか、アンテナ切替えダイバーシチ機能を持たない移動局１１Ｃであるのかを、通話チャネルを使用して基地局１２−１（〜１２−１）に通知することができる。
【０３０８】
これにより、移動局１１Ａからアンテナ切替えダイバーシチ機能付きの移動局であるという通知を受けた場合、基地局１２−１は、図２５〜図３０により前述した制御方法と同様に、通話チャネルとして割り当てられたスロット０以外の空きチャネルであるスロット２については、図５６（ａ）にて前述したごとく通話チャネルとして割り当てられたスロット０の送信電力値１Ｗ−４ｄＢよりも低い送信電力値１Ｗ−８ｄＢで送信を行なうことができるようになり、図２５〜図３０により前述した制御方法と同様の利点ないし効果が得られる。
【０３０９】
（ｂ−５）第２実施例の第５変形例の説明
図５３は本発明の第２実施例の第５変形例にかかる移動局及び基地局の詳細構成を示すブロック図で、この図５３においても、図２５中に示す符号と同一符号が示す部分はそれぞれ図２５に示すものと同様のものである。そして、この図５３に示す移動局１１Ａ（１１Ｃ）は、本実施例の第４変形例において図４７により前述したものと同様のダイバーシチ判定部３８を有している。
【０３１０】
また、本変形例における基地局１２−１（〜１２−Ｎ）は、図２５に示す通話中／空チャネル送信電力制御部２６Ｃに代えて、通話中／空チャネル送信電力制御部２６Ｈを有して構成されている。
ここで、本変形例における通話中／空チャネル送信電力制御部２６Ｈも、移動局１１Ａ，１１Ｃからアンテナ切替えダイバーシチ機能付きの移動局であるのかそうでないのかという通知を受信するアンテナ切替えダイバーシチ情報受信部（図示略）を有している。
【０３１１】
そして、この通話中／空チャネル送信電力制御部２６Ｈが図２５に示す通話中／空チャネル送信電力制御部２６Ｃと異なるのは、移動局１１Ａからアンテナ切替えダイバーシチ機能付きの移動局であるという通知を通話チャネルを通じて受けた場合に、移動局１１Ａでのアンテナ切替えダイバーシチのアンテナ１１Ａ−１，１１Ａ−２の選択を行なうために、空チャネル送信電力決定部３１と協動して、通話チャネルとして割り当てられたスロット以外の空きチャネルである他のスロットのうちの１つのスロットを、一部の期間についてのみ、所要の送信電力値に設定するようになっていることである。
【０３１２】
以下、本発明の第２実施例の第５変形例にかかる移動体通信システムにおける空きチャネル送信電力制御方法について、図５４及び図５５に示すフローチャート（ステップＳ１５１〜Ｓ１６６）を併用して詳述する。
まず、この場合も、移動局１１Ａ又は１１Ｃは、発呼要求があると、基地局１２−１に対して、図７（ａ）に示すごとくフォーマットで発信無線状態報告を送出するとともに、測定データ格納部２３に格納されている移動局１１Ａ又は１１Ｃが待ち受け時に測定した自ゾーン２１と周辺ゾーン２２の受信レベルを報告する。
【０３１３】
そして、基地局１２−１は、この発信無線状態報告を移動局１１Ａ又は１１Ｃから受信すると基地局制御装置１９に発信無線状態報告を受信したことを通知する。基地局制御装置１９は、チャネル割当部３４より、発信無線状態報告で報告されたゾーン２１の受信レベルが十分品質を満足していれば、初期送信電力設定部３２によって、ゾーン２１の空きチャネル（図５５では、Ｎ番目のＴＲＸのスロットＭ）の送信電力として初期送信電力値を設定して送信ＯＮすることにより、この空きチャネルを通話チャネルとして割り当てる。
【０３１４】
このチャネル割当部３４により割り当てられた通話チャネルは、図７（ｂ）に示すごとくフォーマットの無線チャネル指定で移動局１１Ａ又は１１Ｃに通知され、通話開始となる。移動局１１Ａ又は１１Ｃは、この無線チャネル指定で通話チャネルを通知されると、制御チャネルから通話チャネルへ移行し、その通話チャネルでの通話が開始される。
【０３１５】
また、このように通話チャネルへ移行すると、移動局１１Ａ又は１１Ｃは、自ゾーン２１と周辺ゾーン２２の受信レベルを測定し、自ゾーン２１と周辺ゾーン２２の受信レベルの差がある所定の値になったときに、その旨を基地局１２−１に通知し、基地局１２−１は、チャネル切替えを行なう強電界チャネル切替えで、移動局１１Ａ又は１１Ｃが強電界を判定するための条件を、図８（ａ）に示すごとくフォーマットの無線状態報告情報により移動局１１Ａ又は１１Ｃに通知する。
【０３１６】
移動局１１Ａ又は１１Ｃは、この無線状態報告情報を受信すると、正常に受信できたことを、図５０（ａ）に示すごとくフォーマットの無線状態報告情報確認で、基地局１２−１に通知する。このとき、移動局１１Ａ又は１１Ｃは、自己がアンテナ切替えダイバーシチ機能を有する移動局かを判定し（ステップＳ１５１のＹＥＳルートからステップＳ１５２）、アンテナ切替えダイバーシチを有する移動局（移動局１１Ａ）であれば、移動局１１Ａは、無線状態報告情報確認を送出するときに、図５０（ｂ）に示すごとくフォーマットで、アンテナ切替えダイバーシチ機能を有する移動局であることを通話チャネルを使用して基地局１２−１に通知する（ステップＳ１５２のＹＥＳルートからステップＳ１５３）。
【０３１７】
一方、アンテナ切替えダイバーシチを持たない移動局（移動局１１Ｃ）であれば、移動局１１Ｃは、無線状態報告情報確認を送出するときに、同じく図５０（ｂ）に示すごとくフォーマットで、アンテナ切替えダイバーシチ機能を持たない移動局であることを通話チャネルを使用して基地局１２−１に通知する（ステップＳ１５２のＮＯルートからステップＳ１５４）。
【０３１８】
さらに、基地局１２−１は、通話チャネルとして割り当てられたスロットに初期送信電力値を設定して送信ＯＮとし（ステップＳ１５５）、通話中／空チャネル送信電力制御部２６Ｈによって、チャネル割当部３４の割り当てた通話チャネルが、基地局１２−１のどのＴＲＸ（ＴＲＸ１５かＴＲＸ１６）のどのスロット（スロット０〜２）かと、通話チャネルとして割り当てられたスロットと同じＴＲＸの他のスロット（図５５中では、Ｎ番目のＴＲＸのスロットＭの直前のスロットＬ）が通話中か通話中でないか（空きチャネルであるか否か）の判定が行なわれる（ステップＳ１５６）。
【０３１９】
そして、通話チャネルとして割り当てられたスロットと同じＴＲＸの他のスロットが通話チャネル（通話中）のスロットであれば、このスロットには空チャネル送信電力決定部３１による送信電力値の設定は行なわれない（ステップＳ１５６のＮＯルートからステップＳ１５７）。
一方、割り当てられた通話チャネルのスロットと同じＴＲＸの他のスロットが通話中でなく空きチャネルである場合は、基地局１２−１は、通話中／空チャネル送信電力制御部２６Ｈ及び空きチャネル送信電力決定部３１によって、上述のステップＳ１５３又はステップＳ１５４（図５４参照）で移動局１１Ａ又は１１Ｃから報告された無線状態報告情報確認から、発呼要求のあった移動局が、アンテナ切替えダイバーシチ機能付きの移動局１１Ａであるのか、アンテナ切替えダイバーシチ機能を持たない移動局１１Ｃであるのかを判定する（ステップＳ１５６のＹＥＳルートからステップＳ１５８）。
【０３２０】
この結果、アンテナ切替えダイバーシチ機能付きの移動局１１Ａであった場合、基地局１２−１は、通話中／空チャネル送信電力制御部２６Ｈによって、移動局１１Ａでのアンテナ切替えダイバーシチのアンテナ１１Ａ−１，１１Ａ−２の選択を行なうために、通話チャネルとして割り当てられたスロットと同じＴＲＸの他のスロットの内、通話チャネルとして割り当てられたスロットの直前のスロットを送信ＯＮとする。
【０３２１】
そして、この送信ＯＮされた空きチャネルスロットの下り送信電力値には、最初は、空チャネル送信電力決定部３１によって、アンテナ切替えダイバーシチのアンテナ選択を行なうために、その一部の期間、具体的には、移動局１１Ａの受信レベル測定部２４によるアンテナ切替えダイバーシチのアンテナ選択用レベル測定時間だけ、所定の送信電力値が設定される（ステップＳ１５８のＹＥＳルートからステップＳ１５９）。
【０３２２】
例えば、今、図５６（ａ）に示すように、割り当てられた通話チャネルスロットがＴＲＸ１５のスロット０で、通話チャネルとして割り当てられたスロットと同じＴＲＸ１５のスロット１とスロット２とが空きチャネルである場合には、通話チャネルとして割り当てられたスロット０は、通話中／空チャネル送信電力制御部２６Ｈ及び通話チャネル送信電力制御部３５によって、その下り送信電力が送信電力設定部２７の初期送信電力値設定部３２で設定されている初期送信電力値１Ｗ−４ｄＢに設定されて送信ＯＮされる。
【０３２３】
そして、通話チャネルとして割り当てられたスロット０と同じＴＲＸ１５の他のスロット１，２の内、スロット１は、通話中／空チャネル送信電力制御部２６Ｈ及び空チャネル送信電力制御部３１によって、送信ＯＦＦに設定され、通話チャネルとして割り当てられたスロット０の直前のスロット２は、移動局１１Ａでのアンテナ切替えダイバーシチのアンテナ１１Ａ−１，１１Ａ−２の選択を行なうために、上述のアンテナ切替えダイバーシチのアンテナ選択用レベル測定時間だけ、通話チャネルスロット０に設定された送信電力値１Ｗ−４ｄＢよりも低い送信電力値１Ｗ−８ｄＢに設定される。
【０３２４】
また、基地局１２−１は、通話チャネルとして割り当てたスロット０を、その通話が終了するまで通話中での送信電力制御を行なうとともに、通話チャネルとして割り当てられたスロット０の直前の空きチャネルであるスロット２（図５５中では、Ｎ番目のＴＲＸのスロットＬ）が、その後、基地局制御装置１９のチャネル割当部３４によって、新たに通話チャネルとして割り当てられたかを判定する（ステップＳ１６０）。
【０３２５】
この結果、空きチャネルであったスロット２が新たに通話チャネルとして割り当てられた場合、このスロット２には、通話チャネルとして割り当てられたスロット０と同様に、それぞれ初期送信電力値１Ｗ−４ｄＢが設定される（ステップＳ１６０のＹＥＳルートからステップＳ１６１）。
一方、スロット２が、新たに通話チャネルとして割り当てられていない場合は、基地局１２−１では、初期送信電力値１Ｗ−４ｄＢを設定された通話チャネルスロット０（図５５中では、Ｎ番目のＴＲＸのスロットＭ）が送信電力設定部２７の送信電力制御部３３によって通話中での送信電力の制御を施されたかどうかの判定が、通話中／空チャネル送信電力制御部２６Ｈによって行なわれる（ステップＳ１６０のＮＯルートからステップＳ１６２）。
【０３２６】
そして、通話チャネルスロット０に対して送信電力制御部３３による送信電力の制御が行なわれていれば、通話中／空チャネル送信電力制御部２６Ｈは、移動局１１Ａから報告された下り通話チャネルの受信レベルと、下りの送信電力制御を行なうための基準受信レベルとを比較して、移動局１１Ａから報告された下り通話チャネルの受信レベルが基準受信レベルに収束するように下りの送信電力値を決定し、その送信電力値をスロット０の下り送信電力として送信電力設定部２７の下り送信電力設定部３０を通じて設定する（ステップＳ１６２のＹＥＳルートからステップＳ１６３）。
【０３２７】
一方、移動局１１Ａは、受信レベル測定部２４により、通話チャネルであるスロットの受信レベルを測定するとともに、アンテナ切替えダイバーシチ機能によるアンテナ１１Ａ−１，１１Ａ−２の選択を行なうために、通話チャネルとして割り当てられた通話チャネルスロットの直前のスロットにおけるアンテナ１１Ａ−１，１１Ａ−２の受信レベルをそれぞれアンテナ切替えダイバーシチ用レベル測定時間内で測定し、アンテナ選択部２５により、受信レベルの高い方のアンテナを選択して選択したアンテナで移動局１１Ａは通話を行なう。
【０３２８】
今、割り当てられた通話チャネルは、スロット０としているので、スロット０の直前のスロットであるスロット２におけるアンテナ１１Ａ−１，１１Ａ−２の受信レベルをそれぞれアンテナ切替えダイバーシチ用レベル測定間内で測定し、受信レベルの高い方のアンテナを選択する。
例えば、アンテナ１１Ａ−１の受信レベルが１０ｄＢμＶ、アンテナ１１Ａ−２の受信レベルが２０ｄＢμＶであれば、アンテナ選択部２５は、アンテナ１１Ａ−２の方を選択し、移動局１１Ａはこのアンテナ１１Ａ−２を使用して通話を行なう。
【０３２９】
ところで、上述のステップＳ１６２において、通話チャネルとして割り当てられたスロット０に対して通話中での送信電力の制御が行なわれていなければ、基地局１２−１では、通話チャネルとして割り当てられたスロット０での通話が終了したかどうかが判定され（ステップＳ１６２のＮＯルートからステップＳ１６４）、終了していなければ、再びこの通話チャネルとして割り当てられたスロット０の直前の空きチャネルであるスロット２が、新たに通話チャネルとして割り当てられたかどうかの判定が行なわれる（ステップＳ１６４のＮＯルート）。
【０３３０】
一方、スロット０での通話が終了した場合は、通話中／空きチャネル送信電力制御部２６Ｈ及び空チャネル送信電力制御部３１によって、通話チャネルとして割り当てられたスロット０の直前の空きチャネルであるスロット２の下り送信電力は送信ＯＦＦにされる（ステップＳ１６４のＹＥＳルートからステップＳ１６５）。
【０３３１】
また、上述のステップＳ１５８において、発呼要求のあった移動局がアンテナ切替えダイバーシチ機能を持たない移動局１１Ｃであった場合は、アンテナ切替えダイバーシチのアンテナ選択用の送信を行なう必要はないので、通話中／空チャネル送信電力制御部２６Ｈ及び空チャネル送信電力制御部３１によって、図５６（ｂ）に示すごとく通話チャネルとして割り当てられたスロット０の直前のスロット２も送信ＯＦＦに設定される（ステップＳ１５８のＮＯルートからステップＳ１６６）。
【０３３２】
次に、移動局１１Ａ又は１１Ｃに対する着呼動作について、図５７を参照しながら詳述する。
すなわち、例えば、固定電話器２０−１〜２０−Ｎなどの固定網から呼出要求があった場合に、基地局１２−１は、図１１（ａ）に示すごとくフォーマットで呼出を移動局１１Ａ又は１１Ｃに送出する。移動局１１Ａ又は１１Ｃは、呼出を受信すると図１１（ｂ）に示すごとくフォーマットで着信無線状態報告を基地局１２−１に送出する。このとき、移動局１１Ａ又は１１Ｃは、測定データ格納部２３に格納されている、移動局１１Ａ又は１１Ｃが待ち受け時に測定した自ゾーン２１と周辺ゾーン２２の受信レベルを基地局１２−１に報告する。
【０３３３】
基地局１２−１は、この着信無線状態報告を受信すると基地局制御装置１９に着信無線状態報告を受信したことを通知し、通知を受けた基地局制御装置１９は、チャネル割当部３４により、着信無線状態報告で報告された自ゾーン２１の受信レベルが十分品質を満足していれば、自ゾーン２１の空チャネルを割り当てる。以降は、図５３〜図５６にて前述した移動局１１Ａ又は１１Ｃに発呼要求がある場合の動作と同様にして、空きチャネルの送信電力制御が行なわれる。
【０３３４】
以上のように、本発明の第２実施例の第５変形例にかかる移動体通信システムにおける空きチャネル送信電力制御方法でも、アンテナ切替えダイバーシチ機能を有する移動局１１Ａであるのか、アンテナ切替えダイバーシチ機能を持たない移動局１１Ｃであるのかを、通話チャネルを使用して基地局１２−１（〜１２−１）に通知することができる。
【０３３５】
これにより、基地局１２−１（〜１２−Ｎ）は、移動局１１Ａからアンテナ切替えダイバーシチ機能を有する移動局であることを通知された場合は、本変形例でも第２実施例の第１変形例にて前述したごとく、アンテナ切替えダイバーシチのアンテナ１１Ａ−１，１１Ａ−２の選択を行なうために、通話チャネルとして割り当てられたスロット０以外の他のスロットの内、通話チャネルスロット０の直前の空きチャネルであるスロット２に、アンテナ切替えダイバーシチのアンテナ選択用受信レベル測定時間だけ、通話チャネルスロット０の送信電力値１Ｗ−４ｄＢよりも低い送信電力値１Ｗ−８ｄＢを設定することができ、本変形例でも第２実施例の第１変形例にて前述した制御方法と同様の利点ないし効果が得られる。
【０３３６】
（ｂ−６）第２実施例の第６変形例の説明
図５８は本発明の第２実施例の第６変形例にかかる移動局及び基地局の詳細構成を示すブロック図で、この図５８においても、図２５中に示す符号と同一符号が示す部分はそれぞれ図２５に示すものと同様のものである。そして、この図５８に示す移動局１１Ａ（１１Ｃ）も、本実施例の第４変形例において図４７により前述したものと同様のダイバーシチ判定部３８を有している。
【０３３７】
また、本変形例における基地局１２−１（〜１２−Ｎ）は、図２５に示す通話中／空チャネル送信電力制御部２６Ｃに代えて、上述の第５変形例にて前述したものと同様の通話中／空チャネル送信電力制御部２６Ｇを有して構成され、さらに、第１実施例の第２変形例において図１６により前述したものと同様の空チャネル送信電力決定部３１Ａ及び通話チャネル送信電力値監視部３６を有して構成されている。
【０３３８】
これにより、本変形例における基地局１２−１（〜１２−Ｎ）でも、発呼要求のあった移動局がアンテナ切替えダイバーシチを有する移動局１１Ａであるのかアンテナ切替えダイバーシチを持たない移動局１１Ｃであるのかを、通話チャネルを使用して受信して、アンテナ切替えダイバーシチ機能を有する移動局１１Ａとの通信に際しては、移動局１１Ａでのアンテナ切替えダイバーシチのアンテナ１１Ａ−１，１１Ａ−２の選択を行なうために、通話チャネルとして割り当てられたスロット以外の空きチャネルである他のスロットを、通話チャネルとして割り当てられたスロットの送信電力値と同じ送信電力値で送信することができる。
【０３３９】
以下、この動作について、図５９及び図６０に示すフローチャート（ステップＳ１７１〜Ｓ１８７）を併用して詳述する。
まず、この場合も、移動局１１Ａ又は１１Ｃは、発呼要求があると、基地局１２−１に対して、図７（ａ）に示すごとくフォーマットで発信無線状態報告を送出するとともに、測定データ格納部２３に格納されている移動局１１Ａ又は１１Ｃが待ち受け時に測定した自ゾーン２１と周辺ゾーン２２の受信レベルを報告する。
【０３４０】
そして、基地局１２−１は、この発信無線状態報告を移動局１１Ａ又は１１Ｃから受信すると基地局制御装置１９に発信無線状態報告を受信したことを通知する。基地局制御装置１９は、チャネル割当部３４より、発信無線状態報告で報告されたゾーン２１の受信レベルが十分品質を満足していれば、初期送信電力設定部３２によって、ゾーン２１の空きチャネルの送信電力として初期送信電力値を設定して送信ＯＮすることにより、この空きチャネルを通話チャネルとして割り当てる。
【０３４１】
このチャネル割当部３４により割り当てられた通話チャネルは、図７（ｂ）に示すごとくフォーマットの無線チャネル指定で移動局１１Ａ又は１１Ｃに通知され、通話開始となる。移動局１１Ａ又は１１Ｃは、この無線チャネル指定で通話チャネルを通知されると、制御チャネルから通話チャネルへ移行し、その通話チャネルでの通話が開始される。
【０３４２】
また、このように通話チャネルへ移行すると、移動局１１Ａ又は１１Ｃは、ゾーン２１とゾーン２２の受信レベルを測定し、ゾーン２１とゾーン２２の受信レベルの差がある所定の値になったときに、その旨を基地局１２−１に通知し、基地局１２−１は、チャネル切替えを行なう強電界チャネル切替えで、移動局１１Ａ又は１１Ｃが強電界を判定するための条件を、図８（ａ）に示すごとくフォーマットの無線状態報告情報により移動局１１Ａ又は１１Ｃに通知する。
【０３４３】
移動局１１Ａ又は１１Ｃは、この無線状態報告情報を受信すると、正常に受信できたことを、図５０（ａ）に示すごとくフォーマットの無線状態報告情報確認で、基地局１２−１に通知する。このとき、移動局１１Ａ又は１１Ｃは、自己がアンテナ切替えダイバーシチ機能を有する移動局かを判定し（ステップＳ１７１のＹＥＳルートからステップＳ１７２）、アンテナ切替えダイバーシチを有する移動局（移動局１１Ａ）であれば、移動局１１Ａは、無線状態報告情報確認を送出するときに、図５０（ｂ）に示すごとくフォーマットで、アンテナ切替えダイバーシチ機能を有する移動局であることを通話チャネルを使用して基地局１２−１に通知する（ステップＳ１７２のＹＥＳルートからステップＳ１７３）。
【０３４４】
一方、アンテナ切替えダイバーシチを持たない移動局（移動局１１Ｃ）であれば、移動局１１Ｃは、無線状態報告情報確認を送出するときに、同じく図５０（ｂ）に示すごとくフォーマットで、アンテナ切替えダイバーシチ機能を持たない移動局であることを通話チャネルを使用して基地局１２−１に通知する（ステップＳ１７２のＮＯルートからステップＳ１７４）。
【０３４５】
さらに、基地局１２−１は、通話チャネルとして割り当てられたスロットに初期送信電力値を設定して送信ＯＮとし（ステップＳ１７５）、通話中／空チャネル送信電力制御部２６Ｇによって、チャネル割当部３４の割り当てた通話チャネルが、基地局１２−１のどのＴＲＸ（ＴＲＸ１５かＴＲＸ１６）のどのスロット（スロット０〜２）かと、通話チャネルとして割り当てられたスロットと同じＴＲＸの他のスロット（図６０中では、Ｎ番目のＴＲＸのスロットＭの直前のスロットＬ）が通話中か通話中でないか（空きチャネルであるか否か）の判定が行なわれる（ステップＳ１７６）。
【０３４６】
そして、通話チャネルとして割り当てられたスロットと同じＴＲＸの他のスロットが通話チャネル（通話中）のスロットであれば、このスロットには空チャネル送信電力決定部３１Ａによる送信電力値の設定は行なわれない（ステップＳ１７６のＮＯルートからステップＳ１７７）。
一方、割り当てられた通話チャネルのスロットと同じＴＲＸの他のスロットが通話中でなく空きチャネルである場合は、基地局１２−１は、通話中／空チャネル送信電力制御部２６Ｇ及び空きチャネル送信電力決定部３１Ａによって、上述のステップＳ１７３又はステップＳ１７４（図５９参照）で移動局１１Ａ又は１１Ｃから報告された無線状態報告情報確認から、発呼要求のあった移動局が、アンテナ切替えダイバーシチ機能付きの移動局１１Ａであるのか、アンテナ切替えダイバーシチ機能を持たない移動局１１Ｃであるのかを判定する（ステップＳ１７６のＹＥＳルートからステップＳ１７８）。
【０３４７】
この結果、アンテナ切替えダイバーシチ機能付きの移動局１１Ａであった場合、基地局１２−１は、通話中／空チャネル送信電力制御部２６Ｇによって、移動局１１Ａでのアンテナ切替えダイバーシチのアンテナ１１Ａ−１，１１Ａ−２の選択を行なうために、通話チャネルとして割り当てられたスロットと同じＴＲＸの他のスロットの内、通話チャネルとして割り当てられたスロットの直前のスロットを送信ＯＮとする。
【０３４８】
そして、この送信ＯＮされた空きチャネルスロットの下り送信電力値には、最初は、空チャネル送信電力決定部３１Ａによって、移動局１１Ａでのアンテナ切替えダイバーシチのアンテナ選択を行なうために、その全期間について通話チャネルとして割り当てられたスロットに設定された初期送信電力値と同じ送信電力値が設定される（ステップＳ１７８のＹＥＳルートからステップＳ１７９）。
【０３４９】
例えば、今、図６１（ａ）に示すように、割り当てられた通話チャネルスロットがＴＲＸ１５のスロット０で、通話チャネルとして割り当てられたスロットと同じＴＲＸ１５のスロット１とスロット２とが空きチャネルである場合には、通話チャネルとして割り当てられたスロット０は、通話中／空チャネル送信電力制御部２６Ｇ及び通話チャネル送信電力制御部３５によって、その下り送信電力が送信電力設定部２７の初期送信電力値設定部３２で設定されている初期送信電力値１Ｗ−４ｄＢに設定されて送信ＯＮされる。
【０３５０】
そして、通話チャネルとして割り当てられたスロット０と同じＴＲＸ１５の他のスロット１，２の内、スロット１は、通話中／空チャネル送信電力制御部２６Ｇ及び空チャネル送信電力制御部３１Ａによって、送信ＯＦＦに設定され、通話チャネルとして割り当てられたスロット０の直前のスロット２は、移動局１１Ａでのアンテナ切替えダイバーシチのアンテナ１１Ａ−１，１１Ａ−２の選択を行なうために、上述の通話チャネルスロット０に設定された初期送信電力値と同じ送信電力値１Ｗ−４ｄＢに設定される。
【０３５１】
また、基地局１２−１は、通話チャネルとして割り当てたスロット０を、その通話が終了するまで通話中での送信電力制御を行なうとともに、通話チャネルとして割り当てられたスロット０の直前の空きチャネルであるスロット２（図６０中では、Ｎ番目のＴＲＸのスロットＬ）が、その後、基地局制御装置１９のチャネル割当部３４によって、新たに通話チャネルとして割り当てられたかを判定する（ステップＳ１８０）。
【０３５２】
この結果、空きチャネルであったスロット２が新たに通話チャネルとして割り当てられた場合、このスロット２には、通話チャネルとして割り当てられたスロット０と同様に、それぞれ初期送信電力値１Ｗ−４ｄＢが設定される（ステップＳ１８０のＹＥＳルートからステップＳ１８１）。
一方、スロット２が、新たに通話チャネルとして割り当てられていない場合は、基地局１２−１では、初期送信電力値１Ｗ−４ｄＢを設定された通話チャネルスロット０（図６０中では、Ｎ番目のＴＲＸのスロットＭ）が送信電力設定部２７の送信電力制御部３３によって通話中での送信電力の制御を施されたかどうかの判定が、通話中／空チャネル送信電力制御部２６Ｇによって行なわれる（ステップＳ１８０のＮＯルートからステップＳ１８２）。
【０３５３】
そして、通話チャネルスロット０に対して送信電力制御部３３による送信電力の制御が行なわれていれば、通話中／空チャネル送信電力制御部２６Ｇは、移動局１１Ａから報告された下り通話チャネルの受信レベルと、下りの送信電力制御を行なうための基準受信レベルとを比較して、移動局１１Ａから報告された下り通話チャネルの受信レベルが基準受信レベルに収束するように下りの送信電力値を決定し、その送信電力値をスロット０の下り送信電力として送信電力設定部２７の下り送信電力設定部３０を通じて設定する（ステップＳ１８２のＹＥＳルートからステップＳ１８３）。
【０３５４】
さらに、このとき、基地局１２−１では、通話チャネル送信電力値監視部３６によって、送信電力制御された通話チャネルスロット０の送信電力値を監視しており、この監視結果に応じて、空チャネル送信電力決定部３１Ａによって、移動局１１Ａでのアンテナ切替えダイバーシチのアンテナ選択のために通話チャネルスロット０と同じ初期送信電力値１Ｗ−４ｄＢを設定された、通話チャネルスロット０の直前のスロット２の送信電力値が、通話中に送信電力制御された通話チャネルスロット０の送信電力値と同じ電力値に追従して設定される（ステップＳ１８４）。
【０３５５】
一方、移動局１１Ａは、受信レベル測定部２４により、通話チャネルであるスロットの受信レベルを測定するとともに、アンテナ切替えダイバーシチ機能によるアンテナ１１Ａ−１，１１Ａ−２の選択を行なうために、通話チャネルとして割り当てられた通話チャネルスロットの直前のスロットにおけるアンテナ１１Ａ−１，１１Ａ−２の受信レベルをそれぞれアンテナ切替えダイバーシチ用レベル測定時間内で測定し、アンテナ選択部２５により、受信レベルの高い方のアンテナを選択して選択したアンテナで移動局１１Ａは通話を行なう。
【０３５６】
今、割り当てられた通話チャネルは、スロット０としているので、スロット０の直前のスロットであるスロット２におけるアンテナ１１Ａ−１，１１Ａ−２の受信レベルをそれぞれアンテナ切替えダイバーシチ用レベル測定間内で測定し、受信レベルの高い方のアンテナを選択する。
例えば、アンテナ１１Ａ−１の受信レベルが１０ｄＢμＶ、アンテナ１１Ａ−２の受信レベルが２０ｄＢμＶであれば、アンテナ選択部２５は、アンテナ１１Ａ−２の方を選択し、移動局１１Ａはこのアンテナ１１Ａ−２を使用して通話を行なう。
【０３５７】
ところで、上述のステップＳ１８２において、通話チャネルとして割り当てられたスロット０に対して通話中での送信電力の制御が行なわれていなければ、基地局１２−１では、通話チャネルとして割り当てられたスロット０での通話が終了したかどうかが判定され（ステップＳ１８２のＮＯルートからステップＳ１８５）、終了していなければ、再びこの通話チャネルとして割り当てられたスロット０の直前の空きチャネルであるスロット２が、新たに通話チャネルとして割り当てられたかどうかの判定が行なわれる（ステップＳ１８５のＮＯルート）。
【０３５８】
一方、スロット０での通話が終了した場合は、通話中／空きチャネル送信電力制御部２６Ｇ及び空チャネル送信電力制御部３１Ａによって、通話チャネルとして割り当てられたスロット０の直前の空きチャネルであるスロット２の下り送信電力は送信ＯＦＦにされる（ステップＳ１８５のＹＥＳルートからステップＳ１８６）。
【０３５９】
また、上述のステップＳ１７８において、発呼要求のあった移動局がアンテナ切替えダイバーシチ機能を持たない移動局１１Ｃであった場合は、アンテナ切替えダイバーシチのアンテナ選択用の送信を行なう必要はないので、通話中／空チャネル送信電力制御部２６Ｇ及び空チャネル送信電力制御部３１Ａによって、図６１（ｂ）に示すごとく通話チャネルとして割り当てられたスロット０の直前のスロット２も送信ＯＦＦに設定される（ステップＳ１７８のＮＯルートからステップＳ１８７）。
【０３６０】
次に、移動局１１Ａ又は１１Ｃに対する着呼動作について、図６２を参照しながら詳述する。
すなわち、例えば、固定電話器２０−１〜２０−Ｎなどの固定網から呼出要求があった場合に、基地局１２−１は、図１１（ａ）に示すごとくフォーマットで呼出を移動局１１Ａ又は１１Ｃに送出する。移動局１１Ａ又は１１Ｃは、呼出を受信すると図１１（ｂ）に示すごとくフォーマットで着信無線状態報告を基地局１２−１に送出する。このとき、移動局１１Ａ又は１１Ｃは、測定データ格納部２３に格納されている、移動局１１Ａ又は１１Ｃが待ち受け時に測定した自ゾーン２１と周辺ゾーン２２の受信レベルを基地局１２−１に報告する。
【０３６１】
基地局１２−１は、この着信無線状態報告を受信すると基地局制御装置１９に着信無線状態報告を受信したことを通知し、通知を受けた基地局制御装置１９は、チャネル割当部３４により、着信無線状態報告で報告された自ゾーン２１の受信レベルが十分品質を満足していれば、自ゾーン２１の空チャネルを割り当てる。以降は、図５８〜図６１にて前述した移動局１１Ａ又は１１Ｃに発呼要求がある場合の動作と同様にして、空きチャネルの送信電力制御が行なわれる。
【０３６２】
以上のように、本発明の第２実施例の第６変形例にかかる移動体通信システムにおける空きチャネル送信電力制御方法でも、アンテナ切替えダイバーシチ機能を有する移動局１１Ａであるのか、アンテナ切替えダイバーシチ機能を持たない移動局１１Ｃであるのかを、通話チャネルを使用して基地局１２−１（〜１２−１）に通知することができる。
【０３６３】
これにより、基地局１２−１（〜１２−Ｎ）は、移動局１１Ａからアンテナ切替えダイバーシチ機能を有する移動局であることを通知された場合は、第２実施例の第２変形例にて前述したごとく、アンテナ切替えダイバーシチのアンテナ１１Ａ−１，１１Ａ−２の選択を行なうために、通話チャネルとして割り当てられたスロット０以外の他のスロットの内、通話チャネルスロット０の直前の空きチャネルであるスロット２の全期間について、通話チャネルとして割り当てられたスロット０の送信電力値と同じ値を追従して設定することができ、本変形例でも第２実施例の第２変形例にて前述した空きチャネル送信電力制御方法と同様の利点ないし効果が得られる。
【０３６４】
（ｂ−７）第２実施例の第７変形例の説明
図６３は本発明の第２実施例の第７変形例にかかる移動局及び基地局の詳細構成を示すブロック図で、この図６３においても、図２５中に示す符号と同一符号が示す部分はそれぞれ図２５に示すものと同様のものである。そして、この図６３に示す移動局１１Ａ（１１Ｃ）も、本実施例の第４変形例において図４７により前述したものと同様のダイバーシチ判定部３８を有している。
【０３６５】
また、本変形例における基地局１２−１（〜１２−Ｎ）は、図２５に示す通話中／空チャネル送信電力制御部２６Ｃに代えて、上述の第５変形例にて前述したものと同様の通話中／空チャネル送信電力制御部２６Ｈを有して構成され、さらに、第１実施例の第２変形例において図１６により前述したものと同様の空チャネル送信電力決定部３１Ａ及び通話チャネル送信電力値監視部３６を有して構成されている。
【０３６６】
これにより、本変形例における基地局１２−１（〜１２−Ｎ）でも、発呼要求のあった移動局がアンテナ切替えダイバーシチを有する移動局１１Ａであるのかアンテナ切替えダイバーシチを持たない移動局１１Ｃであるのかを、通話チャネルを通じて通話中／空チャネル送信電力制御部２６Ｈ内のアンテナ切替えダイバーシチ情報受信部（図示略）で受信して、アンテナ切替えダイバーシチ機能を有する移動局１１Ａとの通信に際しては、移動局１１Ａでのアンテナ切替えダイバーシチのアンテナ１１Ａ−１，１１Ａ−２の選択を行なうために、通話チャネルとして割り当てられたスロット以外の空きチャネルである他のスロットを、その一部の期間についてのみ通話チャネルとして割り当てられたスロットの送信電力値と同じ送信電力値で送信することができる。
【０３６７】
以下、この動作について、図６４及び図６５に示すフローチャート（ステップＳ１９１〜Ｓ２０７）を併用して詳述する。
まず、この場合も、移動局１１Ａ又は１１Ｃは、発呼要求があると、基地局１２−１に対して、図７（ａ）に示すごとくフォーマットで発信無線状態報告を送出するとともに、測定データ格納部２３に格納されている移動局１１Ａ又は１１Ｃが待ち受け時に測定した自ゾーン２１と周辺ゾーン２２の受信レベルを報告する。
【０３６８】
そして、基地局１２−１は、この発信無線状態報告を移動局１１Ａ又は１１Ｃから受信すると基地局制御装置１９に発信無線状態報告を受信したことを通知する。基地局制御装置１９は、チャネル割当部３４より、発信無線状態報告で報告されたゾーン２１の受信レベルが十分品質を満足していれば、初期送信電力設定部３２によって、ゾーン２１の空きチャネルの送信電力として初期送信電力値を設定して送信ＯＮすることにより、この空きチャネルを通話チャネルとして割り当てる。
【０３６９】
このチャネル割当部３４により割り当てられた通話チャネルは、図７（ｂ）に示すごとくフォーマットの無線チャネル指定で移動局１１Ａ（又は１１Ｃ）に通知され、通話開始となる。移動局１１Ａ（又は１１Ｃ）は、この無線チャネル指定で通話チャネルを通知されると、制御チャネルから通話チャネルへ移行し、その通話チャネルでの通話が開始される。
【０３７０】
また、このように通話チャネルへ移行すると、移動局１１Ａ（又は１１Ｃ）は、自ゾーン２１と周辺ゾーン２２の受信レベルを測定し、自ゾーン２１と周辺ゾーン２２の受信レベルの差がある所定の値になったときに、その旨を基地局１２−１に通知し、基地局１２−１は、チャネル切替えを行なう強電界チャネル切替えで、移動局１１Ａ（又は１１Ｃ）が強電界を判定するための条件を、図８（ａ）に示すごとくフォーマットの無線状態報告情報により移動局１１Ａ（又は１１Ｃ）に通知する。
【０３７１】
移動局１１Ａ（又は１１Ｃ）は、この無線状態報告情報を受信すると、正常に受信できたことを、図５０（ａ）に示すごとくフォーマットの無線状態報告情報確認で、基地局１２−１に通知する。このとき、移動局１１Ａ（又は１１Ｃ）は、自己がアンテナ切替えダイバーシチ機能を有する移動局かを判定し（ステップＳ１９１のＹＥＳルートからステップＳ１９２）、アンテナ切替えダイバーシチを有する移動局（移動局１１Ａ）であれば、移動局１１Ａは、無線状態報告情報確認を送出するときに、図５０（ｂ）に示すごとくフォーマットで、アンテナ切替えダイバーシチ機能を有する移動局であることを通話チャネルを使用して基地局１２−１に通知する（ステップＳ１９２のＹＥＳルートからステップＳ１９３）。
【０３７２】
一方、アンテナ切替えダイバーシチを持たない移動局（移動局１１Ｃ）であれば、移動局１１Ｃは、無線状態報告情報確認を送出するときに、同じく図５０（ｂ）に示すごとくフォーマットで、アンテナ切替えダイバーシチ機能を持たない移動局であることを通話チャネルを使用して基地局１２−１に通知する（ステップＳ１９２のＮＯルートからステップＳ１９４）。
【０３７３】
さらに、基地局１２−１は、通話チャネルとして割り当てられたスロットに初期送信電力値を設定して送信ＯＮとし（ステップＳ１９５）、通話中／空チャネル送信電力制御部２６Ｈによって、チャネル割当部３４の割り当てた通話チャネルが、基地局１２−１のどのＴＲＸ（ＴＲＸ１５かＴＲＸ１６）のどのスロット（スロット０〜２）かと、通話チャネルとして割り当てられたスロットと同じＴＲＸの他のスロット（図６５中では、Ｎ番目のＴＲＸのスロットＭの直前のスロットＬ）が通話中か通話中でないか（空きチャネルであるか否か）の判定が行なわれる（ステップＳ１９６）。
【０３７４】
そして、通話チャネルとして割り当てられたスロットと同じＴＲＸの他のスロットが通話チャネル（通話中）のスロットであれば、このスロットには空チャネル送信電力決定部３１Ａによる送信電力値の設定は行なわれない（ステップＳ１９６のＮＯルートからステップＳ１９７）。
一方、割り当てられた通話チャネルのスロットと同じＴＲＸの他のスロットが通話中でなく空きチャネルである場合は、基地局１２−１は、通話中／空チャネル送信電力制御部２６Ｈ及び空きチャネル送信電力決定部３１Ａによって、上述のステップＳ１９３又はステップＳ１９４（図６４参照）で移動局１１Ａ（又は１１Ｃ）から報告された無線状態報告情報確認から、発呼要求のあった移動局が、アンテナ切替えダイバーシチ機能付きの移動局１１Ａであるのか、アンテナ切替えダイバーシチ機能を持たない移動局１１Ｃであるのかを判定する（ステップＳ１９６のＹＥＳルートからステップＳ１９８）。
【０３７５】
この結果、アンテナ切替えダイバーシチ機能付きの移動局１１Ａであった場合、基地局１２−１は、通話中／空チャネル送信電力制御部２６Ｈによって、移動局１１Ａでのアンテナ切替えダイバーシチのアンテナ１１Ａ−１，１１Ａ−２の選択を行なうために、通話チャネルとして割り当てられたスロットと同じＴＲＸの他のスロットの内、通話チャネルとして割り当てられたスロットの直前のスロットを、その一部の期間、具体的には、移動局１１Ａの受信レベル測定部２４によるアンテナ切替えダイバーシチのアンテナ選択用レベル測定時間だけ送信ＯＮとする。
【０３７６】
そして、この送信ＯＮされた空きチャネルスロットの下り送信電力値には、移動局１１Ａでのアンテナ切替えダイバーシチのアンテナ選択を行なうために、最初は、空チャネル送信電力決定部３１Ａによって、通話チャネルとして割り当てられたスロットに設定された初期送信電力値と同じ送信電力値が設定される（ステップＳ１９８のＹＥＳルートからステップＳ１９９）。
【０３７７】
例えば、今、図６６（ａ）に示すように、割り当てられた通話チャネルスロットがＴＲＸ１５のスロット０で、通話チャネルとして割り当てられたスロットと同じＴＲＸ１５のスロット１とスロット２とが空きチャネルである場合には、通話チャネルとして割り当てられたスロット０は、通話中／空チャネル送信電力制御部２６Ｈ及び通話チャネル送信電力制御部３５によって、その下り送信電力が送信電力設定部２７の初期送信電力値設定部３２で設定されている初期送信電力値１Ｗ−４ｄＢに設定されて送信ＯＮされる。
【０３７８】
そして、通話チャネルとして割り当てられたスロット０と同じＴＲＸ１５の他のスロット１，２の内、スロット１は、通話中／空チャネル送信電力制御部２６Ｈ及び空チャネル送信電力制御部３１Ａによって、送信ＯＦＦに設定され、通話チャネルとして割り当てられたスロット０の直前の空きチャネルであるスロット２には、移動局１１Ａでのアンテナ切替えダイバーシチのアンテナ１１Ａ−１，１１Ａ−２の選択を行なうために、上述のアンテナ切替えダイバーシチのアンテナ選択用レベル測定時間だけ、通話チャネルスロット０に設定された初期送信電力値と同じ送信電力値１Ｗ−４ｄＢが設定されて送信ＯＮされる。
【０３７９】
また、基地局１２−１は、通話チャネルとして割り当てたスロット０を、その通話が終了するまで通話中での送信電力制御を行なうとともに、通話チャネルとして割り当てられたスロット０の直前の空きチャネルであるスロット２（図６５中では、Ｎ番目のＴＲＸのスロットＬ）が、その後、基地局制御装置１９のチャネル割当部３４によって、新たに通話チャネルとして割り当てられたかを判定する（ステップＳ２００）。
【０３８０】
この結果、空きチャネルであったスロット２が新たに通話チャネルとして割り当てられた場合、このスロット２には、通話チャネルとして割り当てられたスロット０と同様に、それぞれ初期送信電力値１Ｗ−４ｄＢが設定される（ステップＳ２００のＹＥＳルートからステップＳ２０１）。
一方、スロット２が、新たに通話チャネルとして割り当てられていない場合は、基地局１２−１では、初期送信電力値１Ｗ−４ｄＢを設定された通話チャネルスロット０（図６５中では、Ｎ番目のＴＲＸのスロットＭ）が送信電力設定部２７の送信電力制御部３３によって通話中での送信電力の制御を施されたかどうかの判定が、通話中／空チャネル送信電力制御部２６Ｈによって行なわれる（ステップＳ２００のＮＯルートからステップＳ２０２）。
【０３８１】
そして、通話チャネルスロット０に対して送信電力制御部３３による送信電力の制御が行なわれていれば、通話中／空チャネル送信電力制御部２６Ｈは、移動局１１Ａから報告された下り通話チャネルの受信レベルと、下りの送信電力制御を行なうための基準受信レベルとを比較して、移動局１１Ａから報告された下り通話チャネルの受信レベルが基準受信レベルに収束するように下りの送信電力値を決定し、その送信電力値をスロット０の下り送信電力として送信電力設定部２７の下り送信電力設定部３０を通じて設定する（ステップＳ２０２のＹＥＳルートからステップＳ２０３）。
【０３８２】
さらに、このとき、基地局１２−１では、通話チャネル送信電力値監視部３６によって、送信電力制御された通話チャネルスロット０の送信電力値を監視しており、この監視結果に応じて、空チャネル送信電力決定部３１Ａによって、ステップＳ１９９において移動局１１Ａでのアンテナ切替えダイバーシチのアンテナ選択のために通話チャネルスロット０と同じ初期送信電力値１Ｗ−４ｄＢを設定された、通話チャネルスロット０の直前のスロット２の送信電力値が、通話中に送信電力制御された通話チャネルスロット０の送信電力値と同じ電力値に追従して設定される（ステップＳ２０４）。
【０３８３】
一方、移動局１１Ａは、受信レベル測定部２４により、通話チャネルであるスロットの受信レベルを測定するとともに、アンテナ切替えダイバーシチ機能によるアンテナ１１Ａ−１，１１Ａ−２の選択を行なうために、通話チャネルとして割り当てられた通話チャネルスロットの直前のスロットにおけるアンテナ１１Ａ−１，１１Ａ−２の受信レベルをそれぞれアンテナ切替えダイバーシチ用レベル測定時間内で測定し、アンテナ選択部２５により、受信レベルの高い方のアンテナを選択して選択したアンテナで移動局１１Ａは通話を行なう。
【０３８４】
今、割り当てられた通話チャネルは、スロット０としているので、スロット０の直前のスロットであるスロット２におけるアンテナ１１Ａ−１，１１Ａ−２の受信レベルをそれぞれアンテナ切替えダイバーシチ用レベル測定間内で測定し、受信レベルの高い方のアンテナを選択する。
例えば、アンテナ１１Ａ−１の受信レベルが１０ｄＢμＶ、アンテナ１１Ａ−２の受信レベルが２０ｄＢμＶであれば、アンテナ選択部２５は、アンテナ１１Ａ−２の方を選択し、移動局１１Ａはこのアンテナ１１Ａ−２を使用して通話を行なう。
【０３８５】
ところで、上述のステップＳ２０２において、通話チャネルとして割り当てられたスロット０に対して通話中での送信電力の制御が行なわれていなければ、基地局１２−１では、通話チャネルとして割り当てられたスロット０での通話が終了したかどうかが判定され（ステップＳ２０２のＮＯルートからステップＳ２０５）、終了していなければ、再びこの通話チャネルとして割り当てられたスロット０の直前の空きチャネルであるスロット２が、新たに通話チャネルとして割り当てられたかどうかの判定が行なわれる（ステップＳ２０５のＮＯルート）。
【０３８６】
一方、スロット０での通話が終了した場合は、通話中／空きチャネル送信電力制御部２６Ｈ及び空チャネル送信電力制御部３１Ａによって、通話チャネルとして割り当てられたスロット０の直前の空きチャネルであるスロット２の下り送信電力は送信ＯＦＦにされる（ステップＳ２０５のＹＥＳルートからステップＳ２０６）。
【０３８７】
また、上述のステップＳ１９８において、発呼要求のあった移動局がアンテナ切替えダイバーシチ機能を持たない移動局１１Ｃであった場合は、アンテナ切替えダイバーシチのアンテナ選択のための送信を行なう必要はないので、通話中／空チャネル送信電力制御部２６Ｈ及び空チャネル送信電力制御部３１Ａによって、図６６（ｂ）に示すごとく通話チャネルとして割り当てられたスロット０の直前の空きチャネルスロット２も送信ＯＦＦに設定される（ステップＳ１９８のＮＯルートからステップＳ２０７）。
【０３８８】
次に、移動局１１Ａ又は１１Ｃに対する着呼動作について、図６７を参照しながら詳述する。
すなわち、この場合も、例えば、固定電話器２０−１〜２０−Ｎなどの固定網から呼出要求があった場合に、基地局１２−１は、図１１（ａ）に示すごとくフォーマットで呼出を移動局１１Ａ又は１１Ｃに送出する。移動局１１Ａ又は１１Ｃは、呼出を受信すると図１１（ｂ）に示すごとくフォーマットで着信無線状態報告を基地局１２−１に送出する。このとき、移動局１１Ａ又は１１Ｃは、測定データ格納部２３に格納されている、移動局１１Ａ又は１１Ｃが待ち受け時に測定した自ゾーン２１と周辺ゾーン２２の受信レベルを基地局１２−１に報告する。
【０３８９】
基地局１２−１は、この着信無線状態報告を受信すると基地局制御装置１９に着信無線状態報告を受信したことを通知し、通知を受けた基地局制御装置１９は、チャネル割当部３４により、着信無線状態報告で報告された自ゾーン２１の受信レベルが十分品質を満足していれば、自ゾーン２１の空チャネルを割り当てる。以降は、図６３〜図６６にて前述した移動局１１Ａ又は１１Ｃに発呼要求があった場合の動作と同様にして、空きチャネルの送信電力制御が行なわれる。
【０３９０】
以上のように、本発明の第２実施例の第７変形例にかかる移動体通信システムにおける空きチャネル送信電力制御方法でも、アンテナ切替えダイバーシチ機能を有する移動局１１Ａであるのか、アンテナ切替えダイバーシチ機能を持たない移動局１１Ｃであるのかを、通話チャネルを使用して基地局１２−１（〜１２−１）に通知することができる。
【０３９１】
これにより、基地局１２−１（〜１２−Ｎ）は、移動局１１Ａからアンテナ切替えダイバーシチ機能を有する移動局であることを通知された場合は、第２実施例の第３変形例にて前述したごとく、アンテナ切替えダイバーシチのアンテナ１１Ａ−１，１１Ａ−２の選択を行なうために、通話チャネルとして割り当てられたスロット０以外の他のスロットの内、通話チャネルスロット０の直前の空きチャネルであるスロット２を、移動局１１Ａでのアンテナ切替えダイバーシチのアンテナ選択用レベル測定時間だけ、通話チャネルとして割り当てられたスロット０の送信電力値と同じ値に追従して送信ＯＮにすることができ、従って、本変形例でも第２実施例の第３変形例にて前述した空きチャネル送信電力制御方法と同様の利点ないし効果が得られる。
【０３９２】
（ｃ）第３実施例の説明
図６８は本発明の第３実施例にかかる移動体通信システムの一例を示す図で、この図６８において、第１実施例において図４に示す符号と同一符号が示すものはそれぞれ図４にて前述したものと同様のものである。そして、本実施例にかかる移動体通信システムでは、基地局１２−１のゾーン（通信可能ゾーン）２１内に、アンテナ切替えダイバーシチ機能を持たない移動局１１Ｃのみが存在することを想定している。
【０３９３】
従って、図６９に示すように、本実施例における移動局１１Ｃは、第１，第２実施例にて前述したアンテナ選択部２５を省略した構成となっている。
一方、基地局１２−１（〜１２−Ｎ）は、第１実施例の図５にて前述したものとそれぞれ同様の下り送信電力設定部３０，通話チャネル送信電力制御部３５の他に、通話中／空チャネル送信電力制御部２６Ｊ及び空チャネル送信電力決定部３１Ｂを有して構成されている。
【０３９４】
ここで、通話中／空チャネル送信電力制御部２６Ｊ及び空チャネル送信電力決定部３１Ｂは、通話チャネルとして割り当てられたスロット以外の空きチャネルである他のスロットについては、送信を行なわないよう制御するものである。
以下、上述のごとく構成された本実施例の移動体通信システムにおける空きチャネル送信電力制御方法について、図７０に示すフローチャート（ステップＳ２１１，Ｓ２１２）を併用して詳述する。
【０３９５】
まず、例えば、基地局１２−１のゾーン２１に存在する移動局１１Ｃに発呼要求あると、移動局１１Ｃは、この場合も、図７（ａ）に示すごとくフォーマットの発信無線状態報告を基地局１２−１に向けて送出するとともに、測定データ格納部２３に格納されている移動局１１Ｃの待ち受け時に測定した自ゾーン２１と周辺ゾーン２２の受信レベルを基地局１２−１に報告する。
【０３９６】
そして、基地局１２−１は、この発信無線状態報告を移動局１１Ｃから受信すると基地局制御装置１９に発信無線状態報告を受信したことを通知する。基地局制御装置１９は、チャネル割当部３４より、発信無線状態報告で報告されたゾーン２１の受信レベルが十分品質を満足していれば、初期送信電力設定部３２によって、ゾーン２１の空きチャネル（図７０では、Ｎ番目のＴＲＸのスロットＭ）の送信電力として初期送信電力値を設定して送信ＯＮすることにより、この空きチャネルを通話チャネルとして割り当てる（ステップＳ２１１）。
【０３９７】
このチャネル割当部３４により割り当てられた通話チャネルは、図７（ｂ）に示すごとくフォーマットの無線チャネル指定で移動局１１Ｃに通知され、通話開始となる。移動局１１Ｃは、この無線チャネル指定で通話チャネルを通知されると、制御チャネルから通話チャネルへ移行し、その通話チャネルでの通話が開始される。
【０３９８】
また、このように通話チャネルへ移行すると、移動局１１Ｃは、自ゾーン２１と周辺ゾーン２２の受信レベルを測定し、自ゾーン２１と周辺ゾーン２２の受信レベルの差がある所定の値になったときに、その旨を基地局１２−１に通知し、基地局１２−１は、チャネル切替えを行なう強電界チャネル切替えで、移動局１１Ｃが強電界を判定するための条件を、図８（ａ）に示すごとくフォーマットの無線状態報告情報により移動局１１Ｃに通知する。
【０３９９】
そして、基地局１２−１は、上述のごとく通話チャネルへ移行すると、通話中／空チャネル送信電力制御部２６Ｊ及び空きチャネル送信電力制御部３１Ｂによって、チャネル割当部３４の割り当てた通話チャネルと同じＴＲＸの他の空きチャネルであるスロットを送信ＯＦＦとする（ステップＳ２１２）。
例えば、今、図７１に示すごとく通話チャネルとして割り当てられたスロットがＴＲＸ１５のスロット０であった場合、基地局１２−１では、この通話チャネルスロット０に、通話中／空チャネル送信電力制御部２６Ｊ及び通話チャネル送信電力制御部３５によって、初期送信電力値１Ｗ−４ｄＢが設定され送信ＯＮとされ、この通話チャネルスロット０以外の空きチャネルであるスロット１，２については、通話中／空チャネル送信電力制御部２６Ｊ及び通話チャネル送信電力制御部３１Ｂによって、送信を行なわないよう送信ＯＦＦとされる。
【０４００】
次に、移動局１１Ｃに対する着呼動作について、図７２を参照しながら詳述する。
すなわち、この場合も、基地局１２−１は、固定電話器２０−１〜２０−Ｎなどの固定網から呼出要求があった場合に、図１１（ａ）に示すごとくフォーマットで呼出を移動局１１Ｃに送出する。
【０４０１】
移動局１１Ｃは呼出を受信すると、図１１（ｂ）に示すごとくフォーマットで着信無線状態報告を基地局１２−１に送出するとともに、測定データ格納部２３に格納されている、移動局１１Ｃが待ち受け時に測定した自ゾーン２１と周辺ゾーン２２の受信レベルを基地局１２−１に報告する。
基地局１２−１は、この着信無線状態報告を移動局１１Ｃから受信すると、基地局制御装置１９に着信無線状態報告を受信したことを通知し、この通知を受けた基地局制御装置１９は、チャネル割当部３４により、着信無線状態報告で報告された自ゾーン２１の受信レベルが十分品質を満足していれば、自ゾーン２１の空きチャネルを割り当てる。以降の動作は、図６９〜図７１により前述した移動局１１Ｃの発呼動作と同様にして、通話チャネル／空きチャネルの送信電力制御が行なわれる。
【０４０２】
以上のように、本発明の第３実施例としての移動体通信システムにおける空きチャネル送信電力制御方法によれば、基地局１２−１（〜１２−Ｎ）では、通話チャネルとして割り当てられたスロット０以外の空きチャネルである他のスロットについては、送信を行なわないので、基地局１２−１（〜１２−Ｎ）の消費電力を大幅に削減することができるという利点がある。
【０４０３】
さらに、本実施例における基地局（基地局用送信電力制御装置）１２−１（〜１２−Ｎ）によれば、通話中／空きチャネル送信電力制御部２６Ｊ及び空きチャネル送信電力決定部３１Ｂをそなえることによって、上述の移動体通信システムにおける空きチャネル送信電力制御方法の実現に大いに寄与する。
【０４０４】
【発明の効果】
以上詳述したように、本発明の移動体通信システムにおける空きチャネル送信電力制御方法によれば、基地局では、移動局でのアンテナ切替えダイバーシチのアンテナ選択を行なうために、通話チャネルとして割り当てられたスロット以外の空きチャネルである他のスロットのうちの１つのスロットについてだけ、所要の送信電力値で送信を行なうので、移動局でのアンテナ切替えダイバーシチのアンテナ選択を行なうために空きチャネル全てについて送信する必要はなく、これにより、基地局の消費電力を大幅に削減することができるという利点がある（請求項１）。
【０４０５】
また、このとき、基地局では、空きチャネルである他のスロットのうちの１つのスロットの全期間について、所要の送信電力値で送信を行なうので、基地局の消費電力を抑えつつ、移動局でのアンテナ切替えダイバーシチのアンテナ選択を確実に行なうことができるという利点がある（請求項２）。
なお、このとき、基地局では、空きチャネルである他のスロットのうちの１つのスロットの一部の期間についてだけ、所要の送信電力値で送信を行なえば、さらに基地局の消費電力を削減することができる（請求項３）。
【０４０６】
また、具体的に、上述の所要の送信電力値としては、通話チャネルとして割り当てられたスロットの送信電力値より低い値に設定すれば、空きチャネルスロットについては無条件で基地局の送信できる最大送信電力で送信されることはなく、これにより、さらに基地局の消費電力を大幅に削減することができる（請求項４）。
【０４０７】
さらに、上述の所要の送信電力値として通話チャネルとして割り当てられたスロットの送信電力値と同じ値を設定すれば、移動局が基地局に対してどの位置に存在しても、基地局の消費電力を抑えつつ、移動局でのアンテナ切替えダイバーシチのアンテナ選択を確実を行なうことができるようになる（請求項５）。
また、さらに具体的に、基地局では、通話チャネルとして割り当てられたスロットの直前の空きチャネルであるスロットの全期間について、通話チャネルとして割り当てられたスロットの送信電力値より低い送信電力値で送信を行なうので、基地局の消費電力を抑えつつ、より確実に、移動局でのアンテナ切替えダイバーシチのアンテナの選択を行なうことができる（請求項６）。
【０４０８】
さらに、このとき、基地局では、通話チャネルとして割り当てられたスロットの直前の空きチャネルであるスロットの全期間について、通話チャネルとして割り当てられたスロットの送信電力値と同じ送信電力値で送信を行なえば、移動局が基地局に対してどの位置に存在しても、基地局の消費電力を抑えつつ、移動局でのアンテナ切替えダイバーシチのアンテナ選択もより確実に行なうことができるようになる（請求項７）。
【０４０９】
また、基地局では、通話チャネルとして割り当てられたスロットの直前の空きチャネルであるスロットのうちのアンテナ切替えダイバーシチのアンテナ選択用レベル測定時間についてだけ、通話チャネルとして割り当てられたスロットの送信電力値より低い送信電力値で送信を行なえば、さらに基地局の消費電力を削減することができる（請求項８）。
【０４１０】
さらに、基地局では、通話チャネルとして割り当てられたスロットの直前の空きチャネルであるスロットのうちのアンテナ切替えダイバーシチのアンテナ選択用レベル測定時間についてだけ、通話チャネルとして割り当てられたスロットの送信電力値と同じ送信電力値で送信を行なえば、移動局が基地局に対してどの位置に存在しても、効果的に、基地局の消費電力を削減することができる（請求項９）。
【０４１１】
また、本発明の移動体通信システムにおける空きチャネル送信電力制御方法によれば、移動局から該アンテナ切替えダイバーシチ機能付きの移動局であるという通知を受けた場合は、基地局では、移動局でのアンテナ切替えダイバーシチのアンテナ選択を行なうために、通話チャネルとして割り当てられたスロット以外の空きチャネルである他のスロットのうちの１つのスロットについてだけ、所要の送信電力値で送信を行なう一方、移動局からアンテナ切替えダイバーシチ機能付きの移動局でないという通知を受けた場合は、基地局では、通話チャネルとして割り当てられたスロット以外の空きチャネルである他のスロットについては、送信を行なわないので、基地局の消費電力を大幅に削減することができるという利点がある（請求項１０）。
【０４１２】
また、このとき、移動局からアンテナ切替えダイバーシチ機能付きの移動局であるという通知を受けた場合は、基地局では、空きチャネルである他のスロットのうちの１つのスロットの全期間について、所要の送信電力値で送信を行なうので、基地局の消費電力を抑えつつ、移動局でのアンテナ切替えダイバーシチのアンテナ選択を確実に行なうことができるという利点がある。
【０４１３】
さらに、移動局からアンテナ切替えダイバーシチ機能付きの移動局であるという通知を受けた場合、基地局では、空きチャネルである他のスロットのうちの１つのスロットの一部の期間についてだけ、所要の送信電力値で送信を行なえば、さらに基地局の消費電力を削減することができる（請求項１２）。
また、具体的に、上述の所要の送信電力値としては、通話チャネルとして割り当てられたスロットの送信電力値よりも低い値を設定すれば、アンテナ切替えダイバーシチ機能を有する移動局との通信に際して、空きチャネルスロットについては無条件で基地局の送信できる最大送信電力で送信されることはなく、これにより、さらに基地局の消費電力を大幅に削減することができる（請求項１３）。
【０４１４】
さらに、このとき、上述の所要の送信電力値として通話チャネルとして割り当てられたスロットの送信電力値と同じ値を設定すれば、アンテナ切替えダイバーシチ機能を有する移動局が基地局に対してどの位置に存在しても、基地局の消費電力を抑えつつ、移動局でのアンテナ切替えダイバーシチのアンテナ選択もより確実に行なうことができるようになる（請求項１４）。
【０４１５】
また、移動局からアンテナ切替えダイバーシチ機能付きの移動局であるという通知を受けた場合、基地局では、通話チャネルとして割り当てられたスロットの直前のスロットの全期間について、通話チャネルとして割り当てられたスロットの送信電力値より低い送信電力値で送信を行なえば、基地局の消費電力を抑えつつ、より確実に、アンテナ切替えダイバーシチ機能を有する移動局でのアンテナ切替えダイバーシチのアンテナの選択を行なうことができる（請求項１５）。
【０４１６】
さらに、この場合も、通話チャネルとして割り当てられたスロットの直前のスロットの全期間について、通話チャネルとして割り当てられたスロットの送信電力値と同じ送信電力値で送信を行なえば、アンテナ切替えダイバーシチ機能を有する移動局が基地局に対してどの位置に存在しても、基地局の消費電力を抑えつつ、移動局でのアンテナ切替えダイバーシチのアンテナ選択もより確実に行なうことができるようになる（請求項１６）。
【０４１７】
また、さらに具体的に、移動局から該アンテナ切替えダイバーシチ機能付きの移動局であるという通知を受けた場合、基地局では、通話チャネルとして割り当てられたスロットの直前のスロットのうちのアンテナ切替えダイバーシチのアンテナ選択用レベル測定時間についてだけ、通話チャネルとして割り当てられたスロットの送信電力値より低い送信電力値で送信を行なえば、さらに、基地局の消費電力を削減することができる（請求項１７）。
【０４１８】
さらに、この場合も、通話チャネルとして割り当てられたスロットの直前のスロットのうちのアンテナ切替えダイバーシチのアンテナ選択用レベル測定時間についてだけ、通話チャネルとして割り当てられたスロットの送信電力値と同じ送信電力値で送信を行なえば、アンテナ切替えダイバーシチ機能を有する移動局が基地局に対してどの位置に存在しても、効果的に、基地局の消費電力を削減することができる（請求項１８）。
【０４２０】
さらに、本発明の基地局用送信電力制御装置によれば、通話チャネルとして割り当てられたスロットについての送信電力値を制御する通話チャネル送信電力制御部と、移動局でのアンテナ切替えダイバーシチのアンテナ選択を行なうために、通話チャネルとして割り当てられたスロット以外の空きチャネルである他のスロットのうちの１つのスロットについてだけ、その送信電力値を所要の送信電力値に制御する空きチャネル送信電力制御部とをそなえるという簡素な構成で、請求項１記載の移動体通信システムにおける空きチャネル送信電力制御方法の実現に大いに寄与する（請求項１９）。
【０４２１】
また、このとき、空きチャネル送信電力制御部を、空きチャネルである他のスロットのうちの１つのスロットの全期間について、所要の送信電力値で送信を行なうように構成すれば、極めて容易に、請求項２記載の移動体通信システムにおける空きチャネル送信電力制御方法を実現できる（請求項２０）。
さらに、この空きチャネル送信電力制御部は、空きチャネルである他のスロットのうちの１つのスロットの一部の期間についてだけ、所要の送信電力値で送信を行なうように構成すれば、極めて容易に、請求項３記載の移動体通信システムにおける空きチャネル送信電力制御方法を実現できる（請求項２１）。
【０４２２】
また、上述の空きチャネル送信電力制御部で設定される所要の送信電力値として、通話チャネルとして割り当てられたスロットの送信電力値より低い値を設定すれば、極めて容易に、請求項４記載の移動体通信システムにおける空きチャネル送信電力制御方法を実現できる（請求項２２）。
さらに、この所要の送信電力値として、通話チャネルとして割り当てられたスロットの送信電力値と同じ値を設定すれば、極めて容易に、請求項５記載の移動体通信システムにおける空きチャネル送信電力制御方法を実現できる（請求項２３）。
【０４２３】
また、上述の空きチャネル送信電力制御部を、通話チャネルとして割り当てられたスロットの直前の空きチャネルであるスロットの全期間について、通話チャネルとして割り当てられたスロットの送信電力値より低い送信電力値で送信を行なうように構成すれば、極めて容易に、請求項６記載の移動体通信システムにおける空きチャネル送信電力制御方法を実現できる（請求項２４）。
【０４２４】
さらに、この空きチャネル送信電力制御部は、通話チャネルとして割り当てられたスロットの直前の空きチャネルであるスロットの全期間について、通話チャネルとして割り当てられたスロットの送信電力値と同じ送信電力値で送信を行なうように構成すれば、極めて容易に、請求項７記載の移動体通信システムにおける空きチャネル送信電力制御方法を実現できる（請求項２５）。
【０４２５】
また、この空きチャネル送信電力制御部は、通話チャネルとして割り当てられたスロットの直前の空きチャネルであるスロットのうちのアンテナ切替えダイバーシチのアンテナ選択用レベル測定時間についてだけ、通話チャネルとして割り当てられたスロットの送信電力値より低い送信電力値で送信を行なうように構成すれば、極めて容易に、請求項８記載の移動体通信システムにおける空きチャネル送信電力制御方法を実現できる（請求項２６）。
【０４２６】
さらに、この空きチャネル送信電力制御部は、通話チャネルとして割り当てられたスロットの直前の空きチャネルであるスロットのうちのアンテナ切替えダイバーシチのアンテナ選択用レベル測定時間についてだけ、通話チャネルとして割り当てられたスロットの送信電力値と同じ送信電力値で送信を行なうように構成すれば、極めて容易に、請求項９記載の移動体通信システムにおける空きチャネル送信電力制御方法を実現できる（請求項２７）。
【０４２７】
また、本発明の移動体通信システムにおける基地局用送信電力制御装置によれば、通話チャネルとして割り当てられたスロットについての送信電力値を制御する通話チャネル送信電力制御部と、移動局からアンテナ切替えダイバーシチ機能付きの移動局であるのかそうでないのかという通知を受信するアンテナ切替えダイバーシチ情報受信部と、アンテナ切替えダイバーシチ情報受信部が、移動局からアンテナ切替えダイバーシチ機能付きの移動局であるという通知を受けた場合は、この移動局でのアンテナ切替えダイバーシチのアンテナ選択を行なうために、通話チャネルとして割り当てられたスロット以外の空きチャネルである他のスロットのうちの１つのスロットについてだけ、所要の送信電力値で送信を行なう一方、上述のアンテナ切替えダイバーシチ情報受信部が、移動局からアンテナ切替えダイバーシチ機能付きの移動局でないという通知を受けた場合は、通話チャネルとして割り当てられたスロット以外の空きチャネルである他のスロットについては、送信を行なわないよう空きチャネルの送信電力値を制御する空きチャネル送信電力制御部とをそなえて構成されるので、極めて容易に、請求項１０記載の移動体通信システムにおける空きチャネル送信電力制御方法を実現できる（請求項２８）。
【０４２８】
さらに、上述のアンテナ切替えダイバーシチ情報受信部が移動局からアンテナ切替えダイバーシチ機能付きの移動局であるという通知を受けた場合には、空きチャネル送信電力制御部を、空きチャネルである他のスロットのうちの１つのスロットの全期間について、所要の送信電力値で送信を行なうように構成すれば、極めて容易に、請求項１１記載の移動体通信システムにおける空きチャネル送信電力制御方法を実現できる（請求項２９）。
【０４２９】
また、アンテナ切替えダイバーシチ情報受信部が移動局から該アンテナ切替えダイバーシチ機能付きの移動局であるという通知を受けた場合には、空きチャネル送信電力制御部を、空きチャネルである他のスロットのうちの１つのスロットの一部の期間についてだけ、所要の送信電力値で送信を行なうように構成すれば、極めて容易に、請求項１２記載の移動体通信システムにおける空きチャネル送信電力制御方法を実現できる（請求項３０）。
【０４３０】
さらに、この場合も、上述の空きチャネル送信電力制御部で設定される所要の送信電力値として、通話チャネルとして割り当てられたスロットの送信電力値よりも低い値を設定すれば、極めて容易に、請求項１３記載の移動体通信システムにおける空きチャネル送信電力制御方法を実現できる（請求項３１）。
また、この所要の送信電力値として、通話チャネルとして割り当てられたスロットの送信電力値と同じ値を設定すれば、極めて容易に、請求項１４記載の移動体通信システムにおける空きチャネル送信電力制御方法を実現できる（請求項３２）。
【０４３１】
さらに、上述のアンテナ切替えダイバーシチ情報受信部が移動局から該アンテナ切替えダイバーシチ機能付きの移動局であるという通知を受けた場合には、空きチャネル送信電力制御部が、通話チャネルとして割り当てられたスロットの直前のスロットの全期間について、通話チャネルとして割り当てられたスロットの送信電力値より低い送信電力値で送信を行なうように構成されれば、極めて容易に、請求項１５記載の移動体通信システムにおける空きチャネル送信電力制御方法を実現できる（請求項３３）。
【０４３２】
また、上述のアンテナ切替えダイバーシチ情報受信部が移動局からアンテナ切替えダイバーシチ機能付きの移動局であるという通知を受けた場合には、空きチャネル送信電力制御部が、通話チャネルとして割り当てられたスロットの直前のスロットの全期間について、通話チャネルとして割り当てられたスロットの送信電力値と同じ送信電力値で送信を行なうように構成されれば、極めて容易に、請求項１６記載の移動体通信システムにおける空きチャネル送信電力制御方法を実現できる（請求項３４）。
【０４３３】
さらに、上述のアンテナ切替えダイバーシチ情報受信部が移動局からアンテナ切替えダイバーシチ機能付きの移動局であるという通知を受けた場合には、空きチャネル送信電力制御部が、通話チャネルとして割り当てられたスロットの直前のスロットのうちのアンテナ切替えダイバーシチのアンテナ選択用レベル測定時間についてだけ、通話チャネルとして割り当てられたスロットの送信電力値より低い送信電力値で送信を行なうように構成されれば、極めて容易に、請求項１７記載の移動体通信システムにおける空きチャネル送信電力制御方法を実現できる（請求項３５）。
【０４３５】
また、上述のアンテナ切替えダイバーシチ情報受信部が移動局からアンテナ切替えダイバーシチ機能付きの移動局であるという通知を受けた場合には、空きチャネル送信電力制御部が、通話チャネルとして割り当てられたスロットの直前のスロットのうちのアンテナ切替えダイバーシチのアンテナ選択用レベル測定時間についてだけ、通話チャネルとして割り当てられたスロットの送信電力値と同じ送信電力値で送信を行なうように構成されれば、極めて容易に、請求項１８記載の移動体通信システムにおける空きチャネル送信電力制御方法を実現できる（請求項３６）。
【図面の簡単な説明】
【図１】第１の発明の原理ブロック図である。
【図２】第２の発明の原理ブロック図である。
【図３】本発明の関連技術を示すブロック図である。
【図４】本発明の第１実施例にかかる移動体通信システムの一例を示す図である。
【図５】本発明の第１実施例にかかる移動体通信システムにおける移動局及び基地局の詳細構成を示すブロック図である。
【図６】本発明の第１実施例にかかる移動体通信システムにおける空きチャネル送信電力制御方法を説明するためのフローチャートである。
【図７】（ａ），（ｂ）はそれぞれ本発明の第１実施例にかかる移動体通信システムにおける空きチャネル送信電力制御方法を説明するための図である。
【図８】（ａ），（ｂ）はそれぞれ本発明の第１実施例にかかる移動体通信システムにおける空きチャネル送信電力制御方法を説明するための図である。
【図９】本発明の第１実施例にかかる移動体通信システムにおける空きチャネル送信電力制御方法を説明するための図である。
【図１０】本発明の第１実施例にかかる移動体通信システムにおける空きチャネル送信電力制御方法を説明するための図である。
【図１１】（ａ），（ｂ）はそれぞれ本発明の第１実施例にかかる移動体通信システムにおける空きチャネル送信電力制御方法を説明するための図である。
【図１２】第１実施例の第１変形例にかかる移動体通信システムにおける移動局及び基地局の詳細構成を示すブロック図である。
【図１３】第１実施例の第１変形例にかかる移動体通信システムにおける空きチャネル送信電力制御方法を説明するためのフローチャートである。
【図１４】第１実施例の第１変形例にかかる移動体通信システムにおける空きチャネル送信電力制御方法を説明するための図である。
【図１５】第１実施例の第１変形例にかかる移動体通信システムにおける空きチャネル送信電力制御方法を説明するための図である。
【図１６】第１実施例の第２変形例にかかる移動体通信システムにおける移動局及び基地局の詳細構成を示すブロック図である。
【図１７】第１実施例の第２変形例にかかる移動体通信システムにおける空きチャネル送信電力制御方法を説明するためのフローチャートである。
【図１８】第１実施例の第２変形例にかかる移動体通信システムにおける空きチャネル送信電力制御方法を説明するための図である。
【図１９】第１実施例の第２変形例にかかる移動体通信システムにおける空きチャネル送信電力制御方法を説明するための図である。
【図２０】第１実施例の第３変形例にかかる移動体通信システムにおける移動局及び基地局の詳細構成を示すブロック図である。
【図２１】第１実施例の第３変形例にかかる移動体通信システムにおける空きチャネル送信電力制御方法を説明するためのフローチャートである。
【図２２】第１実施例の第３変形例にかかる移動体通信システムにおける空きチャネル送信電力制御方法を説明するための図である。
【図２３】第１実施例の第３変形例にかかる移動体通信システムにおける空きチャネル送信電力制御方法を説明するための図である。
【図２４】本発明の第２実施例にかかる移動体通信システムの一例を示す図である。
【図２５】本発明の第２実施例にかかる移動体通信システムにおける移動局及び基地局の詳細構成を示すブロック図である。
【図２６】本発明の第２実施例にかかる移動体通信システムにおける空きチャネル送信電力制御方法を説明するためのフローチャートである。
【図２７】本発明の第２実施例にかかる移動体通信システムにおける空きチャネル送信電力制御方法を説明するためのフローチャートである。
【図２８】（ａ）〜（ｃ）はそれぞれ本発明の第２実施例にかかる移動体通信システムにおける空きチャネル送信電力制御方法を説明するための図である。
【図２９】（ａ），（ｂ）はそれぞれ本発明の第２実施例にかかる移動体通信システムにおける空きチャネル送信電力制御方法を説明するための図である。
【図３０】本発明の第２実施例にかかる移動体通信システムにおける空きチャネル送信電力制御方法を説明するための図である。
【図３１】本発明の第２実施例にかかる移動体通信システムにおける空きチャネル送信電力制御方法を説明するための図である。
【図３２】第２実施例の第１変形例にかかる移動体通信システムにおける移動局及び基地局の詳細構成を示すブロック図である。
【図３３】第２実施例の第１変形例にかかる移動体通信システムにおける空きチャネル送信電力制御方法を説明するためのフローチャートである。
【図３４】第２実施例の第１変形例にかかる移動体通信システムにおける空きチャネル送信電力制御方法を説明するためのフローチャートである。
【図３５】（ａ），（ｂ）はそれぞれ第２実施例の第１変形例にかかる移動体通信システムにおける空きチャネル送信電力制御方法を説明するための図である。
【図３６】第２実施例の第１変形例にかかる移動体通信システムにおける空きチャネル送信電力制御方法を説明するための図である。
【図３７】第２実施例の第２変形例にかかる移動体通信システムにおける移動局及び基地局の詳細構成を示すブロック図である。
【図３８】第２実施例の第２変形例にかかる移動体通信システムにおける空きチャネル送信電力制御方法を説明するためのフローチャートである。
【図３９】第２実施例の第２変形例にかかる移動体通信システムにおける空きチャネル送信電力制御方法を説明するためのフローチャートである。
【図４０】（ａ），（ｂ）はそれぞれ第２実施例の第２変形例にかかる移動体通信システムにおける空きチャネル送信電力制御方法を説明するための図である。
【図４１】第２実施例の第２変形例にかかる移動体通信システムにおける空きチャネル送信電力制御方法を説明するための図である。
【図４２】第２実施例の第３変形例にかかる移動体通信システムにおける移動局及び基地局の詳細構成を示すブロック図である。
【図４３】第２実施例の第３変形例にかかる移動体通信システムにおける空きチャネル送信電力制御方法を説明するためのフローチャートである。
【図４４】第２実施例の第３変形例にかかる移動体通信システムにおける空きチャネル送信電力制御方法を説明するためのフローチャートである。
【図４５】（ａ），（ｂ）はそれぞれ第２実施例の第３変形例にかかる移動体通信システムにおける空きチャネル送信電力制御方法を説明するための図である。
【図４６】第２実施例の第３変形例にかかる移動体通信システムにおける空きチャネル送信電力制御方法を説明するための図である。
【図４７】第２実施例の第４変形例にかかる移動体通信システムにおける移動局及び基地局の詳細構成を示すブロック図である。
【図４８】第２実施例の第４変形例にかかる移動体通信システムにおける空きチャネル送信電力制御方法を説明するためのフローチャートである。
【図４９】第２実施例の第４変形例にかかる移動体通信システムにおける空きチャネル送信電力制御方法を説明するためのフローチャートである。
【図５０】（ａ），（ｂ）はそれぞれ第２実施例の第４変形例にかかる移動体通信システムにおける空きチャネル送信電力制御方法を説明するための図である。
【図５１】（ａ），（ｂ）はそれぞれ第２実施例の第４変形例にかかる移動体通信システムにおける空きチャネル送信電力制御方法を説明するための図である。
【図５２】第２実施例の第４変形例にかかる移動体通信システムにおける空きチャネル送信電力制御方法を説明するための図である。
【図５３】第２実施例の第５変形例にかかる移動体通信システムにおける移動局及び基地局の詳細構成を示すブロック図である。
【図５４】第２実施例の第５変形例にかかる移動体通信システムにおける空きチャネル送信電力制御方法を説明するためのフローチャートである。
【図５５】第２実施例の第５変形例にかかる移動体通信システムにおける空きチャネル送信電力制御方法を説明するためのフローチャートである。
【図５６】（ａ），（ｂ）はそれぞれ第２実施例の第５変形例にかかる移動体通信システムにおける空きチャネル送信電力制御方法を説明するための図である。
【図５７】第２実施例の第５変形例にかかる移動体通信システムにおける空きチャネル送信電力制御方法を説明するための図である。
【図５８】第２実施例の第６変形例にかかる移動体通信システムにおける移動局及び基地局の詳細構成を示すブロック図である。
【図５９】第２実施例の第６変形例にかかる移動体通信システムにおける空きチャネル送信電力制御方法を説明するためのフローチャートである。
【図６０】第２実施例の第６変形例にかかる移動体通信システムにおける空きチャネル送信電力制御方法を説明するためのフローチャートである。
【図６１】（ａ），（ｂ）はそれぞれ第２実施例の第６変形例にかかる移動体通信システムにおける空きチャネル送信電力制御方法を説明するための図である。
【図６２】第２実施例の第６変形例にかかる移動体通信システムにおける空きチャネル送信電力制御方法を説明するための図である。
【図６３】第２実施例の第７変形例にかかる移動体通信システムにおける移動局及び基地局の詳細構成を示すブロック図である。
【図６４】第２実施例の第７変形例にかかる移動体通信システムにおける空きチャネル送信電力制御方法を説明するためのフローチャートである。
【図６５】第２実施例の第７変形例にかかる移動体通信システムにおける空きチャネル送信電力制御方法を説明するためのフローチャートである。
【図６６】（ａ），（ｂ）はそれぞれ第２実施例の第７変形例にかかる移動体通信システムにおける空きチャネル送信電力制御方法を説明するための図である。
【図６７】第２実施例の第７変形例にかかる移動体通信システムにおける空きチャネル送信電力制御方法を説明するための図である。
【図６８】本発明の第３実施例にかかる移動体通信システムの一例を示す図である。
【図６９】本発明の第３実施例にかかる移動体通信システムにおける移動局及び基地局の詳細構成を示すブロック図である。
【図７０】本発明の第３実施例にかかる移動体通信システムにおける空きチャネル送信電力制御方法を説明するためのフローチャートである。
【図７１】本発明の第３実施例にかかる移動体通信システムにおける空きチャネル送信電力制御方法を説明するための図である。
【図７２】本発明の第３実施例にかかる移動体通信システムにおける空きチャネル送信電力制御方法を説明するための図である。
【図７３】従来の一般的な移動体通信システムの一例を示す図である。
【図７４】従来の移動体通信システムにおける移動局の構成を示すブロック図である。
【図７５】従来の移動体通信システムにおける移動局及び基地局の構成を示すブロック図である。
【図７６】（ａ），（ｂ）はそれぞれ従来の移動体通信システムにおける空きチャネル送信電力の制御を説明するための図である。
【図７７】従来の移動体通信システムにおける空きチャネル送信電力の制御を説明するための図である。
【図７８】従来の移動体通信システムにおける空きチャネル送信電力の制御を説明するための図である。
【符号の説明】
１Ａ，１Ｂ，１１Ａ〜１１Ｃ  移動局
１Ａ−１，１Ａ−２，１Ｂ−１，２Ａ−１〜２Ｃ−１，１１Ａ−１，１１Ａ−２  アンテナ
２Ａ〜２Ｃ，１２−１〜１２−Ｎ  基地局
１３  共通増幅装置
１４  変復調装置
１５，１６  ＴＲＸ
１７  交換局
１８  交換機
１９  基地局制御装置
２０−１〜２０−Ｎ  固定電話器
２１，２２  ゾーン（通信可能ゾーン）
２１Ａ〜２１Ｃ  通話チャネル送信電力制御部
２２Ａ，２２Ｃ，２３Ｂ  空きチャネル送信電力制御部
２２Ｂ  アンテナ切替えダイバーシチ情報受信部
２３  測定データ格納部
２４  受信レベル測定部
２５  アンテナ選択部
２６Ａ〜２６Ｈ，２６Ｊ  通話中／空チャネル送信電力制御部
２７〜２９  送信電力設定部
３０  下り送信電力値設定部
３１，３１Ａ，３１Ｂ  空チャネル送信電力決定部
３２  初期送信電力値設定部
３３  送信電力制御部
３４  チャネル割当部
３５  通話チャネル送信電力制御部
３６  通話チャネル送信電力値監視部
３７，３８  ダイバーシチ判定部
【図１】
0003545496.tif 000002
【図２】
0003545496.tif 000003
【図３】
0003545496.tif 000004
【図４】
0003545496.tif 000005
【図５】
0003545496.tif 000006
【図６】
0003545496.tif 000007
【図７】
0003545496.tif 000008
【図８】
0003545496.tif 000009
【図９】
0003545496.tif 000010
【図１０】
0003545496.tif 000011
【図１１】
0003545496.tif 000012
【図１２】
0003545496.tif 000013
【図１３】
0003545496.tif 000014
【図１４】
0003545496.tif 000015
【図１５】
0003545496.tif 000016
【図１６】
0003545496.tif 000017
【図１７】
0003545496.tif 000018
【図１８】
0003545496.tif 000019
【図１９】
0003545496.tif 000020
【図２０】
0003545496.tif 000021
【図２１】
0003545496.tif 000022
【図２２】
0003545496.tif 000023
【図２３】
0003545496.tif 000024
【図２４】
0003545496.tif 000025
【図２５】
0003545496.tif 000026
【図２６】
0003545496.tif 000027
【図２７】
0003545496.tif 000028
【図２８】
0003545496.tif 000029
【図２９】
0003545496.tif 000030
【図３０】
0003545496.tif 000031
【図３１】
0003545496.tif 000032
【図３２】
0003545496.tif 000033
【図３３】
0003545496.tif 000034
【図３４】
0003545496.tif 000035
【図３５】
0003545496.tif 000036
【図３６】
0003545496.tif 000037
【図３７】
0003545496.tif 000038
【図３８】
0003545496.tif 000039
【図３９】
0003545496.tif 000040
【図４０】
0003545496.tif 000041
【図４１】
0003545496.tif 000042
【図４２】
0003545496.tif 000043
【図４３】
0003545496.tif 000044
【図４４】
0003545496.tif 000045
【図４５】
0003545496.tif 000046
【図４６】
0003545496.tif 000047
【図４７】
0003545496.tif 000048
【図４８】
0003545496.tif 000049
【図４９】
0003545496.tif 000050
【図５０】
0003545496.tif 000051
【図５１】
0003545496.tif 000052
【図５２】
0003545496.tif 000053
【図５３】
0003545496.tif 000054
【図５４】
0003545496.tif 000055
【図５５】
0003545496.tif 000056
【図５６】
0003545496.tif 000057
【図５７】
0003545496.tif 000058
【図５８】
0003545496.tif 000059
【図５９】
0003545496.tif 000060
【図６０】
0003545496.tif 000061
【図６１】
0003545496.tif 000062
【図６２】
0003545496.tif 000063
【図６３】
0003545496.tif 000064
【図６４】
0003545496.tif 000065
【図６５】
0003545496.tif 000066
【図６６】
0003545496.tif 000067
【図６７】
0003545496.tif 000068
【図６８】
0003545496.tif 000069
【図６９】
0003545496.tif 000070
【図７０】
0003545496.tif 000071
【図７１】
0003545496.tif 000072
【図７２】
0003545496.tif 000073
【図７３】
0003545496.tif 000074
【図７４】
0003545496.tif 000075
【図７５】
0003545496.tif 000076
【図７６】
0003545496.tif 000077
【図７７】
0003545496.tif 000078
【図７８】
0003545496.tif 000079